(57)【要約】本発明のデジタルカメラ付移動通信端末装置は、第１部分と第２部分から構成される。移動通信端末装置の折りたたみと、第２部分における基台部に対する表示部の回転により現出される４種類の機構的な状態をとる。移動通信端末装置は、これら４種類の機構的な状態それぞれについて、カメラモードや非カメラモードの動作モードを自動的に割り振る。また、移動通信端末装置は、必要に応じて、移動通信端末装置の動作モードを適宜変更する。
2005013586.tif 000002
【特許請求の範囲】
【請求項１】
第１部分と第２部分とが、第１軸を中心軸として相対的に回動可能に結合されることにより、折りたたみ可能に構成されたデジタルカメラ機能付の移動通信端末装置であって、
前記第１部分は、
カメラ用光学系と；
前記第１軸と平行であり、折りたたまれた際、第２部分と対向する操作面を有する操作入力部と；を備え、
前記第２部分は、
前記第１部分と回動可能に結合されている部分を備える基台部と；
表示デバイスを有し、前記表示デバイスの表示面に平行な第２軸を回転軸として、前記基台部に対して少なくとも１８０度回動可能に前記基台部と結合された表示部と；を備え、
前記第２部分は、前記第１部分の前記第１軸に沿った少なくとも両外側２箇所で、前記第１部分と、結合されている。
【請求項２】
請求項１に記載の移動通信端末装置において、
前記第２軸は、第１軸に対して垂直である。
【請求項３】
請求項１に記載の移動通信端末装置において、
前記第１部分は、前記通信用操作面の垂直方向に突出し、前記カメラ用光学系を収納する突出部を更に備える。
【請求項４】
請求項１に記載の移動通信端末装置において、
前記カメラ用光学系の光軸は、前記通信用操作面に平行である。
【請求項５】
請求項１に記載の移動通信端末装置において、
前記カメラ用光学系の光軸は、前記通信用操作面に垂直である。
【請求項６】
請求項５に記載の移動通信端末装置において、
前記第２軸を回転軸とする前記基台部に対する前記表示部の回転状態を検出する表示部回転状態検出器と；
前記表示部回転状態検出器が、前記第１軸を回転軸として移動通信端末装置を折りたたんだときに、前記表示面が前記通信用操作面に対向しない向きである表示部回転状態となったことを検出した場合には、動作モードをカメラモードとする制御部と；を更に備える。
【請求項７】
請求項６に記載の移動通信端末装置において、
前記第１軸を回転軸とする移動通信端末装置の折りたたみ状態を検出する折りたたみ状態検出器を更に備える。
【請求項８】
請求項７に記載の移動通信端末装置において、
前記表示部回転状態であって、前記折りたたみ状態検出器が、展開状態となったことを検出した場合には、前記第１軸に垂直な方向を前記表示デバイスの縦方向としてガイダンス表示を行い、
前記表示部回転状態であって、前記折りたたみ状態検出器が、折りたたみ状態となったことを検出した場合には、前記第１軸に垂直の方向を前記表示デバイスの横方向として、前記ガイダンス表示を行い、
前記制御部は、利用者の指令に応じて、前記第１軸に垂直の方向を前記表示デバイスの縦方向とするか横方向とするかを変更し、前記ガイダンス表示を行う。
【請求項９】
請求項７に記載の移動通信端末装置において、
前記制御部は、カメラモードで動作中に、前記表示デバイスにガイダンスを透過表示させる。
【請求項１０】
請求項７に記載の移動通信端末装置において、
前記制御部は、カメラモードで動作中に、メール受信があった場合には、前記メール受信があった旨を利用者に通知し、利用者の指令により、内容を表示する。
【請求項１１】
請求項７に記載の移動通信端末装置において、
前記制御部は、カメラモードで動作中に、着信があった場合には、前記着信があった旨を利用者に通知する。
【請求項１２】
請求項７に記載の移動通信端末装置において、
前記制御部は、前記展開状態、かつ、前記表示面が前記通信用操作面に対向する向きである表示部非回転状態で電源が投入された場合には、前記制御部は、動作モードを非カメラモードとする。
【請求項１３】
請求項７に記載の移動通信端末装置において、
前記表示部回転状態であり、かつ、前記展開状態のカメラモードで動作中の場合には、前記制御部は、画像の左右を反転させて表示させる。
【請求項１４】
請求項７に記載の移動通信端末装置において、
前記制御部は、前記表示部回転状態検出器が、前記表示部非回転状態にあることを検出し、かつ、前記折りたたみ状態検出器が、前記折りたたみ状態になったことを検出すると、動作モードを非カメラモードとする。
【請求項１５】
請求項１４に記載の移動通信端末装置において、
前記制御部は、前記折りたたみ状態の非カメラモードから、前記第１軸を回転軸として移動通信端末装置を展開することにより、前記折りたたみ状態検出器が前記展開状態になったことを検出すると、動作モードを非カメラモードとする。
【請求項１６】
請求項７に記載の移動通信端末装置において、
基台部における、折りたたまれた際に操作面に対向する面の裏面側に、折りたたまれた際に操作を行う折りたたみ操作部を備える。
【請求項１７】
請求項１６に記載の移動通信端末装置において、
前記制御部は、前記表示部回転状態かつ前記折りたたみ状態である場合に、利用者の前記折りたたみ操作部を介した指令に応じて、音声通信の制御を行う。
【請求項１８】
請求項１６に記載の移動通信端末装置において、
表示部の表示面側に表示面操作部を備え、前記制御部は、前記表示部回転状態かつ折りたたみ状態である場合に、前記折りたたみ操作部及び前記表示面操作部の少なくとも一方を介した利用者の指令に応じて、ゲーム機能を実行する。
【請求項１９】
請求項７に記載の移動通信端末装置において、
前記制御部は、前記表示部回転状態で、かつ、前記展開状態のカメラモードから、前記表示部が前記第２軸を回転軸として前記基台部に対して回転されることにより、前記表示部回転状態検出器が前記表示部非回転状態になったことを検出すると、動作モードをカメラモードとする。
【請求項２０】
請求項１９に記載の移動通信端末装置において、
前記制御部は、前記表示部非回転状態であり、かつ、前記展開状態のカメラモードとなった場合には、前記第１軸に垂直な方向を前記表示デバイスの縦方向として、ガイダンス表示を行い、
前記表示部非回転状態であり、かつ、前記展開状態のカメラモードで動作中の場合には、前記制御部は、利用者の指令に応じて、前記第１軸に垂直の方向を前記表示デバイスの縦方向とするか横方向とするかを変更し、前記ガイダンス表示を行う。
【請求項２１】
請求項１９に記載の移動通信端末装置において、
前記制御部は、前記表示部非回転状態であり、かつ、前記展開状態のカメラモードで動作中に着信し、前記着信に係る通信処理のために動作モードが非カメラモードとなり、当該通信処理が終了した場合には動作モードを、カメラモードにする。
【発明の詳細な説明】
【技術分野】
【０００１】  本発明は、移動通信端末装置に関する。さらに詳しくは、折りたたみ可能なデジタルカメラ機能付の移動通信端末装置に関する。
【背景技術】
【０００２】  従来から、携帯電話等の移動通信端末装置が広く普及している。こうした移動通信端末装置の機能や性能の向上は目覚しく、移動通信端末装置としての必須機能である通話機能やＥメールの送受信機能に加えて、デジタルカメラ機能を有するものが登場してきている。こうしたデジタルカメラ機能付携帯電話には、テンキー等が配列された操作部を有する第１部分と、ＬＣＤ（Ｌｉｑｕｉｄ  Ｃｒｙｓｔａｌ  Ｄｉｓｐｌａｙ）表示装置等を含む表示部を有する第２部分とを備えているものがある。【０００３】  このようなデジタルカメラ機能付携帯電話としては、操作部における上記テンキー等の配列される通信用操作面と表示部における表示面とを平行に維持しつつ、当該両面に対して垂直な軸を中心軸として、第１部分に対して第２部分を回転させることにより、第１部分と第２部分とを重ね合わせたり展開したりするリボルバー型のもの（以下、「従来例１」と呼ぶ）がある。このリボルバー型のデジタルカメラ機能付携帯電話では、第１部分における通信用操作面とは反対側にカメラ用光学系が配置されている。そして、デジタルカメラ動作モードに設定されると、表示部の表示面がファインダとして機能し、カメラ用光学系により撮影された像が表示面に表示されるようになっている。また、第１部分と第２部分とが重なる状態においても、通常の着信やジョグダイアル等からの発信を可能とするため、ファンクションキー等の一部を第２部分に配置している。【０００４】  また、同様な第１部分と第２部分を備えるデジタルカメラ機能付携帯電話として、通信用操作面と表示面の両面に平行な軸を中心軸として、第１部分に対して第２部分を回転するクラムシェル型のもの（以下、「従来例２」と呼ぶ）もある。このクラムシェル型のデジタルカメラ機能付携帯電話においても、第１部分における通信用操作面とは反対側又は第２部分におけるメインディスプレイの配置面の反対側にカメラ用光学系が配置されている。そして、第１部分に対して第２部分が折りたたまれた状態でデジタルカメラ動作モードに設定されると、第２部分におけるメインディスプレイの配置面とは反対側の面に配置されたサブディスプレイの表示面がファインダとして機能し、カメラ用光学系により撮影された像がサブディスプレイの表示面の長手方向を横方向として表示されるようになっている。なお、このクラムシェル型のデジタルカメラ機能付携帯電話は、第１部分に対して第２部分を展開した状態でもカメラ機能による撮像が可能となっている。この場合には、メインディスプレイの表示面がファインダとして機能する。
【発明の開示】
【発明が解決しようとする課題】
【０００５】  上述した従来例１及び従来例２のデジタルカメラ機能付携帯電話では、第１部分と第２部分が重なった状態において、一方の面側にカメラ用光学系のレンズが配置されているとともに、他方の面側にディスプレイの表示面が配置されることになる。このため、第１部分に対して第２部分が重なった状態で、例えば机上に安定した状態で載置すると、カメラ用光学系のレンズ又はディスプレイの表示面が机の面と接触することになる。これは、カメラ用光学系のレンズやディスプレイの表示面がガラス等で保護されていたとしても、その保護ガラス等に汚れが付着したり傷がはいったりする原因となる。こうした保護ガラス等の汚れや傷は、撮像又は表示された画像の観察に悪影響を及ぼすことになる。【０００６】  また、従来例１のデジタルカメラ機能付携帯電話では、表示画面が常に外部から見ることができる状態となっている。このため、個人情報である通信関連の情報や利用者の個人的な趣味感により設定される壁紙模様等の秘匿性が、クラムシェル型の携帯電話と比べて確保しにくい。さらに、第１部分と第２部分とが重なりあった場合において、通常の着信やジョグダイアル等からの発信を可能とするため、ファンクションキーの一部を第２部分に配置している。そのため、テンキー等を操作するために第１部分と第２部分を重なり合っていない状態としたときに、操作キーが第１部分と第２部分との双方に配置されていることとなるため、操作性がよいとはいい難かった。【０００７】  また、従来例２のデジタルカメラ機能付携帯電話では、第１部分に対して第２部分を折りたたんだ状態で、通常のデジタルカメラとして機能することができるが、その場合には、メインディスプレイの反対側の面に配置されたサブディスプレイの表示面がファインダとして機能することになる。このサブディスプレイは、移動通信端末装置が展開された状態において使用されるメインディスプレイと比べて、一般に表示領域の大きさや表示精細度及び動画に対する応答性において劣る。このため、移動通信端末装置が折りたたまれた状態でデジタルカメラとして機能する場合には、撮像画像を決定するためのファインダ表示性能が十分であるとはいい難かった。【０００８】  本発明は、上記の事情を鑑みてなされたものであり、利用者の利便性を向上することができるデジタルカメラ機能付移動通信端末装置を提供することを目的とする。
【課題を解決するための手段】
【０００９】  本発明は、第１部分と第２部分とが、第１軸を中心軸として相対的に回動可能に結合されることにより、折りたたみ可能に構成されたデジタルカメラ機能付の移動通信端末装置である。【００１０】  ここで、前記第１部分は、カメラ用光学系と、前記第１軸と平行であり、折りたたまれた際、第２部分と対向する操作面を有する操作入力部とを備える。また、前記第２部分は、前記第１部分と回動可能に結合されている部分を備える基台部と、表示デバイスを有し、前記表示デバイスの表示面に平行な第２軸を回転軸として、前記基台部に対して少なくとも１８０度回動可能に前記基台部と結合された表示部を備え、前記第２部分は、前記第１部分の前記第１軸に沿った少なくとも両外側２箇所で、前記第１部分と、結合されている。【００１１】  この移動通信端末装置においては、第１部分に対する第２部分の第１軸周りの回転と、第２部分における基台部に対する表示部の第２軸周りの回転という２種類の回転に関するそれぞれ２種類の状態を組み合わせることにより、機構的に４種類の状態を現出させる。【００１２】  すなわち、この移動通信端末装置は、移動通信端末装置が折りたたまれておらず、かつ、表示部が回転していない（移動通信端末装置を折りたたんだときに表示面が通信用操作面に対向する向きである）第１状態と、移動通信端末装置が折りたたまれており、かつ、表示部が回転していない第２状態と、移動通信端末装置が折りたたまれておらず、かつ、表示部が回転している（移動通信端末装置を折りたたんだときに表示面の反対側の面が通信用操作面に対向する向きである）第３状態と、移動通信端末装置が折りたたまれており、かつ、表示部が回転している第４状態との４種類の状態をとることができる。【００１３】  このため、上記の４状態それぞれについて、状態の遷移を考慮しつつ、動作モードとしてカメラモードや「待ち受け」や「通話中」等の状態を含む非カメラモードを原則的には自動的に割り振り、必要に応じて動作モードを適宜変更可能とすることとして、利用者による動作モードの設定を最小限とすることができる。【００１４】  また、上記の第２状態においては、表示部を回転することができるため、表示デバイスの表示面とは反対側の面又は基台部にサブの表示デバイスを配置しない構成とすることができる。この結果、例えば、机上に載置する場合に、この面を机面との接触面とすれば、受光や表示のための部品又はそれらの保護部材に、机面との接触に起因する汚れや傷を防止することができる。【００１５】  また、第１部分と第２部分とは、クラムシェル型で折りたたみ可能となっているので、通信用の操作キーの全てが第１部分における通信用操作面に配置することができ、操作時の操作性を確保することができる。【００１６】  さらに、表示部が外面側とはならない上記の第２状態を実現できるので、個人情報である通信関連の情報や利用者の個人的な趣味感により設定される壁紙模様等の秘匿性を確保することができる。【００１７】  また、前記第２部分は、前記第１部分の前記第１軸に沿った少なくとも両外側２箇所で、前記第１部分と、結合されているため、第２部分は、第１部分との接続部分において、第１軸方向の幅を十分にとることができる。これにより、第２部分に十分な強度を保つことができ、更に第２部分により多くの機能を備えることができる。【００１８】  ここで、本発明の移動通信端末装置では、第２軸は、第１軸に対して垂直とすることができる。【００１９】  また、本発明の移動通信端末装置では、第１部分は、通信用操作面の垂直方向に突出し、カメラ用光学系を収納する突出部を更に備えることができる。これにより、第１部分における第２部分との接続部等を利用した通信用操作面に垂直方向に突出した突出部に、より大きなカメラ用光学系を収納するスペースを確保することにより、高性能なカメラを備えることができる。【００２０】  また、本発明の移動通信端末装置では、カメラ用光学系の光軸は、通信用操作面に平行、または垂直とすることができる。【００２１】  ここで、カメラ用光軸を通信用操作面に垂直とした場合において、移動通信端末装置は、第２軸を回転軸とする基台部に対する表示部の回転状態を検出する表示部回転状態検出器を備えることができ、更に、その表示部回転状態検出器が、第１軸を回転軸として移動通信端末装置を折りたたんだときに、表示面が通信用操作面に対向しない向きである表示部回転状態となったことを検出した場合には、動作モードをカメラモードとする制御部を備えることができる。この場合には、表示部における表示を見ながら行う通信用操作部のキーを操作して行う通信用操作に適さないが、表示デバイスが外面側となっておりファインダとして有効に機能できる第３状態又は第４状態にあることを表示部回転状態検出器が検出する。そして、この検出結果を受けた制御部が、表示部をファインダとして用いるカメラモードを動作モードに自動的に設定する。【００２２】  さらに、この移動通信端末装置は、第１軸を回転軸とする移動通信端末装置の折りたたみ状態を検出する折りたたみ状態検出器を更に備えることができる。この場合には、表示部回転状態検出器が第３状態又は第４状態にあることを検出しているとき、折りたたみ状態検出器が、第３状態又は第４状態のいずれにあるかを検出する。そして、第３状態にあると検出されたときには、表示デバイスの表示面とカメラ光軸が同じ方向を向いており、自分自身を撮影するためのカメラモードで動作する。また、第４状態にあると検出されたときには、表示デバイスの表示面とカメラ撮像部の視野方向が反対方向を向いており、相手方を撮影するためのカメラモードで動作する。【００２３】  ここで、表示部回転状態であって、折りたたみ状態検出器が、移動通信端末装置が展開状態となったことを検出した場合には、前記第１軸に垂直な方向を前記表示デバイスの縦方向としてガイダンス表示を行うことができる。また、表示部回転状態であって、折りたたみ状態検出器が、移動通信端末装置が折りたたみ状態となったことを検出した場合には、前記第１軸に垂直の方向を前記表示デバイスの横方向として、前記ガイダンス表示を行うことができる。更に、制御部は、利用者の指令に応じて、第１軸に垂直の方向を前記表示デバイスの縦方向とするか横方向とするかを変更し、ガイダンス表示を行うことができる。ここで、「ガイダンス表示」とは、表示デバイスに表示される利用者の操作を助けるための表示のことであり、通話着信表示やＥメール受信表示等のイベント案内表示も含まれる。カメラモードで移動通信端末装置を使用する場合に、ガイダンス表示を横方向として利用するかは、原則的として、移動通信端末装置の形状により設定されるが、最終的に利用者により決定することができる。したがって、利用者の指令に応じて、制御部はガイダンス表示の縦横を変更することができ、操作性を保つことができる。【００２４】  また、カメラモードで動作中に、制御部は、前記表示デバイスにガイダンスを透過表示させることができる。この場合には、カメラモードで動作しているときに表示部の表示面の全面をファインダとして利用できるとともに、ファインダ表示画像を大きく損うことなく、利用者に伝達したいガイダンスを表示部に表示することができる。【００２５】  また、制御部は、カメラモードで動作中に、メール受信があった場合には、メール受信があった旨を利用者に通知し、利用者の指令により、内容を表示することができる。この場合には、カメラモードで動作しているときであっても、メール受信があった際には、その旨を利用者に通知し、利用者の判断により、その受信したメールの内容を確認することができるので、利用者は、受信したメールに対して、簡易に適切な処置をとることができる。【００２６】  また、制御部は、カメラモードで動作中に、着信があった旨を利用者に通知することができる。この場合には、カメラモードで動作しているときであっても、着信を検出した場合には、着信があった旨を利用者に通知するので、着信に対して適切な処置を利用者が直ちにとることができる。【００２７】  また、制御部は、展開状態、かつ、表示面が通信用操作面に対向する向きである表示部非回転状態で電源が投入された場合には、制御部は動作モードを非カメラモードとすることができる。この場合には、移動通信端末装置が第１状態であるときに、電源が投入されると、カメラモードではなく非カメラモードで動作する。ここで、「非カメラモード」とは、カメラモード以外のモードを意味し、「待ち受け」や「通話中」の状態だけでなく、メールやゲームのアプリケーションを実行している状態も含まれる。【００２８】  また、表示部回転状態であり、かつ、展開状態のカメラモードで動作中の場合には、制御部は、画像の左右を反転させて表示させることができる。この場合には、自分を撮影するためのカメラモードであるため、表示デバイスの画面の左右反転を行い、鏡のように右側にあるものは右側、左側にあるものは左側に映る画面で表示することにより、利用者にわかりやすい撮影画面を提供する。【００２９】  また、制御部は、表示部回転状態検出器が、表示部非回転状態にあることを検出し、かつ、折りたたみ状態検出器が、折りたたみ状態になったことを検出すると、動作モードを非カメラモードとする。この場合には、表示部回転状態検出器及び折りたたみ状態検出器により第２状態になったと検出されたとき、非カメラモードとなる。【００３０】  ここで、制御部は、折りたたみ状態の非カメラモードから、第１軸を回転軸として移動通信端末装置を展開することにより、折りたたみ状態検出器が展開状態になったことを検出すると、動作モードを非���メラモードとする。この場合には、表示部回転状態検出器及び折りたたみ状態検出器により第２状態から第１状態になったことが検出されたとき、折りたたみ状態の非カメラモードから、表示部を通信用に用いる展開状態の非カメラモードに動作モードが切り換わる。【００３１】  また、この移動通信端末装置は、基台部における、折りたたまれた際に操作面に対向する面の裏面側に、折りたたまれた際に操作を行う折りたたみ操作部を備えることができる。この場合には、折りたたまれた状態であっても、操作を行うことを可能としているため、利用者は移動通信端末装置を展開することなく、より簡易に操作を行うことができる。【００３２】  さらに、制御部は、表示部回転状態かつ折りたたみ状態である場合には、利用者の折りたたみ操作部を介した指令に応じて、音声通信の制御を行う。この場合には、利用者は、折りたたまれた状態のまま、通話を行うことができる。【００３３】  また、この移動通信端末装置は、表示部の表示面側に表示面操作部を備え、制御部は、表示部回転状態かつ折りたたみ状態である場合に、折りたたみ操作部及び表示面操作部の少なくとも一方を介した利用者の指令に応じて、ゲーム機能を実行する。この場合には、この移動通信端末装置は、表示部の表示面側にも利用者が操作可能な表示面操作部を備え、利用者は、表示面操作部及び折りたたみ操作部を操作することにより、ゲーム機能を利用することができる。【００３４】  また、制御部は、表示部回転状態で、かつ、展開状態のカメラモードから、表示部が第２軸を回転軸として基台部に対して回転されることにより、表示部回転状態検出器が表示部非回転状態になったことを検出すると、動作モードを、カメラモードとする。この場合には、表示部回転状態検出器及び折りたたみ状態検出器により第３状態から第１状態になったことが検出されたとき、自分自身を撮影するための第３状態のカメラモードから、表示デバイスの表示面とカメラ撮像部の視野方向が反対方向を向いており、相手方を撮影するための第１状態のカメラモードに動作モードが切り換わる。【００３５】  また、表示部非回転状態で、かつ、展開状態のカメラモードとなった場合には、第１軸に垂直な方向を表示デバイスの縦方向として、ガイダンス表示を行うことができる。更に、制御部は、表示部非回転状態で、かつ、展開状態のカメラモードの場合には、利用者の指令に応じて、第１軸に垂直方向を表示デバイスの縦方向とするか横方向とするかを変更し、ガイダンス表示を行うことができる。この場合には、カメラモードで移動通信端末装置を使用する場合に、ガイダンス表示を横方向として利用するかは、原則的として、移動通信端末装置の形状により設定されるが、最終的に利用者により決定することができる。したがって、利用者の指令に応じて、制御部はガイダンス表示の縦横を変更することができ、操作性を保つことができる。【００３６】  また、制御部は、表示部非回転状態であり、かつ、展開状態のカメラモードのカメラモードで動作中に着信し、着信に係る通信処理のために動作モードが非カメラモードとなり、この通信処理が終了した場合には、動作モードをカメラモードにすることができる。この場合には、第１状態のカ���ラモードで動作しているときに着信を検出し利用者が応答した場合であっても、通信が終了した場合には、カメラモードに戻るので、利用者は引き続きカメラモードでの操作を行うことができる。
【図面の簡単な説明】
【００３７】［図１Ａ］図１Ａは、本発明の第一の実施形態に係るデジタルカメラ機能付携帯電話の第１状態における外観構成を概略的に示す正面図である。
［図１Ｂ］図１Ｂは、本発明の第一の実施形態に係るデジタルカメラ機能付携帯電話の第１状態における外観構成を概略的に示す側面図である。
［図１Ｃ］図１Ｃは、本発明の第一の実施形態に係るデジタルカメラ機能付携帯電話の第１状態における外観構成を概略的に示す背面図である。
［図２］図２は、本発明の第一の実施形態に係るデジタルカメラ機能付携帯電話の突出部にカメラ用光学系が収納されていることを示す図である。
［図３］図３は、本発明の第一の実施形態に係るデジタルカメラ機能付携帯電話の機能ブロック図である。
［図４Ａ］図４Ａは、本発明の第一の実施形態に係るデジタルカメラ機能付携帯電話の第２状態における外観構成を概略的に示す正面図である。
［図４Ｂ］図４Ｂは、本発明の第一の実施形態に係るデジタルカメラ機能付携帯電話の第２状態における外観構成を概略的に示す側面図である。
［図４Ｃ］図４Ｃは、本発明の第一の実施形態に係るデジタルカメラ機能付携帯電話の第２状態における外観構成を概略的に示す背面図である。
［図５Ａ］図５Ｃは、本発明の第一の実施形態に係るデジタルカメラ機能付携帯電話の第３状態における外観構成を概略的に示す正面図である。
［図５Ｂ］図５Ｃは、本発明の第一の実施形態に係るデジタルカメラ機能付携帯電話の第３状態における外観構成を概略的に示す側面図である。
［図５Ｃ］図５Ｃは、本発明の第一の実施形態に係るデジタルカメラ機能付携帯電話の第３状態における外観構成を概略的に示す背面図である。
［図６Ａ］図６Ａは、本発明の第一の実施形態に係るデジタルカメラ機能付携帯電話の第４状態における外観構成を概略的に示す正面図である。
［図６Ｂ］図６Ｂは、本発明の第一の実施形態に係るデジタルカメラ機能付携帯電話の第４状態における外観構成を概略的に示す側面図である。
［図６Ｃ］図６Ｃは、本発明の第一の実施形態に係るデジタルカメラ機能付携帯電話の第４状態における外観構成を概略的に示す背面図である。
［図７］図７は、本発明の第一の実施形態における第１〜第４状態の相互間の遷移を機能遷移とともに説明するための図である。
［図８Ａ］図８Ａは、本発明の第一の実施形態における第４状態のカメラモードにおけるガイダンス表示を説明するための図である。
［図８Ｂ］図８Ｂは、本発明の第一の実施形態における第４状態のカメラモードにおけるガイダンス表示を説明するための図である。
［図９］図９は、本発明の第一の実施形態における非カメラモードである通信モード時における通話着信に対する処理を説明するためのフローチャートである。
［図１０］図１０は、本発明の第一の実施形態における第１状態のカメラモードにおける通話着信に対する処理を説明するためのフローチャートである。
［図１１Ａ］図１１Ａは、本発明の第一の実施形態における第３状態のカメラモードにおける通話着信に対する処理を説明するためのフローチャートである。
［図１１Ｂ］図１１Ｂは、本発明の第一の実施形態における第１状態の通信モードにおける着信処理を説明するためのフローチャートである。
［図１２］図１２は、本発明の第一の実施形態における第３状態のカメラモードにおける通話着信時の表示例を示す図である。
［図１３］図１３は、本発明の第一の実施形態における第４状態のカメラモードにおける通話着信に対する処理を説明するためのフローチャートである。
［図１４］図１４は、本発明の第一の実施形態における第４状態のカメラモードにおける通話着信時の表示例を示す図である。
［図１５］図１５は、本発明の第一の実施形態における非カメラモードである通信モードにおけるＥメール着信に対する処理を説明するためのフローチャートである。
［図１６］図１６は、本発明の第一の実施形態におけるカメラモードにおけるＥメール着信に対する処理を説明するためのフローチャートである。
［図１７Ａ］図１７Ａは、第１部分における突出部の位置の第１の変形例を示す側面図である。
［図１７Ｂ］図１７Ｂは、第１部分における突出部の位置の第１の変形例を示す正面図である。
［図１８Ａ］図１８Ａは、第１部分における突出部の位置の第２の変形例を示す側面図である。
［図１８Ｂ］図１８Ｂは、第１部分における突出部の位置の第２の変形例を示す正面図である。
［図１９］図１９は、第１部分における突出部の位置の第３の変形例を示す図である。
［図２０Ａ］図２０Ａは、第２軸が、第１軸に垂直である場合における第１の変形例の第４状態を示す図である。
［図２０Ｂ］図２０Ｂは、第２軸が、第１軸に垂直である場合における第１の変形例の第２状態を示す図である。
［図２１Ａ］図２１Ａは、第２軸が、第１軸に垂直である場合における第２の変形例の第４状態を示す図である。
［図２１Ｂ］図２１Ｂは、第２軸が、第１軸に垂直である場合における第２の変形例の第２状態を示す図である。
［図２２Ａ］図２２Ａは、第２軸が、第１軸に平行である場合における第１の変形例の第４状態を示す図である。
［図２２Ｂ］図２２Ｂは、第２軸が、第１軸に平行である場合における第１の変形例の第２状態を示す図である。
［図２３Ａ］図２３Ａは、第２軸が、第１軸に平行である場合における第２の変形例の第４状態を示す図である。
［図２３Ｂ］図２３Ｂは、第２軸が、第１軸に平行である場合における第２の変形例の第２状態を示す図である。
［図２４Ａ］図２４Ａは、第２軸が、第１軸に平行である場合における第３の変形例の第４状態を示す図である。
［図２４Ｂ］図２４Ｂは、第２軸が、第１軸に平行である場合における第３の変形例の第２状態を示す図である。
［図２５Ａ］図２５Ａは、第２軸が、第１軸に平行である場合における第４の変形例の第４状態を示す図である。
［図２５Ｂ］図２５Ｂは、第２軸が、第１軸に平行である場合における第４の変形例の第２状態を示す図である。
［図２６Ａ］図２６Ａは、カメラ用光学系の光軸が、通信用操作面に垂直である場合における変形例の第４状態を示す側面図である。
［図２６Ｂ］図２６Ｂは、カメラ用光学系の光軸が、通信用操作面に垂直である場合における変形例の第４状態を示す正面図である。
［図２７Ａ］図２７Ａは、本発明の第二の実施形態に係る携帯電話の第１状態における外観構成を概略的に示す正面図である。
［図２７Ｂ］図２７Ｂは、本発明の第二の実施形態に係る携帯電話の第１状態における外観構成を概略的に示す側面図である。
［図２７Ｃ］図２７Ｃは、本発明の第二の実施形態に係る携帯電話の第１状態における外観構成を概略的に示す背面図である。
［図２８］図２８は、本発明の第二の実施形態に係る携帯電話の機能ブロック図である。
［図２９Ａ］図２９Ａは、本発明の第二の実施形態に係る携帯電話の第２状態における外観構成を概略的に示す正面図である。
［図２９Ｂ］図２９Ｂは、本発明の第二の実施形態に係る携帯電話の第２状態における外観構成を概略的に示す側面図である。
［図２９Ｃ］図２９Ｃは、本発明の第二の実施形態に係る携帯電話の第２状態における外観構成を概略的に示す背面図である。
［図３０Ａ］図３０Ａは、本発明の第二の実施形態に係る携帯電話の第３状態における外観構成を概略的に示す正面図である。
［図３０Ｂ］図３０Ｂは、本発明の第二の実施形態に係る携帯電話の第３状態における外観構成を概略的に示す側面図である。
［図３０Ｃ］図３０Ｃは、本発明の第二の実施形態に係る携帯電話の第３状態における外観構成を概略的に示す背面図である。
［図３１Ａ］図３１Ａは、本発明の第二の実施形態に係る携帯電話の第４状態における外観構成を概略的に示す正面図である。
［図３１Ｂ］図３１Ｂは、本発明の第二の実施形態に係る携帯電話の第４状態における外観構成を概略的に示す側面図である。
［図３１Ｃ］図３１Ｃは、本発明の第二の実施形態に係る携帯電話の第４状態における外観構成を概略的に示す背面図である。
［図３２Ａ］図３２Ａは、本発明の第二の実施形態における、非カメラモード内の状態遷移を説明するための図である。
［図３２Ｂ］図３２Ｂは、本発明の第二の実施形態における、カメラモード内の状態遷移を説明するための図である。
［図３３］図３３は、本発明の第二の実施形態における、第１〜第４状態の相互間の状態遷移を説明するための図である。
［図３４］図３４は、本発明の第二の実施形態における第１状態又は第４状態のカメラモードにおける通話着信に対する処理を説明するためのフローチャートである。
［図３５Ａ］図３５Ａは、本発明の第二の実施形態における第１状態又は第４状態のカメラモードにおける通話着信時の表示例を示す図である。
［図３５Ｂ］図３５Ｂは、本発明の第二の実施形態における第３状態における通話着信時の表示例を示す図である。
［図３６］図３６は、本発明の第二の実施形態における第３状態における通話着信に対する処理を説明するためのフローチャートである。
［図３７］図３７は、本発明の第二の実施形態におけるカメラモード時におけるメール受信に対する処理を説明するためのフローチャートである。
［図３８］図３８は、本発明の第二の実施形態におけるカメラモード時におけるメール受信時の表示例を示す図である。
【発明を実施するための最良の形態】
【００３８】  ≪第一の実施形態≫
以下、本発明の第一の実施形態を、図１Ａ〜図１６を参照しつつ説明する。【００３９】  図１Ａ〜図３には、第一の実施形態に係る移動体端末装置である携帯電話１０の構成が概略的に示されている。なお、図１Ａ〜図１Ｃは、後述する機構的な第１状態における外観構成が示されている。ここで、図１Ａには携帯電話１０の外観の正面図が示され、図１Ｂには携帯電話１０の外観の右側面図が示され、図１Ｃには携帯電話１０の外観の裏面図が示されている。また、図３には、携帯電話１０の機能ブロック構成が示されている。【００４０】  図１Ａ〜図３において総合的に示されるように、携帯電話１０は、第１部分１１と、該第１部分１１に対して、第１軸としての軸ＡＸ１を中心軸として回動可能な第２部分１２とを備えている。また、第２部分１２は、第１部分１１の軸ＡＸ１に沿った両外側２箇所で、第１部分１１と回動可能に結合されている。【００４１】  そして、第２部分１２は、第１部分１１側に配置された基台部１５と、当該基台部１５に対して、第２軸としての軸ＡＸ２を中心軸として回動可能な表示部１６とを有している。【００４２】  第１部分１１の図１Ａに示される通信用操作面側には、（ａ）テンキー、ファンクションキー等の操作キーが配列された通信用操作部２１と、（ｂ）通話時に音声を入力するためのマイクロフォン２２とが配置されている。ここで、通信用操作部２１には、通話又はＥメールの発信時には発信処理開始を指令し、通話着信時には通話処理開始を指令するための発信キーと、通信処理中における短時間の押下により終話を指令し、長時間の押下により電源のオン／オフを指令するための終話／電源キーが含まれているものとする。なお、通話着信から通話開始までの間に終話／電源キーが短時間だけ押下されると、簡易留守録がされるようになっている。【００４３】  また、第１部分１１の通信用操作面を正面としたときの図１Ｂに示される右側面には、（ｃ）カメラモードで動作しているときに操作が有効となるカメラ用縦方向キー２３、カメラ用決定キー２５及びシャッタ２６からなるカメラ用操作部が配置されている。また、第１部分１１の当該通信用操作面を正面としたときの上側面側には、（ｄ）カメラモードで動作しているときに操作が有効となるカメラ用横方向ダイアル２４が配置されている。さらに、第１部分１１の当該通信用操作面の裏面側には、図１Ｃに示されるように、（ｅ）後述するメインディスプレイ２８が外面とならない後述する機構的な第１状態（図４Ａ〜図４Ｃ参照）において、補助的な表示を行うサブディスプレイ３１と、（ｆ）着信音や案内音を発生するための案内用スピーカ３２と、（ｇ）カメラ用光学系の視野内の像を撮像する撮像部３３とが配置されている。撮像部３３は、後述する機構的な第２状態にある携帯電話１０の斜視図である図２に示されるように、第２部分１２と結合するために作られた第１部分１１の突出部に収納されている。【００４４】  第１部分１１は、図３に示されるように、上記の要素に加えて、その内部に、（ｈ）中央処理装置（ＣＰＵ）、デジタル信号処理装置（ＤＳＰ）等を備え、携帯電話１０の全体の動作を統括制御する制御部４０、（ｉ）基地局との間で無線信号を授受するための内蔵型アンテナ４１と、（ｊ）アンテナ４１を介して通信信号の送受信を行う送受信部４２と、（ｋ）プログラムやデータを格納する記憶部４３とを備えている。また、第１部分１１は、その内部に、（ｌ）携帯電話１０の折りたたみ状態を検出する折りたたみ状態検出器４５を更に備えている。ここで、折りたたみ状態検出器４５は、携帯電話１０がほぼ完全に折りたたまれているときに折りたたみ状態にあると検出し、完全には折りたたまれていないときには展開状態にあると検出するようになっている。【００４５】  また、第２部分１２の表示部１６は、図１Ａに示されるように、制御部４０の指令に応じて、通信用操作部２１の操作結果等を表示するメインディスプレイ２８と、通話時に通信相手から送られてきた音声信号を再生する通話用スピーカ２９とを備えている。【００４６】  一方、同じく第２部分１２である基台部１５は、図３に示されるように、その内部に、基台部１５に対する表示部１６の回転状態を検出する表示部回転状態検出器４６を更に備えている。ここで、表示部回転状態検出器４６は、図１Ａ〜図１Ｃにおける基台部１５と表示部１６との位置関係、すなわち、携帯電話１０を折りたたんだ場合に通信用操作面とメインディスプレイ２８の表示面とが対向する位置関係にある表示部非回転状態にあることを制御部４０へ通知する。また、表示部回転状態検出器４６は、表示部非回転状態から軸ＡＸ２回りに表示部１６が１８０度回転した状態である表示部回転状態にある場合には、表示部回転状態であることを制御部４０へ通知する。【００４７】  なお、表示部非回転状態から表示部回転状態となるまでの間は、表示部回転状態検出器４６は表示部非回転状態にあると制御部４０へ通知するようになっている。また、表示部回転状態から表示部非回転状態となるまでの間は、表示部回転状態検出器４６は表示部回転状態にあると制御部４０へ通知するようになっている。【００４８】  以上のように構成されている携帯電話１０では、（ｉ）図１Ａ〜図１Ｃに典型的に示されるような、携帯電話１０が展開状態であり、かつ、表示部非回転状態である機構的な第１状態、（ｉｉ）図４Ａ〜図４Ｃに典型的に示されるような、携帯電話１０が折りたたみ状態であり、かつ、表示部非回転状態である機構的な第２状態、（ｉｉｉ）図５Ａ〜図５Ｃに典型的に示されるような、携帯電話１０が展開状態であり、かつ、表示部回転状態である機構的な第３状態、（ｉｖ）図６Ａ〜図６Ｃに典型的に示されるような、携帯電話１０が折りたたみ状態であり、かつ、表示部回転状態である機構的な第４状態という４つの状態を機構的に取り得る。【００４９】  ここで、機構的な第２状態では、図４Ａ〜図４Ｃに示されるように、メインディスプレイ２８の表示面及び通信用操作部２１が内側に隠れている。このことを考慮して、制御部４０は、機構的な第２状態にあることを認識すると、携帯電話１０の動作モードを、非カメラモードである通信モードとしている。この通信モードでは、上述したカメラ用操作部の各キーはキーロックされるようになっている。なお、第２部分１２において光学的な機能を有する部品が一切配置されていない面が外面を構成しているので（図４Ａ参照）、この面を接触面として��や台の上へ携帯電話１０を置いたとしても、携帯電話１０の光学的な機能を有するディスプレイ面、撮像部３３のカメラ用光学系又はこれらの保護用の透明部材の傷をつけたり、汚れを付着させたりすることがない。【００５０】  また、機構的な第３状態では、図５Ａ〜図５Ｃに示されるように、メインディスプレイ２８の表示面及び通信用操作部２１は表に表れているが、互いに反対の方向を向いている。このため、メインディスプレイ２８の表示面を見ながら通信用操作部２１を操作することができない。一方、機構的な第３状態では、メインディスプレイ２８の表示面を利用者が見ている状態では利用者側方向に撮像部３３の視野方向が向いており、メインディスプレイ２８の表示面をファインダとして、自分自身を撮影することが可能な状態となっている。これらを考慮して、制御部４０は、機構的な第３状態にあることを認識すると、携帯電話１０の動作モードを、メインディスプレイ２８のガイダンスの表示が軸ＡＸ２方向を縦方向とする第３状態のカメラモードとしている。このガイダンス表示の向きは、利用者がカメラ用操作部を操作することにより、軸ＡＸ２方向を横方向とすることができる。また、この第３状態のカメラモードでは、カメラ用光学系による撮影結果を左右反転してメインディスプレイ２８に表示するようになっている。なお、第３状態のカメラモードでは、終話／電源キーを除く通信用操作部２１のキーはキーロックされるようになっている。【００５１】  また、機構的な第４状態では、図６Ａ〜図６Ｃに示されるように、メインディスプレイ２８の表示面は表に表れているが、メインディスプレイ２８の表示面を利用者が見ている状態では利用者側方向とは反対方向に撮像部３３の視野方向が向いた状態の通常のデジタルカメラと同様の形態となっている。これを考慮して、制御部４０は、機構的な第４状態にあることを認識すると、携帯電話１０の動作モードを、メインディスプレイ２８のガイダンスの表示が軸ＡＸ２方向を横方向とする第４状態のカメラモードとしている。このガイダンス表示の向きは、第３状態のカメラモードの場合と同様に、利用者がカメラ用操作部を操作することにより、軸ＡＸ２方向を縦方向とする向きとすることができる。なお、この第４状態のカメラモードでは、カメラ用光学系による撮影結果を左右反転せずにメインディスプレイ２８に表示するようになっている。【００５２】  ところで、機構的な第１状態では、図１Ａ〜図１Ｃに示されるように、メインディスプレイ２８の表示面及び通信用操作部２１の通信用操作面は、共に表に現れている。このため、メインディスプレイ２８の表示面を見ながら通信用操作部２１を操作することができる。また、機構的な第１状態では、メインディスプレイ２８の表示面を利用者が見ている状態では利用者側方向とは反対側に撮像部３３の視野方向が向いており、メインディスプレイ２８の表示面をファインダとして、通常の撮像（利用者の視野方向を撮影方向とする撮像）が可能な状態となっている。これらを考慮して、制御部４０は、機構的な第１状態にあることを認識すると、発着信動作が可能な通信モード、又は、メインディスプレイ２８の表示面をファインダとしたカメラモードのいずれの動作��ードでも動作可能としている。なお、この第１状態のカメラモードでは、ガイダンス表示の向きは、軸ＡＸ２方向を縦方向としている。このガイダンス表示の向きは、第３状態及び第４状態のカメラモードの場合と同様に、利用者がカメラ用操作を操作することにより、軸ＡＸ２方向を縦方向とする向きとすることができる。なお、第１状態のカメラモードでは、カメラ用光学系による撮影結果を左右反転せずにメインディスプレイ２８に表示するようになっている。【００５３】  なお、以下の説明においては、機構的な第１状態において、通信モードで動作する状態を「第１ａ状態」と、カメラモードで動作する状態を「第１ｂ状態」とも呼ぶものとする。【００５４】  次に、上述した各状態相互間の状態遷移について、図７を参照して説明する。【００５５】  電源をオン又はオフとすることは、通信用操作部２１の操作が可能な機構的な第１状態又は第３状態でのみ可能ある。機構的な第１状態で電源がオンとされた場合には、折りたたみ状態検出器４５及び表示部回転状態検出器４６は、展開状態かつ表示部非回転状態の機構的な第１状態にあることを検出する。この検出結果を受けた制御部４０は、動作モードを通信モードに設定する。すなわち、第１ａ状態となる。一方、機構的な第３状態で電源がオンとされた場合には、折りたたみ状態検出器４５及び表示部回転状態検出器４６は、展開状態かつ表示部回転状態の機構的な第３状態にあることを検出する。この検出結果を受けた制御部４０は、動作モードをカメラモードに設定する。【００５６】  第１ａ状態から携帯電話１０が折りたたまれた場合には、折りたたみ状態検出器４５及び表示部回転状態検出器４６は、折りたたみ状態かつ表示部非回転状態の機構的な第２状態であることを検出する。この検出結果を受けた制御部４０は、動作モードを通信モードに設定する。また、機構的な第１状態から携帯電話１０が展開された場合には、折りたたみ状態検出器４５及び表示部回転状態検出器４６が、展開状態かつ表示部非回転状態の機構的な第１状態であることを検出する。この検出結果を受けた制御部４０は、動作モードを通信モードに設定する。【００５７】  また、第１ａ状態から、表示部１６が基台部１５に対して回転された場合には、折りたたみ状態検出器４５及び表示部回転状態検出器４６は、展開状態かつ表示部回転状態の機構的な第３状態であることを検出する。この検出結果を受けた制御部４０が、動作モードをカメラモードに設定する。そして、機構的な第３状態から第１部分１１に対して第２部分１２が折りたたまれた場合には、折りたたみ状態検出器４５及び表示部回転状態検出器４６は、折りたたみ状態かつ表示部回転状態の機構的な第４状態であることを検出する。この検出結果を受けた制御部４０が、動作モードをカメラモードに設定する。【００５８】  機構的な第４状態から携帯電話１０が展開された場合には、折りたたみ状態検出器４５及び表示部回転状態検出器４６は、展開状態かつ表示部回転状態の機構的な第３状態であることを検出する。この検出結果を受けた制御部４０が、動作モードをカメラモードに設定する。そして、通話着信処理時に、機構的な第３状態から表示部１６が基台部１５に対して回転された��合には、折りたたみ状態検出器４５及び表示部回転状態検出器４６は、展開状態かつ表示部非回転状態の機構的な第１状態であることを検出する。この検出結果を受けた制御部４０が、動作モードを展開時通信モードに設定する。すなわち、第１ａ状態となる。【００５９】  一方、通話着信処理時以外に、機構的な第３状態から表示部１６が基台部１５に対して回転された場合には、折りたたみ状態検出器４５及び表示部回転状態検出器４６が、展開状態かつ表示部非回転状態の機構的な第１状態であることを検出する。この検出結果を受けた制御部４０が、動作モードをカメラモードに設定する。すなわち、第１ｂ状態となる。そして、第１ｂ状態から携帯電話１０が折りたたまれた場合には、折りたたみ状態検出器４５及び表示部回転状態検出器４６は、折りたたみ状態かつ表示部非回転状態の機構的な第２状態であることを検出する。この検出結果を受けた制御部４０が、動作モードを通信モードに設定する。【００６０】  また、第１ａ状態と第１ｂ状態との間では機構的な状態が変化しないが、通信用操作部２１を操作することにより、相互間での状態遷移が可能である。すなわち、第１ａ状態において、通信用操作部２１の操作により、カメラモード動作の指令がされると、この指令を受けた制御部４０が、カメラモードを動作モードに設定する。この結果、第１ａ状態から第１ｂ状態へ状態が遷移する。【００６１】  一方、第１ｂ状態において、通信用操作部２１の操作により、通信モード動作の指令がされると、この指令を受けた制御部４０が、通信モードを動作モードとして設定する。この結果、第１ｂ状態から第１ａ状態へ状態が遷移する。【００６２】  以上のように相互間で遷移する状態のうちで、本実施形態では、発信動作は第１ａ状態でのみ可能としている。第１ａ状態では、メインディスプレイ２８に表示される通信用画面をみながら、利用者により行われる通信用操作部２１の操作に従って、通話発信やＥメールの送信を実行する。また、メインディスプレイ２８の通信用表示を見ながら行う送信用Ｅメールの作成、受信したＥメールの表示やブラウザ機能の実行等も第１ａ状態でのみ可能としている。【００６３】  また、撮像動作は、第１ｂ状態、第３状態又は第４状態においてのみ可能である。第１ｂ状態においては、ズーム等のカメラ機能設定や変更は、通信用操作部２１の操作によって行われる。また、第３状態又は第４状態においては、カメラ機能の設定や変更は、メインディスプレイ２８に表示されるガイダンスを見つつ行われるカメラ用操作部の操作によって行われる。【００６４】  また、先に述べたとおり、携帯電話１０の機構的な状態が変化して、変化後の状態がカメラモードである場合には、制御部４０は、メインディスプレイ２８に表示されるガイダンス表示を軸ＡＸ２方向の横方向とするか縦方向とするかを判断し、ガイダンスを表示する。ここで、利用者はカメラ用操作部の操作により、このガイダンス表示の向きの変更をすることができる。機構的な第３状態から第４状態に変化した場合を例に説明すると、図８Ａ及び図８Ｂに示すように、第３状態から第４状態への変化を認識した制御部４０は、図８Ａに示すように、メインディスプレイ２８に、軸ＡＸ２方��を横方向とするガイダンス表示を行う。利用者はカメラ用操作部を操作して、軸ＡＸ２方向を縦方向とするガイダンス表示の指令を行うことにより、図８Ｂに示すような軸ＡＸ２方向を縦方向とするガイダンス表示に切り替えることができる。【００６５】  なお、こうしたメインディスプレイ２８に表示されるカメラ機能の設定や変更のガイダンスは、メインディスプレイ２８の表示面の全域を使用して行われるファインダ画像上に透過表示されるようになっている。【００６６】  カメラ機能の設定や変更の後、シャッタ２６の操作により、撮像を行うことができる。そして、撮像結果は、上述した記憶部４３に格納される。【００６７】  ところで、通話着信の通知処理やＥメールの受信処理は、上記のすべての状態で可能となっている。ここで、これらの受信処理は、主に制御部４０によって行われる。【００６８】  これらの処理のうち、まず、通話着信の通知処理に始まる通話着信関連処理について説明する。【００６９】  上記の第１ａ状態又は第２状態の通信モード動作中に通話着信があったときの処理を、図９を参照して、説明する。この場合には、まず、ステップＳ１１において、現在の状態が第１ａ状態であるか否かが判定される。この判定が肯定的であった場合には、処理はステップＳ１４へ移行する。【００７０】  一方、現在の状態が第２状態であり、ステップＳ１１の判定が否定的であった場合には、処理はステップＳ１２へ移行する。このステップＳ１２では、メインディスプレイ２８以外によって通話着信表示が行われる。すなわち、案内用スピーカ３２により呼び出し音を発生させたり、サブディスプレイ３１に通話着信表示をしたりする。なお、案内用スピーカ３２による呼び出し音の発生に代えて、携帯電話１０を振動させるようにしてもよい。【００７１】  引き続き、ステップＳ１３において、第２状態から第１部分１１に対して第２部分１２が展開されて第１ａ状態に遷移したか否かが判定される。この判定が否定的である間はステップＳ１３の処理が繰り返される。そして、ステップＳ１３において肯定的な判定がされると、処理はステップＳ１４へ移行する。【００７２】  ステップＳ１４では、メインディスプレイ２８への表示を含む通話着信表示が行われる。この結果、メインディスプレイ２８への表示に加えて、案内用スピーカ３２による呼び出し音の発生等により通話着信表示が行われる。【００７３】  次に、ステップＳ１５において、利用者により発信キーが押下され、通話指令がなされたか否かが判定される。この判定が否定的である間はステップＳ１５の処理が繰り返される。そして、ステップＳ１５において肯定的な判定がされると、処理はステップＳ１６へ移行する。【００７４】  ステップＳ１６では、通話処理が行われ、利用者と相手方との通話が行われる。このステップＳ１６では、通話処理と並行して、利用者により終話キーが押下され、通話終了指令がなされたか否かが判定される。この判定が否定的である間はステップＳ１６の処理が繰り返される。【００７５】  そして、ステップＳ１６において通話終了指令がなされたか否かに関して肯定的な判定がされると、通話処理は中止される。そして、着信前と同様の第１ａ状態の通信モードとなる。
次に、上記の第１ｂ状態のカメラモードで動作中に通話着信があったときの処理を、図１０を参照して、説明する。この場合には、まず、ステップＳ２１において、メインディスプレイ２８への表示を含む通話着信表示が行われる。この結果、メインディスプレイ２８への表示に加えて、案内用スピーカ３２による呼び出し音の発生等により通話着信表示が行われる。【００７６】  引き続き、ステップＳ２２において、利用者により発信キーが押下され、通話指令がなされたか否かが判定される。この判定が否定的であった場合には、処理はステップＳ２３へ移行する。ステップＳ２３では、利用者により終話／電源キーが短時間押下され、簡易留守録処理の指令がなされたか否かが判定される。この判定が否定的であった場合には、処理は、ステップＳ２２へ移行する。そして、ステップＳ２２又はステップＳ２３において肯定的な判定がなされるまで、ステップＳ２２及びステップＳ２３の処理が繰り返される。【００７７】  ステップＳ２２において肯定的な判定がされると、処理はステップＳ２５へ移行する。ステップＳ２５では、通話処理が行われ、利用者と相手方との通話が行われる。このステップＳ２５では、通話処理と並行して、利用者により終話キーが押下され、通話終了指令がなされたか否かが判定される。この判定が否定的である間はステップＳ２５の処理が繰り返される。【００７８】  ステップＳ２５において通話終了指令がなされたか否かに関して肯定的な判定がされると、通話処理は中止される。そして、着信前と同様の第１ｂ状態のカメラモードの処理が再開される。【００７９】  一方、ステップＳ２３において肯定的な判定がされると、処理はステップＳ２４へ移行する。このステップＳ２４では、留守番電話録音と、録音終了後の留守録があることを示す表示（例えば、留守録有を示すピクトグラムの表示）という簡易留守録処理が行われる。こうした簡易留守録処理が終了すると、着信前と同様の第１ｂ状態のカメラモードの処理が再開される。【００８０】  次に、上記の第３状態のカメラモード動作中に通話着信があったときの処理を、図１１Ａを参照して、説明する。この場合には、まず、ステップＳ３１において、メインディスプレイ２８への表示を含む通話着信表示が行われる。この結果、メインディスプレイ２８への表示に加えて、案内用スピーカ３２による呼び出し音の発生等により通話着信表示が行われる。【００８１】  引き続き、ステップ３２において、上記の通話着信表示に加えて、メインディスプレイ２８に着信処理のためのガイダンスを表示する。このガイダンス表示においては、図１２に示すように、相手先電話番号とともに、着信に応答するためには画面を回転すべきことついても表示する。また、簡易留守録処理を行うためには終話／電源キーを短時間だけ押下すべきこと等を表示してもよい。なお、このガイダンス表示は、メインディスプレイ２８の表示面の全域を使用して行われるファインダ画像上に透過表示されるようになっている。【００８２】  次いで、ステップＳ３３において、利用者により表示部１６が基台部１５に対して１８０度回転されて第１ａ状態となったか、すなわち利用者が通話するか否かが判定される。この判定が否定的であっ���場合には、処理はステップＳ３４へ移行する。ステップＳ３４では、利用者により終話／電源キーが短時間押下され、簡易留守録処理の指令がなされたか否かが判定される。この判定が否定的であった場合には、処理は、ステップＳ３３へ移行する。そして、ステップＳ３３又はステップＳ３４において肯定的な判定がなされるまで、ステップＳ３３及びステップＳ３４の処理が繰り返される。【００８３】  ステップＳ３３において肯定的な判定がされると、処理はステップＳ３６へ移行する。ステップＳ３６は、第１ａ状態の着信処理として、図１１Ｂを参照して説明する。図１１ＢのステップＳ７１において、利用者により終話／電源キーが短時間押下され、簡易留守録処理の指令がなされたか否かが判定される。この判定が否定的であった場合には、処理は、ステップＳ７２へ移行する。【００８４】  ステップＳ７２では、利用者により発信キー押下等により、通話指令がなされたか否かが判定される。この判定が否定的な場合には、ステップＳ７１に戻り、ステップＳ７１及びステップＳ７２の判定が繰り返される。ステップＳ７２の判定が肯定的な場合には、ステップＳ７３に移行し、通話処理が行われ、利用者と相手方との通話が行われる。ここでは、ステップＳ２５と同様に、ステップＳ７４において、通話終了指令がなされたか否かが判定される。【００８５】  ここでの判定が、否定的な場合には通話処理が続行され、ステップＳ７３及びステップＳ７４の処理が繰り返される。ステップＳ７４において、肯定的な判定がされると、通話処理は中止され、第１ａ状態の着信処理であるＳ３６は終了する。一方、ステップ７１における判定が、肯定的である場合には、上述したステップＳ２４と同様の簡易留守録処理が行われる。簡易留守録処理が終了すると、第１ａ状態の着信処理であるＳ３６は終了する。【００８６】  そして、ステップＳ３６の第１ａ状態の着信処理が終了すると、図１１Ａに戻り、第１ａ状態の通信モードとなる。【００８７】  一方、ステップＳ３４において肯定的な判定がされると、処理はステップＳ３５へ移行する。このステップＳ３５では、上述したステップＳ２４と同様の簡易留守録処理が行われる。こうした簡易留守録処理が終了すると、着信前と同様の第３状態のカメラモードの処理が再開される。【００８８】  次に、上記の第４状態のカメラモード動作中に通話着信があったときの処理を、図１３を参照して、説明する。この場合には、まず、ステップＳ４１において、メインディスプレイ２８への表示を含む通話着信表示が行われる。この結果、メインディスプレイ２８への表示に加えて、案内用スピーカ３２による呼び出し音の発生等により通話着信表示が行われる。【００８９】  引き続き、ステップＳ４２において、上記の通話着信表示に加えて、メインディスプレイ２８に着信処理のための第１段階のガイダンスを表示する。この第１段階のガイダンス表示においては、図１４に示すように、相手先電話番号とともに、着信に応答するために携帯電話１０を展開すべきことについても表示する。なお、このガイダンス表示は、メインディスプレイ２８の表示面の全域を使用して行われるファインダ画像上に透過表示されるようになっている。【００９０】  次いで、ステップＳ４３において、利用者により携帯電話１０が展開されて第３状態となったか否かが判定される。この判定が否定的である間はステップＳ４３の処理が繰り返される。そして、ステップＳ４３において肯定的な判定がされると、処理はステップＳ４４へ移行する。【００９１】  引き続き、ステップＳ４４において、上記の通話着信表示に加えて、メインディスプレイ２８に着信処理のための第２段階のガイダンスを表示する。この第２段階のガイダンス表示においては、上述したステップＳ３２の場合と同様に、図１２に示すように、相手先電話番号とともに、着信に応答するためには画面を回転すべきことについても表示する。【００９２】  次いで、ステップＳ４５において、利用者により表示部１６を基台部１５に対して１８０度回転されて第１ａ状態となったか、すなわち利用者が通話を行うか否かが判定される。この判定が否定的であった場合には、処理はステップＳ４６へ移行する。ステップＳ４６では、利用者により終話／電源キーが短時間押下され、簡易留守録処理の指令がなされたか否かが判定される。この判定が否定的であった場合には、処理は、ステップＳ４５へ移行する。そして、ステップＳ４５又はステップＳ４６において肯定的な判定がなされるまで、ステップＳ４５及びステップＳ４６の処理が繰り返される。【００９３】  ステップＳ４５において肯定的な判定がされると、処理はステップＳ３６へ移行する。第１ａ状態の着信処理であるステップＳ３６は、上述したように、図１１Ｂにおいて、利用者により通話処理または簡易留守録処理の選択が行われ、通話処理及び簡易留守録処理のいずれか一つが実行される。その処理が終了すると、ステップＳ３６が終了し、図１３の第１ａ状態における通信モードとなる。【００９４】  一方、ステップＳ４６において肯定的な判定がされると、処理はステップＳ４７へ移行する。このステップＳ４７では、上述したステップＳ２４やステップＳ３５の場合と同様の簡易留守録処理が行われる。こうした簡易留守録処理が終了すると、第３状態のカメラモードへ移行する。【００９５】  次に、上記の各状態におけるＥメール受信処理に始まるＥメール着信関連処理について説明する。【００９６】  上記の第１ａ状態又は第２状態の通信モード動作中にＥメール受信があったときの処理を、図１５を参照して、説明する。まず、ステップＳ５１において、現在の状態が第１ａ状態であるか否かが判定される。この判定が肯定的であった場合には、処理はステップＳ５４へ移行する。【００９７】  一方、現在の状態が第２状態であり、ステップＳ５１の判定が否定的であった場合には、処理はステップＳ５２へ移行する。このステップＳ５２では、サブディスプレイ３１へのＥメール受信表示が行われる。【００９８】  引き続き、ステップＳ５３において、第２状態から第１部分１１に対して第２部分１２が展開されて第１ａ状態に遷移したか否かが判定される。この判定が否定的である間はステップＳ５３の処理が繰り返される。そして、ステップＳ５３において肯定的な判定がされると、処理はステップＳ５４へ移行する。【００９９】  ステップＳ５４では、メインディスプレイ２８へのＥメール受信表示が行われる。このメインディスプレイ２８へのＥメール受信表示がされた第１ａ状態において、利用者のメインディスプレイ２８を見ながらの通信用操作部２１の操作により、受信メールの表示が可能となる。【０１００】  上記の第１ｂ状態、第３状態又は第４状態のカメラモード動作中にＥメール受信があったときの処理を説明する。この場合には、図１６に示されるように、まず、ステップＳ６１において、メインディスプレイ２８へのＥメール受信表示が一時的に行われ、利用者にＥメールを受信したことについて注意が喚起される。なお、このＥメール受信表示は、メインディスプレイ２８の表示面の全域を使用して行われるファインダ画像上に透過表示されるようになっている。【０１０１】  こうしたメインディスプレイ２８への一時的なＥメール受信表示が終了すると、ステップＳ６２において、各状態に応じた処理が再開される。このステップＳ６２では、各状態の処理と並行して、第１ａ状態に遷移したか否かが判定される。この判定が否定的である間は、ステップＳ６２の処理が繰り返される。そして、ステップＳ６２において第１ａ状態に遷移したか否かに関して肯定的な判定がされるまで、ステップＳ６２の処理が繰り返される。なお、ステップＳ６２の処理の繰り返し中に異なる動作モードの状態（第１ａ状態を除く）に変化したときには、ステップＳ６２では変化後の動作モードに応じた動作が行われる。【０１０２】  そして、動作モードの状態が第１ａ状態となり、ステップＳ６２において第１ａ状態に遷移したか否かに関して肯定的な判定がされると、処理はステップＳ６４へ移行する。このステップＳ６４では、上述したステップＳ５４の場合と同様に、メインディスプレイ２８へのＥメール受信表示が行われる。このメインディスプレイ２８へのＥメール受信表示がされた第１ａ状態において、利用者のメインディスプレイ２８を見ながらの通信用操作部２１の操作により、受信メールの表示や、メールサーバからの受信メールの取得が可能となる。そして、利用者のメインディスプレイ２８を見ながらの通信用操作部２１の操作に従って、受信メールの表示や、メールサーバからの受信メールの取得が行われる。【０１０３】  以上説明したように、第一の実施形態では、第１部分１１に対する第２部分１２の軸ＡＸ１回りの回転と、第２部分１２における基台部１５に対する表示部１６の第２軸回りの回転という２種類の回転に関するそれぞれ２種類の状態の組み合わせとして、４種類の機構的な状態を現出させるとともに、これら４種類の機構的な状態を検出することができる。そして、これら４状態それぞれについて、状態の遷移を考慮しつつ、動作モードとして通信モードやカメラモードを原則的には自動的に割り振り、必要に応じて動作モードを適宜変更可能とすることとして、利用者による動作モードの設定を最小限とすることができる。【０１０４】  また、上述した第２状態においては、表示部１６の表示面とは反対側の面又は当該面と同一側の基台部１５の面には光学的部品を配置してない。このため、机上に載置する場合に、この面を机面との接触面とすれば、受光や表示のための部品又はそれらの保護部材に、机面との接触に起因する汚れの付着や傷がつくことを防止することができる。【��１０５】  また、通信用の操作キーの全てが第１部分１１における通信用操作部２１に配置されている。このため、リボルバー型のように第１部分１１及び第２部分１２の両部分にわたって操作キーが配置されることがないので、通常の従来の移動通信端末装置における通信用操作時の操作性を確保することができる。【０１０６】  また、第１部分１１と第２部分１２とは、いわゆるクラムシェル型で折りたたみ可能となっている。このため、メインディスプレイ２８が外面側とはならない上記の第２状態を実現できるので、個人情報である通信関連の情報や利用者の個人的な趣味感により設定される壁紙模様等の秘匿性を、通常の従来の携帯電話の場合と同様の程度で確保することができる。【０１０７】  また、カメラモードが動作モードとして設定されているときであっても、通話着信やＥメール受信が検出された場合には、当該イベントを利用者に通知するので、当該イベントに対して適切な処置を利用者が直ちにとることができる。【０１０８】  また、カメラモードが動作モードとして設定されているときに表示部のメインディスプレイ２８における表示面の全面をファインダとして利用できるとともに、ファインダ表示画像を大きくは損なわずに利用者に伝達したい各種のガイダンスをメインディスプレイ２８に表示することができる。【０１０９】  また、第２部分１２は、第１部分１１の第１軸ＡＸ１に沿った少なくとも両外側２箇所で、第１部分１１と、結合されているため、第２部分１２は、第１部分１１との接続部分において、第１軸ＡＸ１方向の幅を十分にとることができ、第２部分１２に十分な強度を保つことができる。【０１１０】  また、第１部分１１の突出部にカメラ光学系を収納することにより、より高性能なカメラ機能を備えることができる。【０１１１】  なお、上記第一の実施形態では、第３状態（又は第４状態）における通話着信関連処理において、図１１Ａ（又は図１３）のステップＳ３３（又はステップＳ４５）において第１ａ状態となったと判定されると、発信キー等が押下され、通話指令がされた後にステップＳ３６の通話処理に移行することとした。これに対して、第１ａ状態となったと判定された後、直ちに通話処理に移行することとしてもよい。【０１１２】  また、上記第一の実施形態では、第１ｂ状態（又は第３状態若しくは第４状態）における通話着信関連処理において、図１０（又は図１１Ａ及び図１３）のステップＳ２３（又はステップＳ３４及びステップＳ４６）において終話／電源キーが押下されたときに留守録処理の指令がなされたと判定することとした。これに対し、通信用操作部２１のいずれの操作キーが押下されたときにも、留守録処理の指令がなされたと判定することとしてもよい。【０１１３】  また、上記第一の実施形態では、第４状態における着信があった場合には、第３状態に形状を変更した後に簡易留守録処理Ｓ４７を行うこととしたが、機構的な第４状態の形状のまま、カメラ用操作部等の所定キーが操作されることにより、簡易留守録処理を行うこととしてもよい。【０１１４】  また、上記第一の実施形態では、第１部分１１における第２部分１２との接続部分に突出部があることとしたが、携帯電話１０を折りたたんだときに重ならない部分で、図１７Ａ及び図１７Ｂに示すように、第１部分１１における第２部分１２の基台部１５側にあることとしてもよいし、図１８Ａ及び図１８Ｂに示すように、第１部分１１における第２部分１２の表示部１６側にあることとしてもよい。【０１１５】  また、上記第一の実施形態では、第１部分１１の突出部における中央部に撮像部３３を収納することとしたが、図１９に示すように、突出部における端部にカメラ用光学系を収納してもよい。【０１１６】  また、上記第一の実施形態では、基台部１５と表示部１６との接点は軸ＡＸ２上で一つであったが、図２０Ａ及び図２０Ｂに示すように、基台部１５の形状を表示部１６の一部を囲むような形状としたり、図２１Ａ及び図２１Ｂに示すように、表示部１６の全部を囲むような形状とし、軸ＡＸ２上の２点で基台部１５と表示部１６とが接するような構造としてもよい。【０１１７】  また、上記第一の実施形態では、軸ＡＸ２は、軸ＡＸ１に垂直であったが、軸ＡＸ２を軸ＡＸ１と平行とすることもできる。例えば、基台部１５と表示部１６の接点を一つとした構造では、図２２Ａ及び図２２Ｂに示すように、基台部１５をＬ字型形状としたり、図２３Ａ及び図２３Ｂに示すように、基台部１５を表示部１６の一部を囲むような形状とすることができる。また、基台部１５と表示部１６の接点を二つとした構造では、図２４Ａ及び図２４Ｂに示すように、基台部１５の形状を表示部１６の一部を囲むような形状としたり、図２５Ａ及び図２５Ｂに示すように、表示部１６の全部を囲むような形状とすることができる。【０１１８】  また、上記第一の実施形態では、カメラ用光学系の光軸は、通信用操作面に平行であることとしたが、図２６Ａ及び図２６Ｂに示すように、通信用操作面に垂直であるとすることができる。【０１１９】  また、上記第一の実施形態では、第２部分１２は、第１部分１１の第１軸ＡＸ１に沿った両外側２箇所で、第１部分１１と結合されているが、両外側２箇所の他に結合箇所を設けることもできる。【０１２０】  また、上記第一の実施形態では、本発明を携帯電話に適用したが、携帯電話以外の移動通信端末装置に本発明を適用することができるのは勿論である。【０１２１】  ≪第二の実施形態≫
以下、本発明の第二の実施形態を、図２７Ａ〜図３８を参照しつつ説明する。【０１２２】  ここで、第一の実施形態と同一又は同等の要素には、同一の符号を付し、重複する説明を省略する。【０１２３】  図２７Ａ〜図２８には、第二の実施形態に係る移動体端末装置である携帯電話１００の構成が概略的に示されている。図２７Ａ〜図２７Ｃは、機構的な第１状態における外観構成が示されており、図２７Ａには携帯電話１００の外観の正面図が示され、図２７Ｂには携帯電話１００の外観の右側面図が示され、図２７Ｃには携帯電話１００の外観の裏面図が示されている。また、図２８には、携帯電話１００の機能ブロック構成が示されている。【０１２４】  第一の実施形態の携帯電話１０の場合と同様に、携帯電話１００は、第１部分１１１と、該第１部分１１１に対して、軸ＡＸ１を中心軸として回動可能な第２部分１１２とを備えている。また、第２部分１１２は、第１部分１１１の軸ＡＸ１に沿った両外側２箇所で、第１部分１１１と回動可能に結合されている。そして、第２部分１１２は、第１部分１１１側に配置された基台部１１５と、当該基台部１１５に対して、軸ＡＸ２を中心軸として回動可能な表示部１１６とを有している。したがって、第一の実施形態と同様に機構的な第１状態、図２９Ａ〜図２９Ｃに示される第２状態、図３０Ａ〜図３０Ｃに示される第３状態及び図３１Ａ〜図３１Ｃに示される第４状態の状態遷移が可能となっている。【０１２５】  第１部分１１１は、図２７Ａ〜図２７Ｃ、及び、図２８に示されるように、第一の実施形態の場合と同様に、通信用操作部２１と、マイクロフォン２２と、カメラ用縦方向キー２３と、カメラ用横方向ダイアル２４と、カメラ用決定キー２５と、シャッタ２６と、サブディスプレイ３１と、案内用スピーカ３２と、撮像部３３と、アンテナ４１と、送受信部４２と、記憶部４３と、折りたたみ状態検出器４５とを備えている。そして、第１部分１１１は、（ａ）第４状態での通話に使用するためのマイクロフォン１０３（図２９Ａ参照）と、（ｂ）第一の実施形態の制御部４０とは、制御アルゴリズムを異にする制御部１４０（図２８参照）とを更に備えている。【０１２６】  なお、制御部１４０は、ガイダンス表示の方向制御、及び、カメラ用光学系による撮影結果の表示については、上述した第一の実施形態における制御部１４と同様の制御を行うようになっている。【０１２７】  また、表示部１１６は、図２７Ａに示されるように、第一の実施形態と同等の機能である、メインディスプレイ２８と、通話用スピーカ２９とを備え、更に、ゲーム機能使用時等に使用するボタンＡとボタンＢの２つから構成される表示面操作部１０１とを備えている。【０１２８】  基台部１１５は、図２８に示されるように、第一の実施形態と同様に、表示部回転状態検出器４６を備える。そして、基台部１５の折りたたまれた際に第１部分１１１と対向する面の裏面側には、主に折りたたまれた状態での操作に用いられ、上下左右の４方向と中央の計５ヶ所で使用者の入力を感知することができる十字型キーである折りたたみ操作部１０２が配置されている。【０１２９】  携帯電話１００は、電話機能及びカメラ機能の他に、メール機能、音楽やビデオ��再生するマルチメディア機能、インターネットに接続して情報を取得するブラウザ機能、及び、ゲーム機能の利用が可能であるため、図３２Ａに示すように、非カメラモードには、電話機能、メール機能、マルチメディア機能、ブラウザ機能及びゲーム機能が含まれている。そして、どの機能で動作するかは利用者の指令によって切り替えられる。また、カメラ機能においては、図３２Ｂに示すように、音声着信時に、留守番電話機能を実行する留守録機能、及び、メール受信時に受信メールの内容を確認するメール内容確認機能を含んでいる。ここでは、音声着信時又はメール受信時のガイダンス表示に従って、利用者が操作することにより、各機能を切り替える。【０１３０】  次に、制御部１４０によって制御される状態遷移について、図３３を参照しつつ、説明する。【０１３１】  上述した機構的な第１状態（図２７Ａ〜図２７Ｃ参照）では、機構的な第２状態から第１状態に移行した場合、及び、第１状態で電源をＯＮした場合には、第一の実施形態と同様に、動作モードを非カメラモードとしている。また、機構的な第３状態のカメラモードから第１状態に移行した場合には、第一の実施形態と同様に、カメラモードとしている。第１状態での、非カメラモードとカメラモードは通信用操作部２１の操作により、相互に移行が可能である。また、第１状態の非カメラモードでは、図３２Ａに示されるように、電話機能、メール機能、マルチメディア機能、ブラウザ機能及びゲーム機能が、利用できる。これらの機能は、利用者が、通信用操作部２１を操作することにより、実行される。【０１３２】  上述した機構的な第２状態（図２９Ａ〜図２９Ｃ参照）では、第一の実施形態と同様に、動作モードを非カメラモードとしている。この場合には、非カメラモードであるが、メインディスプレイ２８が内側に折りたたまれてなり、不可視であるために、通話その他の機能は利用できない。なお、第一の実施形態と同様に、第２部分１１２において光学的な機能を有する部品が一切配置されていない面が外面を構成しているので（図２９Ａ参照）、この面を接触面として机の上へ置いたとしても、携帯電話１００の光学的な機能を有する部材を傷をつけたり、汚れを付着させたりすることがない。【０１３３】  また、上述した機構的な第３状態（図３０Ａ〜図３０Ｃ参照）では、第一の実施形態と同様に、動作モードをカメラモードとしている。しかし、後述するように、例外的に、第１状態又は第４状態で、アプリケーション実行中又は通信中のまま、第３状態に移行した場合には、非カメラモードのまま、第３状態になることを可能としている。この場合には、更に、第４状態又は第１状態に移行するまでは操作不可となる。【０１３４】  また、上述した機構的な第４状態（図３１Ａ〜図３１Ｃ参照）では、第一の実施形態と同様に、第３状態から第４状態に変形させたときの動作モードをカメラモードとしている。しかし、図３１Ａに示されるように、メインディスプレイ２８だけでなく、表示面操作部１０１、及び、折りたたみ操作部１０２が、表面に出ているので、操作が可能となっている。そのため、利用者が、折りたたみ操作部１０２の十字型キーを操作して非カメラモードに移行し、更に、図３２Ａに���すような、電話機能、メール機能、マルチメディア機能、ブラウザ機能、及び、ゲーム機能の利用を可能としている。【０１３５】  第４状態の電話機能では、利用者は、着信時には、発信元の電話番号をメインディスプレイ２８により確認し、折りたたみ操作部１０２の十字型キーの中央を押下することにより、応答する。通話は、通話用スピーカ２９及びマイクロフォン１０３を用いて行なわれる。また、発信時には、折りたたみ操作部１０２の十字型キーの上下を押下することにより、発信履歴及び着信履歴を参照することができ、また、折りたたみ操作部１０２の十字型キーの中央を押下することにより、電話帳の参照が可能となっている。利用者は、これらの参照された電話番号から選択することにより、発信を行う。なお、新規に電話番号を入力したい場合には、第１状態に変形し、通信用操作部２１のテンキーを使用して入力する。【０１３６】  第４状態のメール機能では、メインディスプレイ２８、及び、折りたたみ操作部１０２の十字型キーを使用する。利用者は、当該十字型キーを操作することにより、携帯電話１００の記憶部４３に保存された受信メールを選択し、選択された受信メールの内容を、メインディスプレイ２８を介して、確認する。新しい内容のメールを作成する場合には、携帯電話１００の形状を第１状態に変えて、通信用操作部２１のテンキーを使用して作成する必要があるが、作成済みのメールを送信するのみ等のテンキーを使用しないで行える操作は、第４状態のまま行うことができる。【０１３７】  第４状態のマルチメディア機能では、携帯電話１００の記憶部４３に保存された音楽ファイルやビデオファイルを再生する機能であり、メインディスプレイ２８、及び、折りたたみ操作部１０２の十字型キーを使用する。利用者は、当該十字型キーを操作することにより、携帯電話１００の記憶部４３に保存された音楽ファイルやビデオファイルを選択し、再生を指令する。なお、音楽ファイルやビデオファイルの名称を変更するなどのテンキーを必要とする操作の場合には、第１状態に変形し、通信用操作部２１のテンキーで操作する必要がある。【０１３８】  第４状態のブラウザ機能では、メール機能、マルチメディア機能と同様、メインディスプレイ２８、及び、折りたたみ操作部１０２の十字型キーを使用する。ブラウザ起動後は、当該十字型キーの上下左右の適切な部分の押下を繰り返すことにより、画面に表示されたリンク先を示す文字列にカーソルを合わせ、当該十字型キーの中央を押下することにより、当該リンク先にジャンプする。なお、文字列の入力等、テンキーによる入力が必要な場合には、第１状態に変形して、通信用操作部２１のテンキーを用いて入力する必要がある。【０１３９】  第４状態のゲーム機能では、メインディスプレイ２８、折りたたみ操作部１０２の十字型キー、及び、表示面操作部１０１のＡボタンとＢボタンを使用する。携帯電話１００の記憶部４３に保存されたゲームのアプリケーションを実行すると、十字型キー、及び、ＡボタンとＢボタンの機能が、ゲームのアプリケーションにより割り当てられる。利用者は、ゲームのアプリケーションにおいて所望の動作をさせるために、割り当てられた機能のキー又はボタンの操作を行う。【０１４０】  ここで、携帯電話１００では、第４状態で非カメラモードとなることが可能であるため、利用者は、第４状態でアプリケーションの実行中、又は、通信中に、通信用操作部２１のテンキーを使用したい場合がある。そこで、利用者の便宜を図るため、図３３に示すように、アプリケーションの実行中、又は、通信中の場合には、第４状態から第３状態を経て、第１状態に移行することを可能としている。この場合、アプリケーション実行中又は通信中のまま、第３状態に移行した場合には、アプリケーション実行中又は通信中の状態は維持され、第３状態での操作は不可としている。また、逆に、第１状態で音楽等を再生した後に、第４状態のように折りたたまれた小さな状態で視聴したい場合もあることから、アプリケーションの実行中、又は、通信中の場合に、第１状態から第３状態を経て、第４状態に移行することも可能としている。【０１４１】  次に、携帯電話１００がカメラモードで動作中に着信があった場合について説明する。【０１４２】  まず、第１状態又は第４状態のカメラモードで、着信があった場合について、図３４のフローチャートにしたがって説明する。第１状態又は第４状態のカメラモードで着信があると、ステップＳ１０１において、メインディスプレイ２８に通話着信ガイダンスを表示する。ガイダンスの表示は図３５Ａに示すように、通話、転送、拒否、保留及び留守録が、折りたたみ操作部１０２の十字型キーにより選択できる旨を示している。図３４に戻り、ステップＳ１０２において、利用者が通話を選択した場合には、ステップＳ１０３において、制御部１４０は、動作モードを非カメラモードへと移行する。引き続き、制御部１４０は、ステップＳ１０４において、着信応答、通話及び切断までを実行する通話処理を行う。通話が終了し、切断されると、制御部１４０は、ステップＳ１０５において、カメラモードに移行し、元の状態へ戻る。【０１４３】  一方、ステップＳ１０２において、転送、拒否及び留守録が選択された場合には、ステップＳ１０６において、それぞれ、転送、拒否及び留守録の処理が行われる。この場合には、非カメラモードへの移行は行われない。また、ステップＳ１０２において、保留が選択された場合には、制御部１４０は、ステップＳ１０７において、保留処理を行う。利用者が通話できる状態になり、ステップ１０８において、通話指令が行われたか否かが判定がされる。この判定結果が肯定的な場合には、ステップＳ１０３〜ステップＳ１０５の処理を行うこととなる。【０１４４】  また、ステップＳ１０８における判定結果が否定的な場合には、ステップＳ１０９へ移行し、発呼側から切断された場合、つまり携帯電話１０に電話をかけてきた側から、通信網を介して携帯電話１０に保留された呼の切断を通知された場合、及び、着呼側で切断された場合、つまり携帯電話１０で保留された呼を切断した場合、のいずれかの場合であるかどうかが判定される。ステップＳ１０９での判定が肯定的な場合には、元の状態である第１状態、第４状態のカメラモードへ移行する。一方、否定的な場合には、ステップＳ１０８及びステップＳ１０９の処理を繰り返す。【０１４５】  次に、第３状態のカメラモードで、着信があった場合について、図３６のフローチャートにしたがって説明する。第３状態のカメラモードで着信があった場合には、制御部１４０は、ステップＳ２０１において、メインディスプレイ２８に通話着信ガイダンスを表示する。ガイダンスの表示では、図３５Ｂに示すように、転送、拒否、保留及び留守録の選択が折りたたみ操作部１０２の十字型キーにより選択できる旨、及び、通話の場合には形状を変更する必要がある旨が示される。【０１４６】  引き続き、ステップＳ２０２において、利用者が、転送、拒否、留守録の選択した場合には、制御部１４０は、ステップＳ２０５において、それぞれ、転送、拒否及び留守録の処理を行う。また、ステップＳ２０２において、指令がない場合には、制御部１４０は、ステップＳ２０３において、携帯電話１００の形状を確認する。利用者が、携帯電話１００を変形して、第１状態又は第４状態になっていた場合には、制御部１４０は、図３４のステップＳ１００である「第１状態又は第４状態のカメラモードの着信」と同じ処理を行う。変形せずに第３状態を維持している場合には、Ｓ２０２及びＳ２０３の処理を繰り返す。【０１４７】  また、ステップＳ２０２において、保留の選択をした場合には、制御部１４０は、メインディスプレイ２８からガイダンス表示を消去し、ステップＳ２０２及びステップＳ２０３の処理を繰り返す。利用者が通話できる状態になったところで、形状を変更することにより、制御部１４０は、ステップＳ２０３から、図３４のステップＳ１００である「第１状態又は第４状態のカメラモードの着信」の処理を行うことにより、通話を可能とする。【０１４８】  次に、カメラモードで動作中に、メールの受信があった場合の処理について、図３７に従って、説明する。制御部１４０は、ステップＳ３０１において、メインディスプレイ２８にメール受信ガイダンスを表示する。ガイダンスの表示では、図３８に示すように、受信メールの表示を行うかどうかの選択が、折りたたみ操作部１０２の十字型キーの中央の押下により選択できる旨が示される。ここで、利用者は、ステップＳ３０２において、受信メールの表示を行うかどうかの選択を行う。この選択が肯定的な場合には、制御部１４０は、ステップＳ３０３において、受信メール表示処理をおこなう。否定的な場合には、受信メールの表示処理はおこなわず、メール受信時の処理を終了する。【０１４９】  以上説明したように、第二の実施形態では、第一の実施形態と同様の効果を奏する。【０１５０】  更に、第二の実施形態では、カメラモードで動作しているときであっても、メール受信があった際には、その旨を利用者に通知し、利用者は、携帯電話の形状を変えずに、その受信したメールの内容を確認することができるので、利用者は、受信したメールに対して、簡易に適切な処置をとることができる。【０１５１】  また、カメラモードで動作しているときであっても、通話着信があった際には、利用者は携帯電話の形状を変えずに、切断や留守録等の措置を行え、更に、第１状態及び第４状態のどちらの形状であっても、通話することが可能なため、利用者は、より簡易な操作で、通話着信に対して、適切な処理を行うことができる。【０１５２】  また、第２部分１１２は���第１部分１１１の第１軸ＡＸ１に沿った少なくとも両外側２箇所で、第１部分１１１と、結合されているため、第２部分１１２は、第１部分１１１との接続部分において、第１軸ＡＸ１方向の幅を十分にとることができる。これにより、第２部分１１２に十分な強度を保つことができ、更に第２部分１１２により多くの機能を備えることができる。【０１５３】  なお、上記第二の実施形態においては、表示される通話着信ガイダンス及びメール受信ガイダンスは、メインディスプレイ２８に単に表示されることとしたが、第一の実施形態と同様、透過表示されることとしてもよい。【０１５４】  また、上記第二の実施形態においては、表示面操作部はゲーム機能にのみ使用していたが、他の機能に使用することとしてもよい。【０１５５】  また、上記第二の実施形態においては、折りたたみ操作部及び表示面操作部は、それぞれ十字型キー及びボタンとしていたが、他の形状や他の機能をもつ入力装置としてもよい。【０１５６】  また、上記第二の実施形態においては、第２状態及び第３状態において通話できないこととしたが、第２状態及び第３状態においても通話可能としてもよい。【０１５７】  また、上記第二の実施形態においては、上述した第一の実施形態に対する変形例と同等の変形例を適宜行うことがきる。
【産業上の利用可能性】
【０１５８】  以上のように、本発明は、移動通信端末装置におけるデジタルカメラ機能の実装に際して有用である。特に、デジタルカメラ機能付移動通信端末装置におけるデジタルカメラを利用する際の利用者の利便性を向上に適している。
2005013586.tif 000003
【図２】
2005013586.tif 000004
【図３】
2005013586.tif 000005
2005013586.tif 000006
2005013586.tif 000007
2005013586.tif 000008
【図７】
2005013586.tif 000009
2005013586.tif 000010
【図９】
2005013586.tif 000011
【図１０】
2005013586.tif 000012
2005013586.tif 000013
2005013586.tif 000014
【図１２】
2005013586.tif 000015
【図１３】
2005013586.tif 000016
【図１４】
2005013586.tif 000017
【図１５】
2005013586.tif 000018
【図１６】
2005013586.tif 000019
2005013586.tif 000020
2005013586.tif 000021
【図１９】
2005013586.tif 000022
2005013586.tif 000023
2005013586.tif 000024
2005013586.tif 000025
2005013586.tif 000026
2005013586.tif 000027
2005013586.tif 000028
2005013586.tif 000029
2005013586.tif 000030
【図２８】
2005013586.tif 000031
2005013586.tif 000032
2005013586.tif 000033
2005013586.tif 000034
2005013586.tif 000035
【図３３】
2005013586.tif 000036
【図３４】
2005013586.tif 000037
2005013586.tif 000038
【図３６】
2005013586.tif 000039
【図３７】
2005013586.tif 000040
【図３８】
2005013586.tif 000041
【手続補正書】
【提出日】平成16年10月20日(2004.10.20)
【手続補正１】
【補正対象書類名】明細書
【補正対象項目名】全文
【補正方法】変更
【補正の内容】
【発明の詳細な説明】
【技術分野】
【０００１】
本発明は、移動通信端末装置に関する。さらに詳しくは、折りたたみ可能なデジタルカメラ機能付の移動通信端末装置に関する。
【背景技術】
【０００２】
従来から、携帯電話等の移動通信端末装置が広く普及している。こうした移動通信端末装置の機能や性能の向上は目覚しく、移動通信端末装置としての必須機能である通話機能やＥメールの送受信機能に加えて、デジタルカメラ機能を有するものが登場してきている。こうしたデジタルカメラ機能付携帯電話には、テンキー等が配列された操作部を有する第１部分と、ＬＣＤ（Liquid Crystal Display）表示装置等を含む表示部を有する第２部分とを備えているものがある。
【０００３】
このようなデジタルカメラ機能付携帯電話としては、操作部における上記テンキー等の配列される操作面と表示部における表示面とを平行に維持しつつ、当該両面に対して垂直な軸を回転軸として、第１部分に対して第２部分を回転させることにより、第１部分と第２部分とを重ね合わせたり展開したりするリボルバー型のもの（以下、「従来例１」と呼ぶ）がある。このリボルバー型のデジタルカメラ機能付携帯電話では、第１部分における操作面とは反対側にカメラ用光学系が配置されている。そして、デジタルカメラ動作モードに設定されると、表示部の表示面がファインダとして機能し、カメラ用光学系により撮影された像が表示面に表示されるようになっている。また、第１部分と第２部分とが重なる状態においても、通常の着信やジョグダイアル等からの発信を可能とするため、ファンクションキー等の一部を第２部分に配置している。
【０００４】
また、同様な第１部分と第２部分を備えるデジタルカメラ機能付携帯電話として、操作面と表示面の両面に平行な軸を回転軸として、第１部分に対して第２部分を回転するクラムシェル型のもの（以下、「従来例２」と呼ぶ）もある。このクラムシェル型のデジタルカメラ機能付携帯電話においても、第１部分における操作面とは反対側又は第２部分におけるメインディスプレイの配置面の反対側にカメラ用光学系が配置されている。そして、第１部分に対して第２部分が折りたたまれた状態でデジタルカメラ動作モードに設定されると、第２部分におけるメインディスプレイの配置面とは反対側の面に配置されたサブディスプレイの表示面がファインダとして機能し、カメラ用光学系により撮影された像がサブディスプレイの表示面の長手方向を横方向として表示されるようになっている。なお、このクラムシェル型のデジタルカメラ機能付携帯電話は、第１部分に対して第２部分を展開した状態でもカメラ機能による撮像が可能となっている。この場合には、メインディスプレイの表示面がファインダとして機能する。
【発明の開示】
【発明が解決しようとする課題】
【０００５】
上述した従来例１及び従来例２のデジタルカメラ機能付携帯電話では、第１部分と第２部分が重なった状態において、一方の面側にカメラ用光学系のレンズが配置されているとともに、他方の面側にディスプレイの表示面が配置されることになる。このため、第１部分に対して第２部分が重なった状態で、例えば机上に安定した状態で載置すると、カメラ用光学系のレンズ又はディスプレイの表示面が机の面と接触することになる。これは、カメラ用光学系のレンズやディスプレイの表示面がガラス等で保護されていたとしても、その保護ガラス等に汚れが付着したり傷がはいったりする原因となる。こうした保護ガラス等の汚れや傷は、撮像又は表示された画像の観察に悪影響を及ぼすことになる。
【０００６】
また、従来例１のデジタルカメラ機能付携帯電話では、表示画面が常に外部から見ることができる状態となっている。このため、個人情報である通信関連の情報や利用者の個人的な趣味感により設定される壁紙模様等の秘匿性が、クラムシェル型の携帯電話と比べて確保しにくい。さらに、第１部分と第２部分とが重なりあった場合において、通常の着信やジョグダイアル等からの発信を可能とするため、ファンクションキーの一部を第２部分に配置している。そのため、テンキー等を操作するために第１部分と第２部分を重なり合っていない状態としたときに、操作キーが第１部分と第２部分との双方に配置されていることとなるため、操作性がよいとはいい難かった。
【０００７】
また、従来例２のデジタルカメラ機能付携帯電話では、第１部分に対して第２部分を折りたたんだ状態で、通常のデジタルカメラとして機能することができるが、その場合には、メインディスプレイの反対側の面に配置されたサブディスプレイの表示面がファインダとして機能することになる。このサブディスプレイは、移動通信端末装置が展開された状態において使用されるメインディスプレイと比べて、一般に表示領域の大きさや表示精細度及び動画に対する応答性において劣る。このため、移動通信端末装置が折りたたまれた状態でデジタルカメラとして機能する場合には、撮像画像を決定するためのファインダ表示性能が十分であるとはいい難かった。
【０００８】
本発明は、上記の事情を鑑みてなされたものであり、利用者の利便性を向上することができるデジタルカメラ機能付移動通信端末装置を提供することを目的とする。
【課題を解決するための手段】
【０００９】
本発明は、第１の観点からすると、第１部分と第２部分とが、第１軸を回転軸として相対的に回動可能に結合されることにより、折りたたみ可能に構成されたデジタルカメラ機能付の移動通信端末装置である。
【００１０】
ここで、前記第1部分は、カメラ用光学系と、前記第１軸と平行であり、折りたたまれた際、第２部分と対向する操作面を有する操作入力部とを備える。また、前記第２部分は、前記第１部分と回動可能に結合されている部分を備える基台部と、表示デバイスを有し、前記表示デバイスの表示面に平行な第２軸を回転軸として、前記基台部に対して少なくとも１８０度回動可能に前記基台部と結合された表示部を備え、前記第２部分は、前記第１部分の前記第１軸に沿った少なくとも両外側２箇所で、前記第１部分と、結合されている。
【００１１】
この移動通信端末装置においては、第１部分に対する第２部分の第１軸周りの回転と、第２部分における基台部に対する表示部の第２軸周りの回転という２種類の回転に関するそれぞれ２種類の状態を組み合わせることにより、機構的に４種類の状態を現出させる。
【００１２】
すなわち、この移動通信端末装置は、移動通信端末装置が折りたたまれておらず、かつ、表示部が回転していない（移動通信端末装置を折りたたんだときに表示面が操作面に対向する向きである）第１状態と、移動通信端末装置が折りたたまれており、かつ、表示部が回転していない第２状態と、移動通信端末装置が折りたたまれておらず、かつ、表示部が回転している（移動通信端末装置を折りたたんだときに表示面の反対側の面が操作面に対向する向きである）第３状態と、移動通信端末装置が折りたたまれており、かつ、表示部が回転している第４状態との４種類の状態をとることができる。
【００１３】
このため、上記の４状態それぞれについて、状態の遷移を考慮しつつ、動作モードとしてカメラモードや「待ち受け」や「通話中」等の状態を含む非カメラモードを原則的には自動的に割り振り、必要に応じて動作モードを適宜変更可能とすることとして、利用者による動作モードの設定を最小限とすることができる。
【００１４】
また、上記の第２状態においては、表示部を回転することができるため、表示デバイスの表示面とは反対側の面又は基台部にサブの表示デバイスを配置しない構成とすることができる。この結果、例えば、机上に載置する場合に、この面を机面との接触面とすれば、受光や表示のための部品又はそれらの保護部材に、机面との接触に起因する汚れや傷を防止することができる。
【００１５】
また、第１部分と第２部分とは、クラムシェル型で折りたたみ可能となっているので、通信用の操作キーの全てが第１部分における操作面に配置することができ、操作時の操作性を確保することができる。
【００１６】
さらに、表示部が外面側とはならない上記の第２状態を実現できるので、個人情報である通信関連の情報や利用者の個人的な趣味感により設定される壁紙模様等の秘匿性を確保することができる。
【００１７】
また、前記第２部分は、前記第１部分の前記第１軸に沿った少なくとも両外側２箇所で、前記第１部分と、結合されているため、第２部分は、第１部分との接続部分において、第１軸方向の幅を十分にとることができる。これにより、第２部分に十分な強度を保つことができ、更に第２部分により多くの機能を備えることができる。
【００１８】
ここで、本発明の移動通信端末装置では、第２軸は、第1軸に対して垂直とすることができる。
【００１９】
また、本発明の移動通信端末装置では、第１部分は、操作面の垂直方向に突出し、カメラ用光学系を収納する突出部を更に備えることができる。これにより、第１部分における第２部分との接続部等を利用した操作面に垂直方向に突出した突出部に、より大きなカメラ用光学系を収納するスペースを確保することにより、高性能なカメラを備えることができる。
【００２０】
また、本発明の移動通信端末装置では、カメラ用光学系の光軸は、操作面に平行、または垂直とすることができる。
【００２１】
ここで、カメラ用光軸を操作面に垂直とした場合において、移動通信端末装置は、第２軸を回転軸とする基台部に対する表示部の回転状態を検出する表示部回転状態検出器を備えることができ、更に、表示面が前記操作面に対向しない向きである表示部回転状態となったことを検出した場合には、動作モードをカメラモードとする制御部を備えることができる。この場合には、表示部における表示を見ながら行う通信用操作部のキーを操作して行う通信用操作に適さないが、表示デバイスが外面側となっておりファインダとして有効に機能できる第３状態又は第４状態にあることを表示部回転状態検出器が検出する。そして、この検出結果を受けた制御部が、表示部をファインダとして用いるカメラモードを動作モードに自動的に設定する。
【００２２】
さらに、この移動通信端末装置は、第１軸を回転軸として折りたたまれた状態である折りたたみ状態、又は、展開された状態である展開状態を検出する折りたたみ状態検出器を更に備えることができる。この場合には、表示部回転状態検出器が第３状態又は第４状態にあることを検出しているとき、折りたたみ状態検出器が、第３状態又は第４状態のいずれにあるかを検出する。そして、第３状態にあると検出されたときには、表示デバイスの表示面とカメラ光軸が同じ方向を向いており、自分自身を撮影するためのカメラモードで動作する。また、第４状態にあると検出されたときには、表示デバイスの表示面とカメラ撮像部の視野方向が反対方向を向いており、相手方を撮影するためのカメラモードで動作する。
【００２３】
ここで、表示部回転状態であって、折りたたみ状態検出器が、移動通信端末装置が展開状態となったことを検出した場合には、前記第１軸に垂直な方向を前記表示デバイスの縦方向としてガイダンス表示を行うことができる。また、表示部回転状態であって、折りたたみ状態検出器が、移動通信端末装置が折りたたみ状態となったことを検出した場合には、前記第１軸に垂直の方向を前記表示デバイスの横方向として、前記ガイダンス表示を行うことができる。更に、制御部は、利用者の指令に応じて、第１軸に垂直の方向を前記表示デバイスの縦方向とするか横方向とするかを変更し、ガイダンス表示を行うことができる。ここで、「ガイダンス表示」とは、表示デバイスに表示される利用者の操作を助けるための表示のことであり、通話着信表示やＥメール受信表示等のイベント案内表示も含まれる。カメラモードで移動通信端末装置を使用する場合に、ガイダンス表示を横方向として利用するかは、原則的として、移動通信端末装置の形状により設定されるが、最終的に利用者により決定することができる。したがって、利用者の指令に応じて、制御部はガイダンス表示の縦横を変更することができ、操作性を保つことができる。
【００２４】
また、カメラモードで動作中に、制御部は、前記表示デバイスにガイダンスを透過表示させることができる。この場合には、カメラモードで動作しているときに表示部の表示面の全面をファインダとして利用できるとともに、ファインダ表示画像を大きく損うことなく、利用者に伝達したいガイダンスを表示部に表示することができる。
【００２５】
また、制御部は、カメラモードで動作中に、メール受信があった場合には、メール受信があった旨を利用者に通知し、利用者の指令により、内容を表示することができる。この場合には、カメラモードで動作しているときであっても、メール受信があった際には、その旨を利用者に通知し、利用者の判断により、その受信したメールの内容を確認することができるので、利用者は、受信したメールに対して、簡易に適切な処置をとることができる。
【００２６】
また、制御部は、カメラモードで動作中に、着信があった旨を利用者に通知することができる。この場合には、カメラモードで動作しているときであっても、着信を検出した場合には、着信があった旨を利用者に通知するので、着信に対して適切な処置を利用者が直ちにとることができる。
【００２７】
また、制御部は、展開状態、かつ、表示面が操作面に対向する向きである表示部非回転状態で電源が投入された場合には、制御部は動作モードを非カメラモードとすることができる。この場合には、移動通信端末装置が第１状態であるときに、電源が投入されると、カメラモードではなく非カメラモードで動作する。ここで、「非カメラモード」とは、カメラモード以外のモードを意味し、「待ち受け」や「通話中」の状態だけでなく、メールやゲームのアプリケーションを実行している状態も含まれる。
【００２８】
また、表示部回転状態であり、かつ、展開状態のカメラモードで動作中の場合には、制御部は、画像の左右を反転させて表示させることができる。この場合には、自分を撮影するためのカメラモードであるため、表示デバイスの画面の左右反転を行い、鏡のように右側にあるものは右側、左側にあるものは左側に映る画面で表示することにより、利用者にわかりやすい撮影画面を提供する。
【００２９】
また、制御部は、表示部非回転状態にあるときに、折りたたみ状態検出器が、折りたたみ状態になったことを検出すると、動作モードを非カメラモードとする。この場合には、表示部回転状態検出器及び折りたたみ状態検出器により第２状態になったと検出されたとき、非カメラモードとなる。
【００３０】
ここで、制御部は、折りたたみ状態の非カメラモードから、第１軸を回転軸として移動通信端末装置を展開することにより、折りたたみ状態検出器が展開状態になったことを検出すると、動作モードを非カメラモードとする。この場合には、表示部回転状態検出器及び折りたたみ状態検出器により第２状態から第１状態になったことが検出されたとき、折りたたみ状態の非カメラモードから、表示部を通信用に用いる展開状態の非カメラモードに動作モードが切り換わる。
【００３１】
また、この移動通信端末装置は、基台部における、折りたたまれた際に操作面に対向する面の裏面側に、折りたたまれた際に操作を行う折りたたみ操作部を備えることができる。この場合には、折りたたまれた状態であっても、操作を行うことを可能としているため、利用者は移動通信端末装置を展開することなく、より簡易に操作を行うことができる。
【００３２】
さらに、制御部は、表示部回転状態かつ折りたたみ状態である場合には、利用者の折りたたみ操作部を介した指令に応じて、音声通信の制御を行う。この場合には、利用者は、折りたたまれた状態のまま、通話を行うことができる。
【００３３】
また、この移動通信端末装置は、表示部の表示面側に表示面操作部を備え、制御部は、表示部回転状態かつ折りたたみ状態である場合に、折りたたみ操作部及び表示面操作部の少なくとも一方を介した利用者の指令に応じて、ゲーム機能を実行する。この場合には、この移動通信端末装置は、表示部の表示面側にも利用者が操作可能な表示面操作部を備え、利用者は、表示面操作部及び折りたたみ操作部を操作することにより、ゲーム機能を利用することができる。
【００３４】
また、制御部は、展開状態のカメラモードのときに、表示部回転状態検出器が表示部非回転状態になったことを検出すると、動作モードを、カメラモードとする。この場合には、表示部回転状態検出器及び折りたたみ状態検出器により第３状態から第１状態になったことが検出されたとき、自分自身を撮影するための第３状態のカメラモードから、表示デバイスの表示面とカメラ撮像部の視野方向が反対方向を向いており、相手方を撮影するための第１状態のカメラモードに動作モードが切り換わる。
【００３５】
また、表示部非回転状態で、かつ、展開状態のカメラモードとなった場合には、第１軸に垂直な方向を表示デバイスの縦方向として、ガイダンス表示を行うことができる。更に、制御部は、表示部非回転状態で、かつ、展開状態のカメラモードの場合には、利用者の指令に応じて、第1軸に垂直方向を表示デバイスの縦方向とするか横方向とするかを変更し、ガイダンス表示を行うことができる。この場合には、カメラモードで移動通信端末装置を使用する場合に、ガイダンス表示を横方向として利用するかは、原則的として、移動通信端末装置の形状により設定されるが、最終的に利用者により決定することができる。したがって、利用者の指令に応じて、制御部はガイダンス表示の縦横を変更することができ、操作性を保つことができる。
【００３６】
また、制御部は、表示部非回転状態であり、かつ、展開状態のカメラモードのカメラモードで動作中に着信し、着信に係る通信処理のために動作モードが非カメラモードとなり、この通信処理が終了した場合には、動作モードをカメラモードにすることができる。この場合には、第１状態のカメラモードで動作しているときに着信を検出し利用者が応答した場合であっても、通信が終了した場合には、カメラモードに戻るので、利用者は引き続きカメラモードでの操作を行うことができる。
【００３７】
本発明は、第２の観点からすると、第１部分と第２部分とが、第１軸を回転軸として相対的に回動可能に結合されることにより、折りたたみ可能に構成され、第１部分の第２部分に対する回動の状態、及び、表示部の基台部に対する回動の状態に応じて、動作モードの切替えを行うデジタルカメラ機能付の移動通信端末装置である。
【００３８】
ここで、前記第1部分は、カメラ用光学系と、前記第１軸と平行であり、折りたたまれた際、第２部分と対向する操作面を有する操作入力部とを備える。また、前記第２部分は、前記第１部分と回動可能に結合されている部分を備える基台部と、表示デバイスを有し、前記表示デバイスの表示面に平行な第２軸を回転軸として、前記基台部に対して少なくとも１８０度回動可能に前記基台部と結合された表示部を備える。
【００３９】
この移動通信端末装置においては、第１の観点と同様に、機構的に第１状態から第４状態までの４種類の状態を現出させられるため、各状態に応じて適切な動作モードを割り当てることにより、より利便性の高い移動通信端末装置を提供することができる。
【００４０】
また、第２軸を回転軸とする基台部に対する表示部の回転状態を検出する表示部回転状態検出器と、第１軸を回転軸として折りたたまれた状態である折りたたみ状態、又は、展開された状態である展開状態を検出する折りたたみ状態検出器と、表示面が操作面に対向しない向きである表示部回転状態であるときに、折りたたみ状態検出器が、折りたたみ状態となったことを検出した場合には、動作モードをカメラモードとする制御部とを更に備えることができる。
【００４１】
この場合には、表示部回転状態検出器及び折りたたみ状態検出器により、移動通信端末装置は、機構的な４つの状態の変化を認識することができる。更に、表示部回転状態であるときに、折りたたみ状態となったことを検出した場合、すなわち、第３状態から第４状態に変化した際には、外側に現れた表示面をファインダとするカメラモードとなることにより、利用者は形状を変化させることのみの操作で、即座にカメラとして使用することができる。
【００４２】
また、制御部は、表示部回転状態検出器が、表示部回転状態となったことを検出した場合には、動作モードをカメラモードとすることができる。この場合には、第４状態まで変形しなくとも、第３状態に変形したときにカメラモードと設定される。カメラ撮像部の視野方向と表示部の表示面の方向が同じ場合には、自分自身を撮影するためのカメラとして即座に使用することができる。
【００４３】
また、制御部は、表示面が操作面に対向する向きである表示部非回転状態にあるときに、折りたたみ状態検出器が、折りたたみ状態になったことを検出すると、動作モードを非カメラモードとし、制御部は、表示部非回転状態であるときに、折りたたみ状態検出器が、展開状態となったことを検出した場合には、動作モードを非カメラモードとすることができる。
【００４４】
更に、制御部は、展開状態のカメラモードのときに、表示部回転状態検出器が、表示面が操作面に対向する向きである表示部非回転状態になったことを検出した場合には、動作モードをカメラモードとすることができる。この場合には、第３状態のカメラモードで使用しているときに、第１状態に変形した場合、非カメラモードにするのではなく引き続きカメラモードで動作させることにより、カメラモードを再び設定することなく、引き続きカメラモードとしての使用が可能となる。
【発明を実施するための最良の形態】
【００４５】
≪第一の実施形態≫
以下、本発明の第一の実施形態を、図１Ａ〜図１６を参照しつつ説明する。
【００４６】
図１Ａ〜図３には、第一の実施形態に係る移動体端末装置である携帯電話１０の構成が概略的に示されている。なお、図１Ａ〜図１Ｃは、後述する機構的な第１状態における外観構成が示されている。ここで、図１Ａには携帯電話１０の外観の正面図が示され、図１Ｂには携帯電話１０の外観の右側面図が示され、図１Ｃには携帯電話１０の外観の裏面図が示されている。また、図３には、携帯電話１０の機能ブロック構成が示されている。
【００４７】
図１Ａ〜図３において総合的に示されるように、携帯電話１０は、第１部分１１と、該第１部分１１に対して、第１軸としての軸ＡＸ１を回転軸として回動可能な第２部分１２とを備えている。また、第２部分１２は、第１部分１１の軸ＡＸ１に沿った両外側２箇所で、第１部分１１と回動可能に結合されている。
【００４８】
そして、第２部分１２は、第１部分１１側に配置された基台部１５と、当該基台部１５に対して、第２軸としての軸ＡＸ２を回転軸として回動可能な表示部１６とを有している。
【００４９】
第１部分１１の図１Ａに示される操作面側には、（ａ）テンキー、ファンクションキー等の操作キーが配列された通信用操作部２１と、（ｂ）通話時に音声を入力するためのマイクロフォン２２とが配置されている。ここで、通信用操作部２１には、通話又はＥメールの発信時には発信処理開始を指令し、通話着信時には通話処理開始を指令するための発信キーと、通信処理中における短時間の押下により終話を指令し、長時間の押下により電源のオン／オフを指令するための終話／電源キーが含まれているものとする。なお、通話着信から通話開始までの間に終話／電源キーが短時間だけ押下されると、簡易留守録がされるようになっている。
【００５０】
また、第１部分１１の操作面を正面としたときの図１Ｂに示される右側面には、（ｃ）カメラモードで動作しているときに操作が有効となるカメラ用縦方向キー２３、カメラ用決定キー２５及びシャッタ２６からなるカメラ用操作部が配置されている。また、第１部分１１の当該操作面を正面としたときの上側面側には、（ｄ）カメラモードで動作しているときに操作が有効となるカメラ用横方向ダイアル２４が配置されている。さらに、第１部分１１の当該操作面の裏面側には、図１Ｃに示されるように、（ｅ）後述するメインディスプレイ２８が外面とならない後述する機構的な第１状態（図４Ａ〜図４Ｃ参照）において、補助的な表示を行うサブディスプレイ３１と、（ｆ）着信音や案内音を発生するための案内用スピーカ３２と、（ｇ）カメラ用光学系の視野内の像を撮像する撮像部３３とが配置されている。撮像部３３は、後述する機構的な第２状態にある携帯電話１０の斜視図である図２に示されるように、第２部分１２と結合するために作られた第１部分１１の突出部に収納されている。
【００５１】
第１部分１１は、図３に示されるように、上記の要素に加えて、その内部に、（ｈ）中央処理装置（ＣＰＵ）、デジタル信号処理装置（ＤＳＰ）等を備え、携帯電話１０の全体の動作を統括制御する制御部４０、（ｉ）基地局との間で無線信号を授受するための内蔵型アンテナ４１と、（ｊ）アンテナ４１を介して通信信号の送受信を行う送受信部４２と、（ｋ）プログラムやデータを格納する記憶部４３とを備えている。また、第１部分１１は、その内部に、（ｌ）携帯電話１０の折りたたみ状態を検出する折りたたみ状態検出器４５を更に備えている。ここで、折りたたみ状態検出器４５は、携帯電話１０がほぼ完全に折りたたまれているときに折りたたみ状態にあると検出し、完全には折りたたまれていないときには展開状態にあると検出するようになっている。
【００５２】
また、第２部分１２の表示部１６は、図１Ａに示されるように、制御部４０の指令に応じて、通信用操作部２１の操作結果等を表示するメインディスプレイ２８と、通話時に通信相手から送られてきた音声信号を再生する通話用スピーカ２９とを備えている。
【００５３】
一方、同じく第２部分１２である基台部１５は、図３に示されるように、その内部に、基台部１５に対する表示部１６の回転状態を検出する表示部回転状態検出器４６を更に備えている。ここで、表示部回転状態検出器４６は、図１Ａ〜図１Ｃにおける基台部１５と表示部１６との位置関係、すなわち、携帯電話１０を折りたたんだ場合に操作面とメインディスプレイ２８の表示面とが対向する位置関係にある表示部非回転状態にあることを制御部４０へ通知する。また、表示部回転状態検出器４６は、表示部非回転状態から軸ＡＸ２回りに表示部１６が１８０度回転した状態である表示部回転状態にある場合には、表示部回転状態であることを制御部４０へ通知する。
【００５４】
なお、表示部非回転状態から表示部回転状態となるまでの間は、表示部回転状態検出器４６は表示部非回転状態にあると制御部４０へ通知するようになっている。また、表示部回転状態から表示部非回転状態となるまでの間は、表示部回転状態検出器４６は表示部回転状態にあると制御部４０へ通知するようになっている。
【００５５】
以上のように構成されている携帯電話１０では、（ｉ）図１Ａ〜図１Ｃに典型的に示されるような、携帯電話１０が展開状態であり、かつ、表示部非回転状態である機構的な第１状態、（ii）図４Ａ〜図４Ｃに典型的に示されるような、携帯電話１０が折りたたみ状態であり、かつ、表示部非回転状態である機構的な第２状態、（iii）図５Ａ〜図５Ｃに典型的に示されるような、携帯電話１０が展開状態であり、かつ、表示部回転状態である機構的な第３状態、（iv）図６Ａ〜図６Ｃに典型的に示されるような、携帯電話１０が折りたたみ状態であり、かつ、表示部回転状態である機構的な第４状態という４つの状態を機構的に取り得る。
【００５６】
ここで、機構的な第２状態では、図４Ａ〜図４Ｃに示されるように、メインディスプレイ２８の表示面及び通信用操作部２１が内側に隠れている。このことを考慮して、制御部４０は、機構的な第２状態にあることを認識すると、携帯電話１０の動作モードを、非カメラモードである通信モードとしている。この通信モードでは、上述したカメラ用操作部の各キーはキーロックされるようになっている。なお、第２部分１２において光学的な機能を有する部品が一切配置されていない面が外面を構成しているので（図４Ａ参照）、この面を接触面として机や台の上へ携帯電話１０を置いたとしても、携帯電話１０の光学的な機能を有するディスプレイ面、撮像部３３のカメラ用光学系又はこれらの保護用の透明部材の傷をつけたり、汚れを付着させたりすることがない。
【００５７】
また、機構的な第３状態では、図５Ａ〜図５Ｃに示されるように、メインディスプレイ２８の表示面及び通信用操作部２１は表に表れているが、互いに反対の方向を向いている。このため、メインディスプレイ２８の表示面を見ながら通信用操作部２１を操作することができない。一方、機構的な第３状態では、メインディスプレイ２８の表示面を利用者が見ている状態では利用者側方向に撮像部３３の視野方向が向いており、メインディスプレイ２８の表示面をファインダとして、自分自身を撮影することが可能な状態となっている。これらを考慮して、制御部４０は、機構的な第３状態にあることを認識すると、携帯電話１０の動作モードを、メインディスプレイ２８のガイダンスの表示が軸ＡＸ２方向を縦方向とする第３状態のカメラモードとしている。このガイダンス表示の向きは、利用者がカメラ用操作部を操作することにより、軸ＡＸ２方向を横方向とすることができる。また、この第３状態のカメラモードでは、カメラ用光学系による撮影結果を左右反転してメインディスプレイ２８に表示するようになっている。なお、第３状態のカメラモードでは、終話／電源キーを除く通信用操作部２１のキーはキーロックされるようになっている。
【００５８】
また、機構的な第４状態では、図６Ａ〜図６Ｃに示されるように、メインディスプレイ２８の表示面は表に表れているが、メインディスプレイ２８の表示面を利用者が見ている状態では利用者側方向とは反対方向に撮像部３３の視野方向が向いた状態の通常のデジタルカメラと同様の形態となっている。これを考慮して、制御部４０は、機構的な第４状態にあることを認識すると、携帯電話１０の動作モードを、メインディスプレイ２８のガイダンスの表示が軸ＡＸ２方向を横方向とする第４状態のカメラモードとしている。このガイダンス表示の向きは、第３状態のカメラモードの場合と同様に、利用者がカメラ用操作部を操作することにより、軸ＡＸ２方向を縦方向とする向きとすることができる。なお、この第４状態のカメラモードでは、カメラ用光学系による撮影結果を左右反転せずにメインディスプレイ２８に表示するようになっている。
【００５９】
ところで、機構的な第１状態では、図１Ａ〜図１Ｃに示されるように、メインディスプレイ２８の表示面及び通信用操作部２１の操作面は、共に表に現れている。このため、メインディスプレイ２８の表示面を見ながら通信用操作部２１を操作することができる。また、機構的な第１状態では、メインディスプレイ２８の表示面を利用者が見ている状態では利用者側方向とは反対側に撮像部３３の視野方向が向いており、メインディスプレイ２８の表示面をファインダとして、通常の撮像（利用者の視野方向を撮影方向とする撮像）が可能な状態となっている。これらを考慮して、制御部４０は、機構的な第１状態にあることを認識すると、発着信動作が可能な通信モード、又は、メインディスプレイ２８の表示面をファインダとしたカメラモードのいずれの動作モードでも動作可能としている。なお、この第１状態のカメラモードでは、ガイダンス表示の向きは、軸ＡＸ２方向を縦方向としている。このガイダンス表示の向きは、第３状態及び第４状態のカメラモードの場合と同様に、利用者がカメラ用操作を操作することにより、軸ＡＸ２方向を縦方向とする向きとすることができる。なお、第１状態のカメラモードでは、カメラ用光学系による撮影結果を左右反転せずにメインディスプレイ２８に表示するようになっている。
【００６０】
なお、以下の説明においては、機構的な第１状態において、通信モードで動作する状態を「第１ａ状態」と、カメラモードで動作する状態を「第１ｂ状態」とも呼ぶものとする。
【００６１】
次に、上述した各状態相互間の状態遷移について、図７を参照して説明する。
【００６２】
電源をオン又はオフとすることは、通信用操作部２１の操作が可能な機構的な第１状態又は第３状態でのみ可能ある。機構的な第１状態で電源がオンとされた場合には、折りたたみ状態検出器４５及び表示部回転状態検出器４６は、展開状態かつ表示部非回転状態の機構的な第１状態にあることを検出する。この検出結果を受けた制御部４０は、動作モードを通信モードに設定する。すなわち、第１ａ状態となる。一方、機構的な第３状態で電源がオンとされた場合には、折りたたみ状態検出器４５及び表示部回転状態検出器４６は、展開状態かつ表示部回転状態の機構的な第３状態にあることを検出する。この検出結果を受けた制御部４０は、動作モードをカメラモードに設定する。
【００６３】
第１ａ状態から携帯電話１０が折りたたまれた場合には、折りたたみ状態検出器４５及び表示部回転状態検出器４６は、折りたたみ状態かつ表示部非回転状態の機構的な第２状態であることを検出する。この検出結果を受けた制御部４０は、動作モードを通信モードに設定する。また、機構的な第１状態から携帯電話１０が展開された場合には、折りたたみ状態検出器４５及び表示部回転状態検出器４６が、展開状態かつ表示部非回転状態の機構的な第１状態であることを検出する。この検出結果を受けた制御部４０は、動作モードを通信モードに設定する。
【００６４】
また、第１ａ状態から、表示部１６が基台部１５に対して回転された場合には、折りたたみ状態検出器４５及び表示部回転状態検出器４６は、展開状態かつ表示部回転状態の機構的な第３状態であることを検出する。この検出結果を受けた制御部４０が、動作モードをカメラモードに設定する。そして、機構的な第３状態から第１部分１１に対して第２部分１２が折りたたまれた場合には、折りたたみ状態検出器４５及び表示部回転状態検出器４６は、折りたたみ状態かつ表示部回転状態の機構的な第４状態であることを検出する。この検出結果を受けた制御部４０が、動作モードをカメラモードに設定する。
【００６５】
機構的な第４状態から携帯電話１０が展開された場合には、折りたたみ状態検出器４５及び表示部回転状態検出器４６は、展開状態かつ表示部回転状態の機構的な第３状態であることを検出する。この検出結果を受けた制御部４０が、動作モードをカメラモードに設定する。そして、通話着信処理時に、機構的な第３状態から表示部１６が基台部１５に対して回転された場合には、折りたたみ状態検出器４５及び表示部回転状態検出器４６は、展開状態かつ表示部非回転状態の機構的な第１状態であることを検出する。この検出結果を受けた制御部４０が、動作モードを展開時通信モードに設定する。すなわち、第１ａ状態となる。
【００６６】
一方、通話着信処理時以外に、機構的な第３状態から表示部１６が基台部１５に対して回転された場合には、折りたたみ状態検出器４５及び表示部回転状態検出器４６が、展開状態かつ表示部非回転状態の機構的な第１状態であることを検出する。この検出結果を受けた制御部４０が、動作モードをカメラモードに設定する。すなわち、第１ｂ状態となる。そして、第１ｂ状態から携帯電話１０が折りたたまれた場合には、折りたたみ状態検出器４５及び表示部回転状態検出器４６は、折りたたみ状態かつ表示部非回転状態の機構的な第２状態であることを検出する。この検出結果を受けた制御部４０が、動作モードを通信モードに設定する。
【００６７】
また、第１ａ状態と第１ｂ状態との間では機構的な状態が変化しないが、通信用操作部２１を操作することにより、相互間での状態遷移が可能である。すなわち、第１ａ状態において、通信用操作部２１の操作により、カメラモード動作の指令がされると、この指令を受けた制御部４０が、カメラモードを動作モードに設定する。この結果、第１ａ状態から第１ｂ状態へ状態が遷移する。
【００６８】
一方、第１ｂ状態において、通信用操作部２１の操作により、通信モード動作の指令がされると、この指令を受けた制御部４０が、通信モードを動作モードとして設定する。この結果、第１ｂ状態から第１ａ状態へ状態が遷移する。
【００６９】
以上のように相互間で遷移する状態のうちで、本実施形態では、発信動作は第１ａ状態でのみ可能としている。第１ａ状態では、メインディスプレイ２８に表示される通信用画面をみながら、利用者により行われる通信用操作部２１の操作に従って、通話発信やＥメールの送信を実行する。また、メインディスプレイ２８の通信用表示を見ながら行う送信用Ｅメールの作成、受信したＥメールの表示やブラウザ機能の実行等も第１ａ状態でのみ可能としている。
【００７０】
また、撮像動作は、第１ｂ状態、第３状態又は第４状態においてのみ可能である。第１ｂ状態においては、ズーム等のカメラ機能設定や変更は、通信用操作部２１の操作によって行われる。また、第３状態又は第４状態においては、カメラ機能の設定や変更は、メインディスプレイ２８に表示されるガイダンスを見つつ行われるカメラ用操作部の操作によって行われる。
【００７１】
また、先に述べたとおり、携帯電話１０の機構的な状態が変化して、変化後の状態がカメラモードである場合には、制御部４０は、メインディスプレイ２８に表示されるガイダンス表示を軸ＡＸ２方向の横方向とするか縦方向とするかを判断し、ガイダンスを表示する。ここで、利用者はカメラ用操作部の操作により、このガイダンス表示の向きの変更をすることができる。機構的な第３状態から第４状態に変化した場合を例に説明すると、図８Ａ及び図８Ｂに示すように、第３状態から第４状態への変化を認識した制御部４０は、図８Ａに示すように、メインディスプレイ２８に、軸ＡＸ２方向を横方向とするガイダンス表示を行う。利用者はカメラ用操作部を操作して、軸ＡＸ２方向を縦方向とするガイダンス表示の指令を行うことにより、図８Ｂに示すような軸ＡＸ２方向を縦方向とするガイダンス表示に切り替えることができる。
【００７２】
なお、こうしたメインディスプレイ２８に表示されるカメラ機能の設定や変更のガイダンスは、メインディスプレイ２８の表示面の全域を使用して行われるファインダ画像上に透過表示されるようになっている。
【００７３】
カメラ機能の設定や変更の後、シャッタ２６の操作により、撮像を行うことができる。そして、撮像結果は、上述した記憶部４３に格納される。
【００７４】
ところで、通話着信の通知処理やＥメールの受信処理は、上記のすべての状態で可能となっている。ここで、これらの受信処理は、主に制御部４０によって行われる。
【００７５】
これらの処理のうち、まず、通話着信の通知処理に始まる通話着信関連処理について説明する。
【００７６】
上記の第１ａ状態又は第２状態の通信モード動作中に通話着信があったときの処理を、図９を参照して、説明する。この場合には、まず、ステップＳ１１において、現在の状態が第１ａ状態であるか否かが判定される。この判定が肯定的であった場合には、処理はステップＳ１４へ移行する。
【００７７】
一方、現在の状態が第２状態であり、ステップＳ１１の判定が否定的であった場合には、処理はステップＳ１２へ移行する。このステップＳ１２では、メインディスプレイ２８以外によって通話着信表示が行われる。すなわち、案内用スピーカ３２により呼び出し音を発生させたり、サブディスプレイ３１に通話着信表示をしたりする。なお、案内用スピーカ３２による呼び出し音の発生に代えて、携帯電話１０を振動させるようにしてもよい。
【００７８】
引き続き、ステップＳ１３において、第２状態から第１部分１１に対して第２部分１２が展開されて第１ａ状態に遷移したか否かが判定される。この判定が否定的である間はステップＳ１３の処理が繰り返される。そして、ステップＳ１３において肯定的な判定がされると、処理はステップＳ１４へ移行する。
【００７９】
ステップＳ１４では、メインディスプレイ２８への表示を含む通話着信表示が行われる。この結果、メインディスプレイ２８への表示に加えて、案内用スピーカ３２による呼び出し音の発生等により通話着信表示が行われる。
【００８０】
次に、ステップＳ１５において、利用者により発信キーが押下され、通話指令がなされたか否かが判定される。この判定が否定的である間はステップＳ１５の処理が繰り返される。そして、ステップＳ１５において肯定的な判定がされると、処理はステップＳ１６へ移行する。
【００８１】
ステップＳ１６では、通話処理が行われ、利用者と相手方との通話が行われる。このステップＳ１６では、通話処理と並行して、利用者により終話キーが押下され、通話終了指令がなされたか否かが判定される。この判定が否定的である間はステップＳ１６の処理が繰り返される。
【００８２】
そして、ステップＳ１６において通話終了指令がなされたか否かに関して肯定的な判定がされると、通話処理は中止される。そして、着信前と同様の第１ａ状態の通信モードとなる。
次に、上記の第１ｂ状態のカメラモードで動作中に通話着信があったときの処理を、図１０を参照して、説明する。この場合には、まず、ステップＳ２１において、メインディスプレイ２８への表示を含む通話着信表示が行われる。この結果、メインディスプレイ２８への表示に加えて、案内用スピーカ３２による呼び出し音の発生等により通話着信表示が行われる。
【００８３】
引き続き、ステップＳ２２において、利用者により発信キーが押下され、通話指令がなされたか否かが判定される。この判定が否定的であった場合には、処理はステップＳ２３へ移行する。ステップＳ２３では、利用者により終話／電源キーが短時間押下され、簡易留守録処理の指令がなされたか否かが判定される。この判定が否定的であった場合には、処理は、ステップＳ２２へ移行する。そして、ステップＳ２２又はステップＳ２３において肯定的な判定がなされるまで、ステップＳ２２及びステップＳ２３の処理が繰り返される。
【００８４】
ステップＳ２２において肯定的な判定がされると、処理はステップＳ２５へ移行する。ステップＳ２５では、通話処理が行われ、利用者と相手方との通話が行われる。このステップＳ２５では、通話処理と並行して、利用者により終話キーが押下され、通話終了指令がなされたか否かが判定される。この判定が否定的である間はステップＳ２５の処理が繰り返される。
【００８５】
ステップＳ２５において通話終了指令がなされたか否かに関して肯定的な判定がされると、通話処理は中止される。そして、着信前と同様の第１ｂ状態のカメラモードの処理が再開される。
【００８６】
一方、ステップＳ２３において肯定的な判定がされると、処理はステップＳ２４へ移行する。このステップＳ２４では、留守番電話録音と、録音終了後の留守録があることを示す表示（例えば、留守録有を示すピクトグラムの表示）という簡易留守録処理が行われる。こうした簡易留守録処理が終了すると、着信前と同様の第１ｂ状態のカメラモードの処理が再開される。
【００８７】
次に、上記の第３状態のカメラモード動作中に通話着信があったときの処理を、図１１Ａを参照して、説明する。この場合には、まず、ステップＳ３１において、メインディスプレイ２８への表示を含む通話着信表示が行われる。この結果、メインディスプレイ２８への表示に加えて、案内用スピーカ３２による呼び出し音の発生等により通話着信表示が行われる。
【００８８】
引き続き、ステップ３２において、上記の通話着信表示に加えて、メインディスプレイ２８に着信処理のためのガイダンスを表示する。このガイダンス表示においては、図１２に示すように、相手先電話番号とともに、着信に応答するためには画面を回転すべきことついても表示する。また、簡易留守録処理を行うためには終話／電源キーを短時間だけ押下すべきこと等を表示してもよい。なお、このガイダンス表示は、メインディスプレイ２８の表示面の全域を使用して行われるファインダ画像上に透過表示されるようになっている。
【００８９】
次いで、ステップＳ３３において、利用者により表示部１６が基台部１５に対して１８０度回転されて第１ａ状態となったか、すなわち利用者が通話するか否かが判定される。この判定が否定的であった場合には、処理はステップＳ３４へ移行する。ステップＳ３４では、利用者により終話／電源キーが短時間押下され、簡易留守録処理の指令がなされたか否かが判定される。この判定が否定的であった場合には、処理は、ステップＳ３３へ移行する。そして、ステップＳ３３又はステップＳ３４において肯定的な判定がなされるまで、ステップＳ３３及びステップＳ３４の処理が繰り返される。
【００９０】
ステップＳ３３において肯定的な判定がされると、処理はステップＳ３６へ移行する。ステップＳ３６は、第１ａ状態の着信処理として、図１１Ｂを参照して説明する。図１１ＢのステップＳ７１において、利用者により終話／電源キーが短時間押下され、簡易留守録処理の指令がなされたか否かが判定される。この判定が否定的であった場合には、処理は、ステップＳ７２へ移行する。
【００９１】
ステップＳ７２では、利用者により発信キー押下等により、通話指令がなされたか否かが判定される。この判定が否定的な場合には、ステップＳ７１に戻り、ステップＳ７１及びステップＳ７２の判定が繰り返される。ステップＳ７２の判定が肯定的な場合には、ステップＳ７３に移行し、通話処理が行われ、利用者と相手方との通話が行われる。ここでは、ステップＳ２５と同様に、ステップＳ７４において、通話終了指令がなされたか否かが判定される。
【００９２】
ここでの判定が、否定的な場合には通話処理が続行され、ステップＳ７３及びステップＳ７４の処理が繰り返される。ステップＳ７４において、肯定的な判定がされると、通話処理は中止され、第１ａ状態の着信処理であるＳ３６は終了する。一方、ステップ７１における判定が、肯定的である場合には、上述したステップＳ２４と同様の簡易留守録処理が行われる。簡易留守録処理が終了すると、第１ａ状態の着信処理であるＳ３６は終了する。
【００９３】
そして、ステップＳ３６の第１ａ状態の着信処理が終了すると、図１１Ａに戻り、第１ａ状態の通信モードとなる。
【００９４】
一方、ステップＳ３４において肯定的な判定がされると、処理はステップＳ３５へ移行する。このステップＳ３５では、上述したステップＳ２４と同様の簡易留守録処理が行われる。こうした簡易留守録処理が終了すると、着信前と同様の第３状態のカメラモードの処理が再開される。
【００９５】
次に、上記の第４状態のカメラモード動作中に通話着信があったときの処理を、図１３を参照して、説明する。この場合には、まず、ステップＳ４１において、メインディスプレイ２８への表示を含む通話着信表示が行われる。この結果、メインディスプレイ２８への表示に加えて、案内用スピーカ３２による呼び出し音の発生等により通話着信表示が行われる。
【００９６】
引き続き、ステップＳ４２において、上記の通話着信表示に加えて、メインディスプレイ２８に着信処理のための第１段階のガイダンスを表示する。この第１段階のガイダンス表示においては、図１４に示すように、相手先電話番号とともに、着信に応答するために携帯電話１０を展開すべきことについても表示する。なお、このガイダンス表示は、メインディスプレイ２８の表示面の全域を使用して行われるファインダ画像上に透過表示されるようになっている。
【００９７】
次いで、ステップＳ４３において、利用者により携帯電話１０が展開されて第３状態となったか否かが判定される。この判定が否定的である間はステップＳ４３の処理が繰り返される。そして、ステップＳ４３において肯定的な判定がされると、処理はステップＳ４４へ移行する。
【００９８】
引き続き、ステップＳ４４において、上記の通話着信表示に加えて、メインディスプレイ２８に着信処理のための第２段階のガイダンスを表示する。この第２段階のガイダンス表示においては、上述したステップＳ３２の場合と同様に、図１２に示すように、相手先電話番号とともに、着信に応答するためには画面を回転すべきことについても表示する。
【００９９】
次いで、ステップＳ４５において、利用者により表示部１６を基台部１５に対して１８０度回転されて第１ａ状態となったか、すなわち利用者が通話を行うか否かが判定される。この判定が否定的であった場合には、処理はステップＳ４６へ移行する。ステップＳ４６では、利用者により終話／電源キーが短時間押下され、簡易留守録処理の指令がなされたか否かが判定される。この判定が否定的であった場合には、処理は、ステップＳ４５へ移行する。そして、ステップＳ４５又はステップＳ４６において肯定的な判定がなされるまで、ステップＳ４５及びステップＳ４６の処理が繰り返される。
【０１００】
ステップＳ４５において肯定的な判定がされると、処理はステップＳ３６へ移行する。第１ａ状態の着信処理であるステップＳ３６は、上述したように、図１１Ｂにおいて、利用者により通話処理または簡易留守録処理の選択が行われ、通話処理及び簡易留守録処理のいずれか一つが実行される。その処理が終了すると、ステップＳ３６が終了し、図１３の第１ａ状態における通信モードとなる。
【０１０１】
一方、ステップＳ４６において肯定的な判定がされると、処理はステップＳ４７へ移行する。このステップＳ４７では、上述したステップＳ２４やステップＳ３５の場合と同様の簡易留守録処理が行われる。こうした簡易留守録処理が終了すると、第３状態のカメラモードへ移行する。
【０１０２】
次に、上記の各状態におけるＥメール受信処理に始まるＥメール着信関連処理について説明する。
【０１０３】
上記の第１ａ状態又は第２状態の通信モード動作中にＥメール受信があったときの処理を、図１５を参照して、説明する。まず、ステップＳ５１において、現在の状態が第１ａ状態であるか否かが判定される。この判定が肯定的であった場合には、処理はステップＳ５４へ移行する。
【０１０４】
一方、現在の状態が第２状態であり、ステップＳ５１の判定が否定的であった場合には、処理はステップＳ５２へ移行する。このステップＳ５２では、サブディスプレイ３１へのＥメール受信表示が行われる。
【０１０５】
引き続き、ステップＳ５３において、第２状態から第１部分１１に対して第２部分１２が展開されて第１ａ状態に遷移したか否かが判定される。この判定が否定的である間はステップＳ５３の処理が繰り返される。そして、ステップＳ５３において肯定的な判定がされると、処理はステップＳ５４へ移行する。
【０１０６】
ステップＳ５４では、メインディスプレイ２８へのＥメール受信表示が行われる。このメインディスプレイ２８へのＥメール受信表示がされた第１ａ状態において、利用者のメインディスプレイ２８を見ながらの通信用操作部２１の操作により、受信メールの表示が可能となる。
【０１０７】
上記の第１ｂ状態、第３状態又は第４状態のカメラモード動作中にＥメール受信があったときの処理を説明する。この場合には、図１６に示されるように、まず、ステップＳ６１において、メインディスプレイ２８へのＥメール受信表示が一時的に行われ、利用者にＥメールを受信したことについて注意が喚起される。なお、このＥメール受信表示は、メインディスプレイ２８の表示面の全域を使用して行われるファインダ画像上に透過表示されるようになっている。
【０１０８】
こうしたメインディスプレイ２８への一時的なＥメール受信表示が終了すると、ステップＳ６２において、各状態に応じた処理が再開される。このステップＳ６２では、各状態の処理と並行して、第１ａ状態に遷移したか否かが判定される。この判定が否定的である間は、ステップＳ６２の処理が繰り返される。そして、ステップＳ６２において第１ａ状態に遷移したか否かに関して肯定的な判定がされるまで、ステップＳ６２の処理が繰り返される。なお、ステップＳ６２の処理の繰り返し中に異なる動作モードの状態（第１ａ状態を除く）に変化したときには、ステップＳ６２では変化後の動作モードに応じた動作が行われる。
【０１０９】
そして、動作モードの状態が第１ａ状態となり、ステップＳ６２において第１ａ状態に遷移したか否かに関して肯定的な判定がされると、処理はステップＳ６４へ移行する。このステップＳ６４では、上述したステップＳ５４の場合と同様に、メインディスプレイ２８へのＥメール受信表示が行われる。このメインディスプレイ２８へのＥメール受信表示がされた第１ａ状態において、利用者のメインディスプレイ２８を見ながらの通信用操作部２１の操作により、受信メールの表示や、メールサーバからの受信メールの取得が可能となる。そして、利用者のメインディスプレイ２８を見ながらの通信用操作部２１の操作に従って、受信メールの表示や、メールサーバからの受信メールの取得が行われる。
【０１１０】
以上説明したように、第一の実施形態では、第１部分１１に対する第２部分１２の軸ＡＸ１回りの回転と、第２部分１２における基台部１５に対する表示部１６の第２軸回りの回転という２種類の回転に関するそれぞれ２種類の状態の組み合わせとして、４種類の機構的な状態を現出させるとともに、これら４種類の機構的な状態を検出することができる。そして、これら４状態それぞれについて、状態の遷移を考慮しつつ、動作モードとして通信モードやカメラモードを原則的には自動的に割り振り、必要に応じて動作モードを適宜変更可能とすることとして、利用者による動作モードの設定を最小限とすることができる。
【０１１１】
また、上述した第２状態においては、表示部１６の表示面とは反対側の面又は当該面と同一側の基台部１５の面には光学的部品を配置してない。このため、机上に載置する場合に、この面を机面との接触面とすれば、受光や表示のための部品又はそれらの保護部材に、机面との接触に起因する汚れの付着や傷がつくことを防止することができる。
【０１１２】
また、通信用の操作キーの全てが第１部分１１における通信用操作部２１に配置されている。このため、リボルバー型のように第１部分１１及び第２部分１２の両部分にわたって操作キーが配置されることがないので、通常の従来の移動通信端末装置における通信用操作時の操作性を確保することができる。
【０１１３】
また、第１部分１１と第２部分１２とは、いわゆるクラムシェル型で折りたたみ可能となっている。このため、メインディスプレイ２８が外面側とはならない上記の第２状態を実現できるので、個人情報である通信関連の情報や利用者の個人的な趣味感により設定される壁紙模様等の秘匿性を、通常の従来の携帯電話の場合と同様の程度で確保することができる。
【０１１４】
また、カメラモードが動作モードとして設定されているときであっても、通話着信やＥメール受信が検出された場合には、当該イベントを利用者に通知するので、当該イベントに対して適切な処置を利用者が直ちにとることができる。
【０１１５】
また、カメラモードが動作モードとして設定されているときに表示部のメインディスプレイ２８における表示面の全面をファインダとして利用できるとともに、ファインダ表示画像を大きくは損なわずに利用者に伝達したい各種のガイダンスをメインディスプレイ２８に表示することができる。
【０１１６】
また、第２部分１２は、第１部分１１の第１軸ＡＸ１に沿った少なくとも両外側２箇所で、第１部分１１と、結合されているため、第２部分１２は、第１部分１１との接続部分において、第１軸ＡＸ１方向の幅を十分にとることができ、第２部分１２に十分な強度を保つことができる。
【０１１７】
また、第１部分１１の突出部にカメラ光学系を収納することにより、より高性能なカメラ機能を備えることができる。
【０１１８】
なお、上記第一の実施形態では、第３状態（又は第４状態）における通話着信関連処理において、図１１Ａ（又は図１３）のステップＳ３３（又はステップＳ４５）において第１ａ状態となったと判定されると、発信キー等が押下され、通話指令がされた後にステップＳ３６の通話処理に移行することとした。これに対して、第１ａ状態となったと判定された後、直ちに通話処理に移行することとしてもよい。
【０１１９】
また、上記第一の実施形態では、第１ｂ状態（又は第３状態若しくは第４状態）における通話着信関連処理において、図１０（又は図１１Ａ及び図１３）のステップＳ２３（又はステップＳ３４及びステップＳ４６）において終話／電源キーが押下されたときに留守録処理の指令がなされたと判定することとした。これに対し、通信用操作部２１のいずれの操作キーが押下されたときにも、留守録処理の指令がなされたと判定することとしてもよい。
【０１２０】
また、上記第一の実施形態では、第４状態における着信があった場合には、第３状態に形状を変更した後に簡易留守録処理Ｓ４７を行うこととしたが、機構的な第４状態の形状のまま、カメラ用操作部等の所定キーが操作されることにより、簡易留守録処理を行うこととしてもよい。
【０１２１】
また、上記第一の実施形態では、第１部分１１における第２部分１２との接続部分に突出部があることとしたが、携帯電話１０を折りたたんだときに重ならない部分で、図１７Ａ及び図１７Ｂに示すように、第１部分１１における第２部分１２の基台部１５側にあることとしてもよいし、図１８Ａ及び図１８Ｂに示すように、第１部分１１における第２部分１２の表示部１６側にあることとしてもよい。
【０１２２】
また、上記第一の実施形態では、第１部分１１の突出部における中央部に撮像部３３を収納することとしたが、図１９に示すように、突出部における端部にカメラ用光学系を収納してもよい。
【０１２３】
また、上記第一の実施形態では、基台部１５と表示部１６との接点は軸ＡＸ２上で一つであったが、図２０Ａ及び図２０Ｂに示すように、基台部１５の形状を表示部１６の一部を囲むような形状としたり、図２１Ａ及び図２１Ｂに示すように、表示部１６の全部を囲むような形状とし、軸ＡＸ２上の２点で基台部１５と表示部１６とが接するような構造としてもよい。
【０１２４】
また、上記第一の実施形態では、軸ＡＸ２は、軸ＡＸ１に垂直であったが、軸ＡＸ２を軸ＡＸ１と平行とすることもできる。例えば、基台部１５と表示部１６の接点を一つとした構造では、図２２Ａ及び図２２Ｂに示すように、基台部１５をＬ字型形状としたり、図２３Ａ及び図２３Ｂに示すように、基台部１５を表示部１６の一部を囲むような形状とすることができる。また、基台部１５と表示部１６の接点を二つとした構造では、図２４Ａ及び図２４Ｂに示すように、基台部１５の形状を表示部１６の一部を囲むような形状としたり、図２５Ａ及び図２５Ｂに示すように、表示部１６の全部を囲むような形状とすることができる。
【０１２５】
また、上記第一の実施形態では、カメラ用光学系の光軸は、操作面に平行であることとしたが、図２６Ａ及び図２６Ｂに示すように、操作面に垂直であるとすることができる。
【０１２６】
また、上記第一の実施形態では、第２部分１２は、第１部分１１の第１軸ＡＸ１に沿った両外側２箇所で、第１部分１１と結合されているが、両外側２箇所の他に結合箇所を設けることもできる。
【０１２７】
また、上記第一の実施形態では、本発明を携帯電話に適用したが、携帯電話以外の移動通信端末装置に本発明を適用することができるのは勿論である。
【０１２８】
≪第二の実施形態≫
以下、本発明の第二の実施形態を、図２７Ａ〜図３８を参照しつつ説明する。
【０１２９】
ここで、第一の実施形態と同一又は同等の要素には、同一の符号を付し、重複する説明を省略する。
【０１３０】
図２７Ａ〜図２８には、第二の実施形態に係る移動体端末装置である携帯電話１００の構成が概略的に示されている。図２７Ａ〜図２７Ｃは、機構的な第１状態における外観構成が示されており、図２７Ａには携帯電話１００の外観の正面図が示され、図２７Ｂには携帯電話１００の外観の右側面図が示され、図２７Ｃには携帯電話１００の外観の裏面図が示されている。また、図２８には、携帯電話１００の機能ブロック構成が示されている。
【０１３１】
第一の実施形態の携帯電話１０の場合と同様に、携帯電話１００は、第１部分１１１と、該第１部分１１１に対して、軸ＡＸ１を回転軸として回動可能な第２部分１１２とを備えている。また、第２部分１１２は、第１部分１１１の軸ＡＸ１に沿った両外側２箇所で、第１部分１１１と回動可能に結合されている。そして、第２部分１１２は、第１部分１１１側に配置された基台部１１５と、当該基台部１１５に対して、軸ＡＸ２を回転軸として回動可能な表示部１１６とを有している。したがって、第一の実施形態と同様に機構的な第１状態、図２９Ａ〜図２９Ｃに示される第２状態、図３０Ａ〜図３０Ｃに示される第３状態及び図３１Ａ〜図３１Ｃに示される第４状態の状態遷移が可能となっている。
【０１３２】
第１部分１１１は、図２７Ａ〜図２７Ｃ、及び、図２８に示されるように、第一の実施形態の場合と同様に、通信用操作部２１と、マイクロフォン２２と、カメラ用縦方向キー２３と、カメラ用横方向ダイアル２４と、カメラ用決定キー２５と、シャッタ２６と、サブディスプレイ３１と、案内用スピーカ３２と、撮像部３３と、アンテナ４１と、送受信部４２と、記憶部４３と、折りたたみ状態検出器４５とを備えている。そして、第１部分１１１は、（ａ）第４状態での通話に使用するためのマイクロフォン１０３（図２９Ａ参照）と、（ｂ）第一の実施形態の制御部４０とは、制御アルゴリズムを異にする制御部１４０（図２８参照）とを更に備えている。
【０１３３】
なお、制御部１４０は、ガイダンス表示の方向制御、及び、カメラ用光学系による撮影結果の表示については、上述した第一の実施形態における制御部１４と同様の制御を行うようになっている。
【０１３４】
また、表示部１１６は、図２７Ａに示されるように、第一の実施形態と同等の機能である、メインディスプレイ２８と、通話用スピーカ２９とを備え、更に、ゲーム機能使用時等に使用するボタンＡとボタンＢの２つから構成される表示面操作部１０１とを備えている。
【０１３５】
基台部１１５は、図２８に示されるように、第一の実施形態と同様に、表示部回転状態検出器４６を備える。そして、基台部１５の折りたたまれた際に第１部分１１１と対向する面の裏面側には、主に折りたたまれた状態での操作に用いられ、上下左右の４方向と中央の計５ヶ所で使用者の入力を感知することができる十字型キーである折りたたみ操作部１０２が配置されている。
【０１３６】
携帯電話１００は、電話機能及びカメラ機能の他に、メール機能、音楽やビデオを再生するマルチメディア機能、インターネットに接続して情報を取得するブラウザ機能、及び、ゲーム機能の利用が可能であるため、図３２Ａに示すように、非カメラモードには、電話機能、メール機能、マルチメディア機能、ブラウザ機能及びゲーム機能が含まれている。そして、どの機能で動作するかは利用者の指令によって切り替えられる。また、カメラ機能においては、図３２Ｂに示すように、音声着信時に、留守番電話機能を実行する留守録機能、及び、メール受信時に受信メールの内容を確認するメール内容確認機能を含んでいる。ここでは、音声着信時又はメール受信時のガイダンス表示に従って、利用者が操作することにより、各機能を切り替える。
【０１３７】
次に、制御部１４０によって制御される状態遷移について、図３３を参照しつつ、説明する。
【０１３８】
上述した機構的な第１状態（図２７Ａ〜図２７Ｃ参照）では、機構的な第２状態から第１状態に移行した場合、及び、第１状態で電源をＯＮした場合には、第一の実施形態と同様に、動作モードを非カメラモードとしている。また、機構的な第３状態のカメラモードから第１状態に移行した場合には、第一の実施形態と同様に、カメラモードとしている。第１状態での、非カメラモードとカメラモードは通信用操作部２１の操作により、相互に移行が可能である。また、第１状態の非カメラモードでは、図３２Ａに示されるように、電話機能、メール機能、マルチメディア機能、ブラウザ機能及びゲーム機能が、利用できる。これらの機能は、利用者が、通信用操作部２１を操作することにより、実行される。
【０１３９】
上述した機構的な第２状態（図２９Ａ〜図２９Ｃ参照）では、第一の実施形態と同様に、動作モードを非カメラモードとしている。この場合には、非カメラモードであるが、メインディスプレイ２８が内側に折りたたまれてなり、不可視であるために、通話その他の機能は利用できない。なお、第一の実施形態と同様に、第２部分１１２において光学的な機能を有する部品が一切配置されていない面が外面を構成しているので（図２９Ａ参照）、この面を接触面として机の上へ置いたとしても、携帯電話１００の光学的な機能を有する部材を傷をつけたり、汚れを付着させたりすることがない。
【０１４０】
また、上述した機構的な第３状態（図３０Ａ〜図３０Ｃ参照）では、第一の実施形態と同様に、動作モードをカメラモードとしている。しかし、後述するように、例外的に、第１状態又は第４状態で、アプリケーション実行中又は通信中のまま、第３状態に移行した場合には、非カメラモードのまま、第３状態になることを可能としている。この場合には、更に、第４状態又は第１状態に移行するまでは操作不可となる。
【０１４１】
また、上述した機構的な第４状態（図３１Ａ〜図３１Ｃ参照）では、第一の実施形態と同様に、第３状態から第４状態に変形させたときの動作モードをカメラモードとしている。しかし、図３１Ａに示されるように、メインディスプレイ２８だけでなく、表示面操作部１０１、及び、折りたたみ操作部１０２が、表面に出ているので、操作が可能となっている。そのため、利用者が、折りたたみ操作部１０２の十字型キーを操作して非カメラモードに移行し、更に、図３２Ａに示すような、電話機能、メール機能、マルチメディア機能、ブラウザ機能、及び、ゲーム機能の利用を可能としている。
【０１４２】
第４状態の電話機能では、利用者は、着信時には、発信元の電話番号をメインディスプレイ２８により確認し、折りたたみ操作部１０２の十字型キーの中央を押下することにより、応答する。通話は、通話用スピーカ２９及びマイクロフォン１０３を用いて行なわれる。また、発信時には、折りたたみ操作部１０２の十字型キーの上下を押下することにより、発信履歴及び着信履歴を参照することができ、また、折りたたみ操作部１０２の十字型キーの中央を押下することにより、電話帳の参照が可能となっている。利用者は、これらの参照された電話番号から選択することにより、発信を行う。なお、新規に電話番号を入力したい場合には、第１状態に変形し、通信用操作部２１のテンキーを使用して入力する。
【０１４３】
第４状態のメール機能では、メインディスプレイ２８、及び、折りたたみ操作部１０２の十字型キーを使用する。利用者は、当該十字型キーを操作することにより、携帯電話１００の記憶部４３に保存された受信メールを選択し、選択された受信メールの内容を、メインディスプレイ２８を介して、確認する。新しい内容のメールを作成する場合には、携帯電話１００の形状を第１状態に変えて、通信用操作部２１のテンキーを使用して作成する必要があるが、作成済みのメールを送信するのみ等のテンキーを使用しないで行える操作は、第４状態のまま行うことができる。
【０１４４】
第４状態のマルチメディア機能では、携帯電話１００の記憶部４３に保存された音楽ファイルやビデオファイルを再生する機能であり、メインディスプレイ２８、及び、折りたたみ操作部１０２の十字型キーを使用する。利用者は、当該十字型キーを操作することにより、携帯電話１００の記憶部４３に保存された音楽ファイルやビデオファイルを選択し、再生を指令する。なお、音楽ファイルやビデオファイルの名称を変更するなどのテンキーを必要とする操作の場合には、第１状態に変形し、通信用操作部２１のテンキーで操作する必要がある。
【０１４５】
第４状態のブラウザ機能では、メール機能、マルチメディア機能と同様、メインディスプレイ２８、及び、折りたたみ操作部１０２の十字型キーを使用する。ブラウザ起動後は、当該十字型キーの上下左右の適切な部分の押下を繰り返すことにより、画面に表示されたリンク先を示す文字列にカーソルを合わせ、当該十字型キーの中央を押下することにより、当該リンク先にジャンプする。なお、文字列の入力等、テンキーによる入力が必要な場合には、第１状態に変形して、通信用操作部２１のテンキーを用いて入力する必要がある。
【０１４６】
第４状態のゲーム機能では、メインディスプレイ２８、折りたたみ操作部１０２の十字型キー、及び、表示面操作部１０１のＡボタンとＢボタンを使用する。携帯電話１００の記憶部４３に保存されたゲームのアプリケーションを実行すると、十字型キー、及び、ＡボタンとＢボタンの機能が、ゲームのアプリケーションにより割り当てられる。利用者は、ゲームのアプリケーションにおいて所望の動作をさせるために、割り当てられた機能のキー又はボタンの操作を行う。
【０１４７】
ここで、携帯電話１００では、第４状態で非カメラモードとなることが可能であるため、利用者は、第４状態でアプリケーションの実行中、又は、通信中に、通信用操作部２１のテンキーを使用したい場合がある。そこで、利用者の便宜を図るため、図３３に示すように、アプリケーションの実行中、又は、通信中の場合には、第４状態から第３状態を経て、第１状態に移行することを可能としている。この場合、アプリケーション実行中又は通信中のまま、第３状態に移行した場合には、アプリケーション実行中又は通信中の状態は維持され、第３状態での操作は不可としている。また、逆に、第１状態で音楽等を再生した後に、第４状態のように折りたたまれた小さな状態で視聴したい場合もあることから、アプリケーションの実行中、又は、通信中の場合に、第１状態から第３状態を経て、第４状態に移行することも可能としている。
【０１４８】
次に、携帯電話１００がカメラモードで動作中に着信があった場合について説明する。
【０１４９】
まず、第１状態又は第４状態のカメラモードで、着信があった場合について、図３４のフローチャートにしたがって説明する。第１状態又は第４状態のカメラモードで着信があると、ステップＳ１０１において、メインディスプレイ２８に通話着信ガイダンスを表示する。ガイダンスの表示は図３５Ａに示すように、通話、転送、拒否、保留及び留守録が、折りたたみ操作部１０２の十字型キーにより選択できる旨を示している。図３４に戻り、ステップＳ１０２において、利用者が通話を選択した場合には、ステップＳ１０３において、制御部１４０は、動作モードを非カメラモードへと移行する。引き続き、制御部１４０は、ステップＳ１０４において、着信応答、通話及び切断までを実行する通話処理を行う。通話が終了し、切断されると、制御部１４０は、ステップＳ１０５において、カメラモードに移行し、元の状態へ戻る。
【０１５０】
一方、ステップＳ１０２において、転送、拒否及び留守録が選択された場合には、ステップＳ１０６において、それぞれ、転送、拒否及び留守録の処理が行われる。この場合には、非カメラモードへの移行は行われない。また、ステップＳ１０２において、保留が選択された場合には、制御部１４０は、ステップＳ１０７において、保留処理を行う。利用者が通話できる状態になり、ステップ１０８において、通話指令が行われたか否かが判定がされる。この判定結果が肯定的な場合には、ステップＳ１０３〜ステップＳ１０５の処理を行うこととなる。
【０１５１】
また、ステップＳ１０８における判定結果が否定的な場合には、ステップＳ１０９へ移行し、発呼側から切断された場合、つまり携帯電話１０に電話をかけてきた側から、通信網を介して携帯電話１０に保留された呼の切断を通知された場合、及び、着呼側で切断された場合、つまり携帯電話１０で保留された呼を切断した場合、のいずれかの場合であるかどうかが判定される。ステップＳ１０９での判定が肯定的な場合には、元の状態である第1状態、第４状態のカメラモードへ移行する。一方、否定的な場合には、ステップＳ１０８及びステップＳ１０９の処理を繰り返す。
【０１５２】
次に、第３状態のカメラモードで、着信があった場合について、図３６のフローチャートにしたがって説明する。第３状態のカメラモードで着信があった場合には、制御部１４０は、ステップＳ２０１において、メインディスプレイ２８に通話着信ガイダンスを表示する。ガイダンスの表示では、図３５Ｂに示すように、転送、拒否、保留及び留守録の選択が折りたたみ操作部１０２の十字型キーにより選択できる旨、及び、通話の場合には形状を変更する必要がある旨が示される。
【０１５３】
引き続き、ステップＳ２０２において、利用者が、転送、拒否、留守録の選択した場合には、制御部１４０は、ステップＳ２０５において、それぞれ、転送、拒否及び留守録の処理を行う。また、ステップＳ２０２において、指令がない場合には、制御部１４０は、ステップＳ２０３において、携帯電話１００の形状を確認する。利用者が、携帯電話１００を変形して、第１状態又は第４状態になっていた場合には、制御部１４０は、図３４のステップＳ１００である「第１状態又は第４状態のカメラモードの着信」と同じ処理を行う。変形せずに第３状態を維持している場合には、Ｓ２０２及びＳ２０３の処理を繰り返す。
【０１５４】
また、ステップＳ２０２において、保留の選択をした場合には、制御部１４０は、メインディスプレイ２８からガイダンス表示を消去し、ステップＳ２０２及びステップＳ２０３の処理を繰り返す。利用者が通話できる状態になったところで、形状を変更することにより、制御部１４０は、ステップＳ２０３から、図３４のステップＳ１００である「第１状態又は第４状態のカメラモードの着信」の処理を行うことにより、通話を可能とする。
【０１５５】
次に、カメラモードで動作中に、メールの受信があった場合の処理について、図３７に従って、説明する。制御部１４０は、ステップＳ３０１において、メインディスプレイ２８にメール受信ガイダンスを表示する。ガイダンスの表示では、図３８に示すように、受信メールの表示を行うかどうかの選択が、折りたたみ操作部１０２の十字型キーの中央の押下により選択できる旨が示される。ここで、利用者は、ステップＳ３０２において、受信メールの表示を行うかどうかの選択を行う。この選択が肯定的な場合には、制御部１４０は、ステップＳ３０３において、受信メール表示処理をおこなう。否定的な場合には、受信メールの表示処理はおこなわず、メール受信時の処理を終了する。
【０１５６】
以上説明したように、第二の実施形態では、第一の実施形態と同様の効果を奏する。
【０１５７】
更に、第二の実施形態では、カメラモードで動作しているときであっても、メール受信があった際には、その旨を利用者に通知し、利用者は、携帯電話の形状を変えずに、その受信したメールの内容を確認することができるので、利用者は、受信したメールに対して、簡易に適切な処置をとることができる。
【０１５８】
また、カメラモードで動作しているときであっても、通話着信があった際には、利用者は携帯電話の形状を変えずに、切断や留守録等の措置を行え、更に、第１状態及び第４状態のどちらの形状であっても、通話することが可能なため、利用者は、より簡易な操作で、通話着信に対して、適切な処理を行うことができる。
【０１５９】
また、第２部分１１２は、第１部分１１１の第１軸ＡＸ１に沿った少なくとも両外側２箇所で、第１部分１１１と、結合されているため、第２部分１１２は、第１部分１１１との接続部分において、第１軸ＡＸ１方向の幅を十分にとることができる。これにより、第２部分１１２に十分な強度を保つことができ、更に第２部分１１２により多くの機能を備えることができる。
【０１６０】
なお、上記第二の実施形態においては、表示される通話着信ガイダンス及びメール受信ガイダンスは、メインディスプレイ２８に単に表示されることとしたが、第一の実施形態と同様、透過表示されることとしてもよい。
【０１６１】
また、上記第二の実施形態においては、表示面操作部はゲーム機能にのみ使用していたが、他の機能に使用することとしてもよい。
【０１６２】
また、上記第二の実施形態においては、折りたたみ操作部及び表示面操作部は、それぞれ十字型キー及びボタンとしていたが、他の形状や他の機能をもつ入力装置としてもよい。
【０１６３】
また、上記第二の実施形態においては、第２状態及び第３状態において通話できないこととしたが、第２状態及び第３状態においても通話可能としてもよい。
【０１６４】
また、上記第二の実施形態においては、上述した第一の実施形態に対する変形例と同等の変形例を適宜行うことがきる。
【産業上の利用可能性】
【０１６５】
以上のように、本発明は、移動通信端末装置におけるデジタルカメラ機能の実装に際して有用である。特に、デジタルカメラ機能付移動通信端末装置におけるデジタルカメラを利用する際の利用者の利便性を向上に適している。
【図面の簡単な説明】
【０１６６】
【図１Ａ】図１Ａは、本発明の第一の実施形態に係るデジタルカメラ機能付携帯電話の第１状態における外観構成を概略的に示す正面図である。
【図１Ｂ】図１Ｂは、本発明の第一の実施形態に係るデジタルカメラ機能付携帯電話の第１状態における外観構成を概略的に示す側面図である。
【図１Ｃ】図１Ｃは、本発明の第一の実施形態に係るデジタルカメラ機能付携帯電話の第１状態における外観構成を概略的に示す背面図である。
【図２】図２は、本発明の第一の実施形態に係るデジタルカメラ機能付携帯電話の突出部にカメラ用光学系が収納されていることを示す図である。
【図３】図３は、本発明の第一の実施形態に係るデジタルカメラ機能付携帯電話の機能ブロック図である。
【図４Ａ】図４Ａは、本発明の第一の実施形態に係るデジタルカメラ機能付携帯電話の第２状態における外観構成を概略的に示す正面図である。
【図４Ｂ】図４Ｂは、本発明の第一の実施形態に係るデジタルカメラ機能付携帯電話の第２状態における外観構成を概略的に示す側面図である。
【図４Ｃ】図４Ｃは、本発明の第一の実施形態に係るデジタルカメラ機能付携帯電話の第２状態における外観構成を概略的に示す背面図である。
【図５Ａ】図５Ｃは、本発明の第一の実施形態に係るデジタルカメラ機能付携帯電話の第３状態における外観構成を概略的に示す正面図である。
【図５Ｂ】図５Ｃは、本発明の第一の実施形態に係るデジタルカメラ機能付携帯電話の第３状態における外観構成を概略的に示す側面図である。
【図５Ｃ】図５Ｃは、本発明の第一の実施形態に係るデジタルカメラ機能付携帯電話の第３状態における外観構成を概略的に示す背面図である。
【図６Ａ】図６Ａは、本発明の第一の実施形態に係るデジタルカメラ機能付携帯電話の第４状態における外観構成を概略的に示す正面図である。
【図６Ｂ】図６Ｂは、本発明の第一の実施形態に係るデジタルカメラ機能付携帯電話の第４状態における外観構成を概略的に示す側面図である。
【図６Ｃ】図６Ｃは、本発明の第一の実施形態に係るデジタルカメラ機能付携帯電話の第４状態における外観構成を概略的に示す背面図である。
【図７】図７は、本発明の第一の実施形態における第１〜第４状態の相互間の遷移を機能遷移とともに説明するための図である。
【図８Ａ】図８Ａは、本発明の第一の実施形態における第４状態のカメラモードにおけるガイダンス表示を説明するための図である。
【図８Ｂ】図８Ｂは、本発明の第一の実施形態における第４状態のカメラモードにおけるガイダンス表示を説明するための図である。
【図９】図９は、本発明の第一の実施形態における非カメラモードである通信モード時における通話着信に対する処理を説明するためのフローチャートである。
【図１０】図１０は、本発明の第一の実施形態における第１状態のカメラモードにおける通話着信に対する処理を説明するためのフローチャートである。
【図１１Ａ】図１１Ａは、本発明の第一の実施形態における第３状態のカメラモードにおける通話着信に対する処理を説明するためのフローチャートである。
【図１１Ｂ】図１１Ｂは、本発明の第一の実施形態における第１状態の通信モードにおける着信処理を説明するためのフローチャートである。
【図１２】図１２は、本発明の第一の実施形態における第３状態のカメラモードにおける通話着信時の表示例を示す図である。
【図１３】図１３は、本発明の第一の実施形態における第４状態のカメラモードにおける通話着信に対する処理を説明するためのフローチャートである。
【図１４】図１４は、本発明の第一の実施形態における第４状態のカメラモードにおける通話着信時の表示例を示す図である。
【図１５】図１５は、本発明の第一の実施形態における非カメラモードである通信モードにおけるＥメール着信に対する処理を説明するためのフローチャートである。
【図１６】図１６は、本発明の第一の実施形態におけるカメラモードにおけるＥメール着信に対する処理を説明するためのフローチャートである。
【図１７Ａ】図１７Ａは、第１部分における突出部の位置の第１の変形例を示す側面図である。
【図１７Ｂ】図１７Ｂは、第１部分における突出部の位置の第１の変形例を示す正面図である。
【図１８Ａ】図１８Ａは、第１部分における突出部の位置の第２の変形例を示す側面図である。
【図１８Ｂ】図１８Ｂは、第１部分における突出部の位置の第２の変形例を示す正面図である。
【図１９】図１９は、第１部分における突出部の位置の第３の変形例を示す図である。
【図２０Ａ】図２０Ａは、第２軸が、第１軸に垂直である場合における第１の変形例の第４状態を示す図である。
【図２０Ｂ】図２０Ｂは、第２軸が、第１軸に垂直である場合における第１の変形例の第２状態を示す図である。
【図２１Ａ】図２１Ａは、第２軸が、第１軸に垂直である場合における第２の変形例の第４状態を示す図である。
【図２１Ｂ】図２１Ｂは、第２軸が、第１軸に垂直である場合における第２の変形例の第２状態を示す図である。
【図２２Ａ】図２２Ａは、第２軸が、第１軸に平行である場合における第１の変形例の第４状態を示す図である。
【図２２Ｂ】図２２Ｂは、第２軸が、第１軸に平行である場合における第１の変形例の第２状態を示す図である。
【図２３Ａ】図２３Ａは、第２軸が、第１軸に平行である場合における第２の変形例の第４状態を示す図である。
【図２３Ｂ】図２３Ｂは、第２軸が、第１軸に平行である場合における第２の変形例の第２状態を示す図である。
【図２４Ａ】図２４Ａは、第２軸が、第１軸に平行である場合における第３の変形例の第４状態を示す図である。
【図２４Ｂ】図２４Ｂは、第２軸が、第１軸に平行である場合における第３の変形例の第２状態を示す図である。
【図２５Ａ】図２５Ａは、第２軸が、第１軸に平行である場合における第４の変形例の第４状態を示す図である。
【図２５Ｂ】図２５Ｂは、第２軸が、第１軸に平行である場合における第４の変形例の第２状態を示す図である。
【図２６Ａ】図２６Ａは、カメラ用光学系の光軸が、操作面に垂直である場合における変形例の第４状態を示す側面図である。
【図２６Ｂ】図２６Ｂは、カメラ用光学系の光軸が、操作面に垂直である場合における変形例の第４状態を示す正面図である。
【図２７Ａ】図２７Ａは、本発明の第二の実施形態に係る携帯電話の第１状態における外観構成を概略的に示す正面図である。
【図２７Ｂ】図２７Ｂは、本発明の第二の実施形態に係る携帯電話の第１状態における外観構成を概略的に示す側面図である。
【図２７Ｃ】図２７Ｃは、本発明の第二の実施形態に係る携帯電話の第１状態における外観構成を概略的に示す背面図である。
【図２８】図２８は、本発明の第二の実施形態に係る携帯電話の機能ブロック図である。
【図２９Ａ】図２９Ａは、本発明の第二の実施形態に係る携帯電話の第２状態における外観構成を概略的に示す正面図である。
【図２９Ｂ】図２９Ｂは、本発明の第二の実施形態に係る携帯電話の第２状態における外観構成を概略的に示す側面図である。
【図２９Ｃ】図２９Ｃは、本発明の第二の実施形態に係る携帯電話の第２状態における外観構成を概略的に示す背面図である。
【図３０Ａ】図３０Ａは、本発明の第二の実施形態に係る携帯電話の第３状態における外観構成を概略的に示す正面図である。
【図３０Ｂ】図３０Ｂは、本発明の第二の実施形態に係る携帯電話の第３状態における外観構成を概略的に示す側面図である。
【図３０Ｃ】図３０Ｃは、本発明の第二の実施形態に係る携帯電話の第３状態における外観構成を概略的に示す背面図である。
【図３１Ａ】図３１Ａは、本発明の第二の実施形態に係る携帯電話の第４状態における外観構成を概略的に示す正面図である。
【図３１Ｂ】図３１Ｂは、本発明の第二の実施形態に係る携帯電話の第４状態における外観構成を概略的に示す側面図である。
【図３１Ｃ】図３１Ｃは、本発明の第二の実施形態に係る携帯電話の第４状態における外観構成を概略的に示す背面図である。
【図３２Ａ】図３２Ａは、本発明の第二の実施形態における、非カメラモード内の状態遷移を説明するための図である。
【図３２Ｂ】図３２Ｂは、本発明の第二の実施形態における、カメラモード内の状態遷移を説明するための図である。
【図３３】図３３は、本発明の第二の実施形態における、第１〜第４状態の相互間の状態遷移を説明するための図である。
【図３４】図３４は、本発明の第二の実施形態における第１状態又は第４状態のカメラモードにおける通話着信に対する処理を説明するためのフローチャートである。
【図３５Ａ】図３５Ａは、本発明の第二の実施形態における第１状態又は第４状態のカメラモードにおける通話着信時の表示例を示す図である。
【図３５Ｂ】図３５Ｂは、本発明の第二の実施形態における第３状態における通話着信時の表示例を示す図である。
【図３６】図３６は、本発明の第二の実施形態における第３状態における通話着信に対する処理を説明するためのフローチャートである。
【図３７】図３７は、本発明の第二の実施形態におけるカメラモード時におけるメール受信に対する処理を説明するためのフローチャートである。
【図３８】図３８は、本発明の第二の実施形態におけるカメラモード時におけるメール受信時の表示例を示す図である。
【手続補正２】
【補正対象書類名】特許請求の範囲
【補正対象項目名】全文
【補正方法】変更
【補正の内容】
【特許請求の範囲】
【請求項１】
第１部分と第２部分とが、第１軸を回転軸として相対的に回動可能に結合されることにより、折りたたみ可能に構成されたデジタルカメラ機能付の移動通信端末装置であって、
前記第1部分は、
カメラ用光学系と；
前記第１軸と平行であり、折りたたまれた際、第２部分と対向する操作面を有する操作入力部と；を備え、
前記第２部分は、
前記第１部分と回動可能に結合されている部分を備える基台部と；
表示デバイスを有し、前記表示デバイスの表示面に平行な第２軸を回転軸として、前記基台部に対して少なくとも１８０度回動可能に前記基台部と結合された表示部と；を備え、
前記第２部分は、前記第１部分の前記第１軸に沿った少なくとも両外側２箇所で、前記第１部分と、結合されている。
【請求項２】
請求項１に記載の移動通信端末装置において、
前記第２軸は、第1軸に対して垂直である。
【請求項３】
請求項１に記載の移動通信端末装置において、
前記第１部分は、前記操作面の垂直方向に突出し、前記カメラ用光学系を収納する突出部を更に備える。
【請求項４】
請求項１に記載の移動通信端末装置において、
前記カメラ用光学系の光軸は、前記操作面に平行である。
【請求項５】
請求項１に記載の移動通信端末装置において、
前記カメラ用光学系の光軸は、前記操作面に垂直である。
【請求項６】
請求項５に記載の移動通信端末装置において、
前記第２軸を回転軸とする前記基台部に対する前記表示部の回転状態を検出する表示部回転状態検出器と；
表示部回転状態検出器が、前記表示面が前記操作面に対向しない向きである表示部回転状態となったことを検出した場合には、動作モードをカメラモードとする制御部と；を更に備える。
【請求項７】
請求項６に記載の移動通信端末装置において、
前記第１軸を回転軸として折りたたまれた状態である折りたたみ状態、又は、展開された状態である展開状態を検出する折りたたみ状態検出器を更に備える。
【請求項８】
請求項７に記載の移動通信端末装置において、
前記表示部回転状態であって、前記折りたたみ状態検出器が、前記展開状態となったことを検出した場合には、前記第１軸に垂直な方向を前記表示デバイスの縦方向としてガイダンス表示を行い、
前記表示部回転状態であって、前記折りたたみ状態検出器が、前記折りたたみ状態となったことを検出した場合には、前記第１軸に垂直の方向を前記表示デバイスの横方向として、前記ガイダンス表示を行い、
前記制御部は、利用者の指令に応じて、前記第１軸に垂直の方向を前記表示デバイスの縦方向とするか横方向とするかを変更し、前記ガイダンス表示を行う。
【請求項９】
請求項７に記載の移動通信端末装置において、
前記制御部は、カメラモードで動作中に、前記表示デバイスにガイダンスを透過表示させる。
【請求項１０】
請求項７に記載の移動通信端末装置において、
前記制御部は、カメラモードで動作中に、メール受信があった場合には、前記メール受信があった旨を利用者に通知し、利用者の指令により、内容を表示する。
【請求項１１】
請求項７に記載の移動通信端末装置において、
前記制御部は、カメラモードで動作中に、着信があった場合には、前記着信があった旨を利用者に通知する。
【請求項１２】
請求項７に記載の移動通信端末装置において、
前記制御部は、前記展開状態、かつ、前記表示面が前記操作面に対向する向きである表示部非回転状態で電源が投入された場合には、前記制御部は、動作モードを非カメラモードとする。
【請求項１３】
請求項７に記載の移動通信端末装置において、
前記表示部回転状態であり、かつ、前記展開状態のカメラモードで動作中の場合には、前記制御部は、画像の左右を反転させて表示させる。
【請求項１４】
請求項７に記載の移動通信端末装置において、
前記制御部は、前記表示面が前記操作面に対向する向きである表示部非回転状態にあるときに、前記折りたたみ状態検出器が、前記折りたたみ状態になったことを検出すると、動作モードを非カメラモードとする。
【請求項１５】
請求項１４に記載の移動通信端末装置において、
前記制御部は、前記折りたたみ状態の非カメラモードから、前記第１軸を回転軸として展開することにより、前記折りたたみ状態検出器が前記展開状態になったことを検出すると、動作モードを非カメラモードとする。
【請求項１６】
請求項７に記載の移動通信端末装置において、
基台部における、折りたたまれた際に前記操作面に対向する面の裏面側に、折りたたまれた際に操作を行う折りたたみ操作部を備える。
【請求項１７】
請求項１６に記載の移動通信端末装置において、
前記制御部は、前記表示部回転状態かつ前記折りたたみ状態である場合に、利用者の前記折りたたみ操作部を介した指令に応じて、音声通信の制御を行う。
【請求項１８】
請求項１６に記載の移動通信端末装置において、
前記表示部の表示面側に表示面操作部を備え、前記制御部は、前記表示部回転状態かつ前記折りたたみ状態である場合に、前記折りたたみ操作部及び前記表示面操作部の少なくとも一方を介した利用者の指令に応じて、ゲーム機能を実行する。
【請求項１９】
請求項７に記載の移動通信端末装置において、
前記制御部は、前記展開状態のカメラモードのときに、前記表示部回転状態検出器が前記表示面が前記操作面に対向する向きである表示部非回転状態になったことを検出すると、動作モードをカメラモードとする。
【請求項２０】
請求項１９に記載の移動通信端末装置において、
前記制御部は、前記表示部非回転状態であり、かつ、前記展開状態のカメラモードとなった場合には、前記第１軸に垂直な方向を前記表示デバイスの縦方向として、ガイダンス表示を行い、
前記表示部非回転状態であり、かつ、前記展開状態のカメラモードで動作中の場合には、前記制御部は、利用者の指令に応じて、前記第１軸に垂直の方向を前記表示デバイスの縦方向とするか横方向とするかを変更し、前記ガイダンス表示を行う。
【請求項２１】
請求項１９に記載の移動通信端末装置において、
前記制御部は、前記表示部非回転状態であり、かつ、前記展開状態のカメラモードで動作中に着信し、前記着信に係る通信処理のために動作モードが非カメラモードとなり、当該通信処理が終了した場合には動作モードを、カメラモードにする。
【請求項２２】
第１部分と第２部分とが、第１軸を回転軸として相対的に回動可能に結合されることにより、折りたたみ可能に構成されたデジタルカメラ機能付の移動通信端末装置であって、
前記第1部分は、
カメラ用光学系と；
前記第１軸と平行であり、折りたたまれた際、第２部分と対向する操作面を有する操作入力部と；を備え、
前記第２部分は、
前記第１部分と回動可能に結合されている部分を備える基台部と；
表示デバイスを有し、前記表示デバイスの表示面に平行な第２軸を回転軸として、前記基台部に対して少なくとも１８０度回動可能に前記基台部と結合された表示部と；を備え、
前記第１部分の前記第２部分に対する回動の状態、及び、前記表示部の前記基台部に対する回動の状態に応じて、動作モードの切替えを行う。
【請求項２３】
請求項２２に記載の移動通信端末装置において、
前記第２軸を回転軸とする前記基台部に対する前記表示部の回転状態を検出する表示部回転状態検出器と；
前記第１軸を回転軸として折りたたまれた状態である折りたたみ状態、又は、展開された状態である展開状態を検出する折りたたみ状態検出器と；
前記表示面が前記操作面に対向しない向きである表示部回転状態であるときに、前記折りたたみ状態検出器が、前記折りたたみ状態となったことを検出した場合には、動作モードをカメラモードとする制御部と；を更に備える。
【請求項２４】
請求項２３に記載の移動通信端末装置において、
前記制御部は、前記表示部回転状態検出器が、前記表示部回転状態となったことを検出した場合には、動作モードをカメラモードとする。
【請求項２５】
請求項２３に記載の移動通信端末装置において、
前記制御部は、前記表示面が前記操作面に対向する向きである表示部非回転状態にあるときに、前記折りたたみ状態検出器が、前記折りたたみ状態になったことを検出すると、動作モードを非カメラモードとし、
前記制御部は、前記表示部非回転状態であるときに、前記折りたたみ状態検出器が、前記展開状態となったことを検出した場合には、動作モードを非カメラモードとする。
【請求項２６】
請求項２３に記載の移動通信端末装置において、
前記制御部は、前記展開状態のカメラモードのときに、前記表示部回転状態検出器が、前記表示面が前記操作面に対向する向きである表示部非回転状態になったことを検出した場合には、動作モードをカメラモードとする。
【手続補正書】
【提出日】平成18年5月19日(2006.5.19)
【手続補正１】
【補正対象書類名】明細書
【補正対象項目名】全文
【補正方法】変更
【補正の内容】
【発明の詳細な説明】
【技術分野】
【０００１】
本発明は、移動通信端末装置に関する。さらに詳しくは、折りたたみ可能なデジタルカメラ機能付の移動通信端末装置に関する。
【背景技術】
【０００２】
従来から、携帯電話等の移動通信端末装置が広く普及している。こうした移動通信端末装置の機能や性能の向上は目覚しく、移動通信端末装置としての必須機能である通話機能やＥメールの送受信機能に加えて、デジタルカメラ機能を有するものが登場してきている。こうしたデジタルカメラ機能付携帯電話には、テンキー等が配列された操作部を有する第１部分と、ＬＣＤ（Liquid Crystal Display）表示装置等を含む表示部を有する第２部分とを備えているものがある。
【０００３】
このようなデジタルカメラ機能付携帯電話としては、操作部における上記テンキー等の配列される操作面と表示部における表示面とを平行に維持しつつ、当該両面に対して垂直な軸を回転軸として、第１部分に対して第２部分を回転させることにより、第１部分と第２部分とを重ね合わせたり展開したりするリボルバー型のもの（以下、「従来例１」と呼ぶ）がある。このリボルバー型のデジタルカメラ機能付携帯電話では、第１部分における操作面とは反対側にカメラ用光学系が配置されている。そして、デジタルカメラ動作モードに設定されると、表示部の表示面がファインダとして機能し、カメラ用光学系により撮影された像が表示面に表示されるようになっている。また、第１部分と第２部分とが重なる状態においても、通常の着信やジョグダイアル等からの発信を可能とするため、ファンクションキー等の一部を第２部分に配置している。
【０００４】
また、同様な第１部分と第２部分を備えるデジタルカメラ機能付携帯電話として、操作面と表示面の両面に平行な軸を回転軸として、第１部分に対して第２部分を回転するクラムシェル型のもの（以下、「従来例２」と呼ぶ）もある。このクラムシェル型のデジタルカメラ機能付携帯電話においても、第１部分における操作面とは反対側又は第２部分におけるメインディスプレイの配置面の反対側にカメラ用光学系が配置されている。そして、第１部分に対して第２部分が折りたたまれた状態でデジタルカメラ動作モードに設定されると、第２部分におけるメインディスプレイの配置面とは反対側の面に配置されたサブディスプレイの表示面がファインダとして機能し、カメラ用光学系により撮影された像がサブディスプレイの表示面の長手方向を横方向として表示されるようになっている。なお、このクラムシェル型のデジタルカメラ機能付携帯電話は、第１部分に対して第２部分を展開した状態でもカメラ機能による撮像が可能となっている。この場合には、メインディスプレイの表示面がファインダとして機能する。
【発明の開示】
【発明が解決しようとする課題】
【０００５】
上述した従来例１及び従来例２のデジタルカメラ機能付携帯電話では、第１部分と第２部分が重なった状態において、一方の面側にカメラ用光学系のレンズが配置されているとともに、他方の面側にディスプレイの表示面が配置されることになる。このため、第１部分に対して第２部分が重なった状態で、例えば机上に安定した状態で載置すると、カメラ用光学系のレンズ又はディスプレイの表示面が机の面と接触することになる。これは、カメラ用光学系のレンズやディスプレイの表示面がガラス等で保護されていたとしても、その保護ガラス等に汚れが付着したり傷がはいったりする原因となる。こうした保護ガラス等の汚れや傷は、撮像又は表示された画像の観察に悪影響を及ぼすことになる。
【０００６】
また、従来例１のデジタルカメラ機能付携帯電話では、表示画面が常に外部から見ることができる状態となっている。このため、個人情報である通信関連の情報や利用者の個人的な趣味感により設定される壁紙模様等の秘匿性が、クラムシェル型の携帯電話と比べて確保しにくい。さらに、第１部分と第２部分とが重なりあった場合において、通常の着信やジョグダイアル等からの発信を可能とするため、ファンクションキーの一部を第２部分に配置している。そのため、テンキー等を操作するために第１部分と第２部分を重なり合っていない状態としたときに、操作キーが第１部分と第２部分との双方に配置されていることとなるため、操作性がよいとはいい難かった。
【０００７】
また、従来例２のデジタルカメラ機能付携帯電話では、第１部分に対して第２部分を折りたたんだ状態で、通常のデジタルカメラとして機能することができるが、その場合には、メインディスプレイの反対側の面に配置されたサブディスプレイの表示面がファインダとして機能することになる。このサブディスプレイは、移動通信端末装置が展開された状態において使用されるメインディスプレイと比べて、一般に表示領域の大きさや表示精細度及び動画に対する応答性において劣る。このため、移動通信端末装置が折りたたまれた状態でデジタルカメラとして機能する場合には、撮像画像を決定するためのファインダ表示性能が十分であるとはいい難かった。
【０００８】
本発明は、上記の事情を鑑みてなされたものであり、利用者の利便性を向上することができるデジタルカメラ機能付移動通信端末装置を提供することを目的とする。
【課題を解決するための手段】
【０００９】
本発明は、第１の観点からすると、第１部分と第２部分とが、第１軸を回転軸として相対的に回動可能に結合されることにより、折りたたみ可能に構成されたデジタルカメラ機能付の移動通信端末装置である。
【００１０】
ここで、前記第1部分は、前記第１軸と平行であり、折りたたまれた際、第２部分と対向する操作面を有する操作入力部と、前記操作面に垂直な光軸を有するカメラ用光学系とを備える。また、前記第２部分は、前記第１部分と回動可能に結合されている部分を備える基台部と、表示デバイスを有し、前記表示デバイスの表示面に平行な第２軸を回転軸として、前記基台部に対して少なくとも１８０度回動可能に前記基台部と結合された表示部を備え、前記第２部分は、前記第１部分の前記第１軸に沿った少なくとも両外側２箇所で、前記第１部分と、結合されている。
【００１１】
また、本発明の移動通信端末装置は、前記第２軸を回転軸とする前記基台部に対する前記表示部の回転状態を検出する表示部回転状態検出器と；表示部回転状態検出器が、折りたたまれた際に前記表示面が前記操作面に対向しない向きである表示部回転状態となったことを検出した場合には、動作モードをカメラモードとする制御部と；を更に備えている。
【００１２】
この移動通信端末装置においては、第１部分に対する第２部分の第１軸周りの回転と、第２部分における基台部に対する表示部の第２軸周りの回転という２種類の回転に関するそれぞれ２種類の状態を組み合わせることにより、機構的に４種類の状態を現出させる。
【００１３】
すなわち、この移動通信端末装置は、移動通信端末装置が折りたたまれておらず、かつ、表示部が回転していない（移動通信端末装置を折りたたんだときに表示面が操作面に対向する向きである）第１状態と、移動通信端末装置が折りたたまれており、かつ、表示部が回転していない第２状態と、移動通信端末装置が折りたたまれておらず、かつ、表示部が回転している（移動通信端末装置を折りたたんだときに表示面の反対側の面が操作面に対向する向きである）第３状態と、移動通信端末装置が折りたたまれており、かつ、表示部が回転している第４状態との４種類の状態をとることができる。
【００１４】
このため、上記の４状態それぞれについて、状態の遷移を考慮しつつ、動作モードとしてカメラモードや「待ち受け」や「通話中」等の状態を含む非カメラモードを原則的には自動的に割り振る。具体的には、表示部における表示を見ながら行う通信用操作部のキーを操作して行う通信用操作に適さないが、表示デバイスが外面側となっておりファインダとして有効に機能できる第３状態又は第４状態にあることを表示部回転状態検出器が検出する。そして、この検出結果を受けた制御部が、表示部をファインダとして用いるカメラモードを動作モードに自動的に設定する。そして、必要に応じて動作モードを適宜変更可能とすることとして、利用者による動作モードの設定を最小限とすることができる。
【００１５】
また、上記の第２状態においては、表示部を回転することができるため、表示デバイスの表示面とは反対側の面又は基台部にサブの表示デバイスを配置しない構成とすることができる。この結果、例えば、机上に載置する場合に、この面を机面との接触面とすれば、受光や表示のための部品又はそれらの保護部材に、机面との接触に起因する汚れや傷を防止することができる。
【００１６】
また、第１部分と第２部分とは、クラムシェル型で折りたたみ可能となっているので、通信用の操作キーの全てが第１部分における操作面に配置することができ、操作時の操作性を確保することができる。
【００１７】
さらに、表示部が外面側とはならない上記の第２状態を実現できるので、個人情報である通信関連の情報や利用者の個人的な趣味感により設定される壁紙模様等の秘匿性を確保することができる。
【００１８】
また、前記第２部分は、前記第１部分の前記第１軸に沿った少なくとも両外側２箇所で、前記第１部分と、結合されているため、第２部分は、第１部分との接続部分において、第１軸方向の幅を十分にとることができる。これにより、第２部分に十分な強度を保つことができ、更に第２部分により多くの機能を備えることができる。
【００１９】
ここで、本発明の移動通信端末装置では、第２軸は、第1軸に対して垂直とすることができる。
【００２０】
また、本発明の移動通信端末装置では、第１部分は、操作面の垂直方向に突出し、カメラ用光学系を収納する突出部を更に備えることができる。これにより、第１部分における第２部分との接続部等を利用した操作面に垂直方向に突出した突出部に、より大きなカメラ用光学系を収納するスペースを確保することにより、高性能なカメラを備えることができる。
【００２１】
さらに、この移動通信端末装置では、第１軸を回転軸として折りたたまれた状態である折りたたみ状態、又は、展開された状態である展開状態を検出する折りたたみ状態検出器を更に備えることができる。この場合には、表示部回転状態検出器が第３状態又は第４状態にあることを検出しているとき、折りたたみ状態検出器が、第３状態又は第４状態のいずれにあるかを検出する。そして、第３状態にあると検出されたときには、表示デバイスの表示面とカメラ光軸が同じ方向を向いており、自分自身を撮影するためのカメラモードで動作する。また、第４状態にあると検出されたときには、表示デバイスの表示面とカメラ撮像部の視野方向が反対方向を向いており、相手方を撮影するためのカメラモードで動作する。
【００２２】
ここで、表示部回転状態であって、折りたたみ状態検出器が、移動通信端末装置が展開状態となったことを検出した場合には、前記第１軸に垂直な方向を前記表示デバイスの縦方向としてガイダンス表示を行うことができる。また、表示部回転状態であって、折りたたみ状態検出器が、移動通信端末装置が折りたたみ状態となったことを検出した場合には、前記第１軸に垂直の方向を前記表示デバイスの横方向として、前記ガイダンス表示を行うことができる。更に、制御部は、利用者の指令に応じて、第１軸に垂直の方向を前記表示デバイスの縦方向とするか横方向とするかを変更し、ガイダンス表示を行うことができる。ここで、「ガイダンス表示」とは、表示デバイスに表示される利用者の操作を助けるための表示のことであり、通話着信表示やＥメール受信表示等のイベント案内表示も含まれる。カメラモードで移動通信端末装置を使用する場合に、ガイダンス表示を横方向として利用するかは、原則的として、移動通信端末装置の形状により設定されるが、最終的に利用者により決定することができる。したがって、利用者の指令に応じて、制御部はガイダンス表示の縦横を変更することができ、操作性を保つことができる。
【００２３】
また、カメラモードで動作中に、制御部は、前記表示デバイスにガイダンスを透過表示させることができる。この場合には、カメラモードで動作しているときに表示部の表示面の全面をファインダとして利用できるとともに、ファインダ表示画像を大きく損うことなく、利用者に伝達したいガイダンスを表示部に表示することができる。
【００２４】
また、制御部は、カメラモードで動作中に、メール受信があった場合には、メール受信があった旨を利用者に通知し、利用者の指令により、内容を表示することができる。この場合には、カメラモードで動作しているときであっても、メール受信があった際には、その旨を利用者に通知し、利用者の判断により、その受信したメールの内容を確認することができるので、利用者は、受信したメールに対して、簡易に適切な処置をとることができる。
【００２５】
また、制御部は、カメラモードで動作中に、着信があった旨を利用者に通知することができる。この場合には、カメラモードで動作しているときであっても、着信を検出した場合には、着信があった旨を利用者に通知するので、着信に対して適切な処置を利用者が直ちにとることができる。
【００２６】
また、制御部は、展開状態、かつ、表示面が操作面に対向する向きである表示部非回転状態で電源が投入された場合には、制御部は動作モードを非カメラモードとすることができる。この場合には、移動通信端末装置が第１状態であるときに、電源が投入されると、カメラモードではなく非カメラモードで動作する。ここで、「非カメラモード」とは、カメラモード以外のモードを意味し、「待ち受け」や「通話中」の状態だけでなく、メールやゲームのアプリケーションを実行している状態も含まれる。
【００２７】
また、表示部回転状態であり、かつ、展開状態のカメラモードで動作中の場合には、制御部は、画像の左右を反転させて表示させることができる。この場合には、自分を撮影するためのカメラモードであるため、表示デバイスの画面の左右反転を行い、鏡のように右側にあるものは右側、左側にあるものは左側に映る画面で表示することにより、利用者にわかりやすい撮影画面を提供する。
【００２８】
また、制御部は、表示部非回転状態にあるときに、折りたたみ状態検出器が、折りたたみ状態になったことを検出すると、動作モードを非カメラモードとする。この場合には、表示部回転状態検出器及び折りたたみ状態検出器により第２状態になったと検出されたとき、非カメラモードとなる。
【００２９】
ここで、制御部は、折りたたみ状態の非カメラモードから、第１軸を回転軸として移動通信端末装置を展開することにより、折りたたみ状態検出器が展開状態になったことを検出すると、動作モードを非カメラモードとする。この場合には、表示部回転状態検出器及び折りたたみ状態検出器により第２状態から第１状態になったことが検出されたとき、折りたたみ状態の非カメラモードから、表示部を通信用に用いる展開状態の非カメラモードに動作モードが切り換わる。
【００３０】
また、この移動通信端末装置は、基台部における、折りたたまれた際に操作面に対向する面の裏面側に、折りたたまれた際に操作を行う折りたたみ操作部を備えることができる。この場合には、折りたたまれた状態であっても、操作を行うことを可能としているため、利用者は移動通信端末装置を展開することなく、より簡易に操作を行うことができる。
【００３１】
さらに、制御部は、表示部回転状態かつ折りたたみ状態である場合には、利用者の折りたたみ操作部を介した指令に応じて、音声通信の制御を行う。この場合には、利用者は、折りたたまれた状態のまま、通話を行うことができる。
【００３２】
また、この移動通信端末装置は、表示部の表示面側に表示面操作部を備え、制御部は、表示部回転状態かつ折りたたみ状態である場合に、折りたたみ操作部及び表示面操作部の少なくとも一方を介した利用者の指令に応じて、ゲーム機能を実行する。この場合には、この移動通信端末装置は、表示部の表示面側にも利用者が操作可能な表示面操作部を備え、利用者は、表示面操作部及び折りたたみ操作部を操作することにより、ゲーム機能を利用することができる。
【００３３】
また、制御部は、展開状態のカメラモードのときに、表示部回転状態検出器が表示部非回転状態になったことを検出すると、動作モードを、カメラモードとする。この場合には、表示部回転状態検出器及び折りたたみ状態検出器により第３状態から第１状態になったことが検出されたとき、自分自身を撮影するための第３状態のカメラモードから、表示デバイスの表示面とカメラ撮像部の視野方向が反対方向を向いており、相手方を撮影するための第１状態のカメラモードに動作モードが切り換わる。
【００３４】
また、表示部非回転状態で、かつ、展開状態のカメラモードとなった場合には、第１軸に垂直な方向を表示デバイスの縦方向として、ガイダンス表示を行うことができる。更に、制御部は、表示部非回転状態で、かつ、展開状態のカメラモードの場合には、利用者の指令に応じて、第1軸に垂直方向を表示デバイスの縦方向とするか横方向とするかを変更し、ガイダンス表示を行うことができる。この場合には、カメラモードで移動通信端末装置を使用する場合に、ガイダンス表示を横方向として利用するかは、原則的として、移動通信端末装置の形状により設定されるが、最終的に利用者により決定することができる。したがって、利用者の指令に応じて、制御部はガイダンス表示の縦横を変更することができ、操作性を保つことができる。
【００３５】
また、制御部は、表示部非回転状態であり、かつ、展開状態のカメラモードのカメラモードで動作中に着信し、着信に係る通信処理のために動作モードが非カメラモードとなり、この通信処理が終了した場合には、動作モードをカメラモードにすることができる。この場合には、第１状態のカメラモードで動作しているときに着信を検出し利用者が応答した場合であっても、通信が終了した場合には、カメラモードに戻るので、利用者は引き続きカメラモードでの操作を行うことができる。
【００３６】
本発明は、第２の観点からすると、第１軸を回転軸として相対的に回動可能に結合されることにより、折りたたみ可能に構成された第１部分と第２部分とを備え、前記第1部分が、カメラ用光学系と；前記第１軸と平行であり、折りたたまれた際、第２部分と対向する操作面を有する操作入力部と；を備え、前記第２部分が、前記第１部分と回動可能に結合されている部分を備える基台部と；表示デバイスを有し、前記表示デバイスの表示面に平行な第２軸を回転軸として、前記基台部に対して少なくとも１８０度回動可能に前記基台部と結合された表示部と；を備え、前記第１部分の前記第２部分に対する回動の状態、及び、前記表示部の前記基台部に対する回動の状態に応じて、動作モードの切替えを行うデジタルカメラ機能付の移動通信端末装置であって、前記第２軸を回転軸とする前記基台部に対する前記表示部の回転状態を検出する表示部回転状態検出器と；前記第１軸を回転軸として折りたたまれた状態である折りたたみ状態、又は、展開された状態である展開状態を検出する折りたたみ状態検出器と；前記表示面が前記操作面に対向しない向きである表示部回転状態であるときに、前記折りたたみ状態検出器が、前記折りたたみ状態となったことを検出した場合には、動作モードをカメラモードとする制御部と；を更に備えることを特徴とする移動通信端末装置である。
【００３７】
この移動通信端末装置においては、第１の観点と同様に、機構的に第１状態から第４状態までの４種類の状態を現出させられるため、各状態に応じて適切な動作モードを割り当てることにより、より利便性の高い移動通信端末装置を提供することができる。
【００３８】
また、表示部回転状態検出器及び折りたたみ状態検出器により、移動通信端末装置は、機構的な４つの状態の変化を認識することができる。更に、表示部回転状態であるときに、折りたたみ状態となったことを検出した場合、すなわち、第３状態から第４状態に変化した際には、外側に現れた表示面をファインダとするカメラモードとなることにより、利用者は形状を変化させることのみの操作で、即座にカメラとして使用することができる。
【００３９】
また、制御部は、表示部回転状態検出器が、表示部回転状態となったことを検出した場合、すなわち、第４状態まで変形しなくとも、第３状態に変形したときに動作モードをカメラモードとする。このため、カメラ撮像部の視野方向と表示部の表示面の方向が同じ場合には、自分自身を撮影するためのカメラとして即座に使用することができる。
【００４０】
また、制御部は、表示面が操作面に対向する向きである表示部非回転状態にあるときに、折りたたみ状態検出器が、折りたたみ状態になったことを検出すると、動作モードを非カメラモードとし、制御部は、表示部非回転状態であるときに、折りたたみ状態検出器が、展開状態となったことを検出した場合には、動作モードを非カメラモードとすることができる。
【００４１】
更に、制御部は、展開状態であって、かつ、カメラモードのときに、表示部回転状態検出器が、表示面が操作面に対向する向きである表示部非回転状態になったことを検出した場合には、動作モードをカメラモードとすることができる。この場合には、第３状態のカメラモードで使用しているときに、第１状態に変形した場合、非カメラモードにするのではなく引き続きカメラモードで動作させることにより、カメラモードを再び設定することなく、引き続きカメラモードとしての使用が可能となる。
【００４２】
本発明は、第３の観点からすると、第１部分と第２部分とが、第１軸を回転軸として相対的に回動可能に結合されることにより、折りたたみ可能に構成されたデジタルカメラ機能付の移動通信端末装置であって、前記第１部分は、第１軸と平行であり、折りたたまれた際、第２部分と対向する操作面を有する操作入力部と；前記操作面の垂直方向に突出した突出部と；前記突出部に収納され、前記操作面と直交する光軸を有するカメラ用光学系と；を備え、前記第２部分は、前記第１部分と回動可能に結合されている部分を備える基台部と；表示デバイスを有し、前記表示デバイスの表示面に平行な第２軸を回転軸として、前記基台部に対して少なくとも１８０度回動可能に前記基台部と結合された表示部と；を備え、前記第２部分は、前記突出部の前記第１軸に沿った少なくとも両外側２箇所で、前記第１部分と結合されている、ことを特徴とする移動通信端末装置である。
【発明を実施するための最良の形態】
【００４３】
≪第一の実施形態≫
以下、本発明の第一の実施形態を、図１Ａ〜図１６を参照しつつ説明する。
【００４４】
図１Ａ〜図３には、第一の実施形態に係る移動体端末装置である携帯電話１０の構成が概略的に示されている。なお、図１Ａ〜図１Ｃは、後述する機構的な第１状態における外観構成が示されている。ここで、図１Ａには携帯電話１０の外観の正面図が示され、図１Ｂには携帯電話１０の外観の右側面図が示され、図１Ｃには携帯電話１０の外観の裏面図が示されている。また、図３には、携帯電話１０の機能ブロック構成が示されている。
【００４５】
図１Ａ〜図３において総合的に示されるように、携帯電話１０は、第１部分１１と、該第１部分１１に対して、第１軸としての軸ＡＸ１を回転軸として回動可能な第２部分１２とを備えている。また、第２部分１２は、第１部分１１の軸ＡＸ１に沿った両外側２箇所で、第１部分１１と回動可能に結合されている。
【００４６】
そして、第２部分１２は、第１部分１１側に配置された基台部１５と、当該基台部１５に対して、第２軸としての軸ＡＸ２を回転軸として回動可能な表示部１６とを有している。
【００４７】
第１部分１１の図１Ａに示される操作面側には、（ａ）テンキー、ファンクションキー等の操作キーが配列された通信用操作部２１と、（ｂ）通話時に音声を入力するためのマイクロフォン２２とが配置されている。ここで、通信用操作部２１には、通話又はＥメールの発信時には発信処理開始を指令し、通話着信時には通話処理開始を指令するための発信キーと、通信処理中における短時間の押下により終話を指令し、長時間の押下により電源のオン／オフを指令するための終話／電源キーが含まれているものとする。なお、通話着信から通話開始までの間に終話／電源キーが短時間だけ押下されると、簡易留守録がされるようになっている。
【００４８】
また、第１部分１１の操作面を正面としたときの図１Ｂに示される右側面には、（ｃ）カメラモードで動作しているときに操作が有効となるカメラ用縦方向キー２３、カメラ用決定キー２５及びシャッタ２６からなるカメラ用操作部が配置されている。また、第１部分１１の当該操作面を正面としたときの上側面側には、（ｄ）カメラモードで動作しているときに操作が有効となるカメラ用横方向ダイアル２４が配置されている。さらに、第１部分１１の当該操作面の裏面側には、図１Ｃに示されるように、（ｅ）後述するメインディスプレイ２８が外面とならない後述する機構的な第２状態（図４Ａ〜図４Ｃ参照）において、補助的な表示を行うサブディスプレイ３１と、（ｆ）着信音や案内音を発生するための案内用スピーカ３２と、（ｇ）カメラ用光学系の視野内の像を撮像する撮像部３３とが配置されている。撮像部３３は、後述する機構的な第２状態にある携帯電話１０の斜視図である図２に示されるように、第２部分１２と結合するために作られた第１部分１１の突出部に収納されている。
【００４９】
第１部分１１は、図３に示されるように、上記の要素に加えて、その内部に、（ｈ）中央処理装置（ＣＰＵ）、デジタル信号処理装置（ＤＳＰ）等を備え、携帯電話１０の全体の動作を統括制御する制御部４０、（ｉ）基地局との間で無線信号を授受するための内蔵型アンテナ４１と、（ｊ）アンテナ４１を介して通信信号の送受信を行う送受信部４２と、（ｋ）プログラムやデータを格納する記憶部４３とを備えている。また、第１部分１１は、その内部に、（ｌ）携帯電話１０の折りたたみ状態を検出する折りたたみ状態検出器４５を更に備えている。ここで、折りたたみ状態検出器４５は、携帯電話１０がほぼ完全に折りたたまれているときに折りたたみ状態にあると検出し、完全には折りたたまれていないときには展開状態にあると検出するようになっている。
【００５０】
また、第２部分１２の表示部１６は、図１Ａに示されるように、制御部４０の指令に応じて、通信用操作部２１の操作結果等を表示するメインディスプレイ２８と、通話時に通信相手から送られてきた音声信号を再生する通話用スピーカ２９とを備えている。
【００５１】
一方、同じく第２部分１２である基台部１５は、図３に示されるように、その内部に、基台部１５に対する表示部１６の回転状態を検出する表示部回転状態検出器４６を更に備えている。ここで、表示部回転状態検出器４６は、図１Ａ〜図１Ｃにおける基台部１５と表示部１６との位置関係、すなわち、携帯電話１０を折りたたんだ場合に操作面とメインディスプレイ２８の表示面とが対向する位置関係にある表示部非回転状態にあることを制御部４０へ通知する。また、表示部回転状態検出器４６は、表示部非回転状態から軸ＡＸ２回りに表示部１６が１８０度回転した状態である表示部回転状態にある場合には、表示部回転状態であることを制御部４０へ通知する。
【００５２】
なお、表示部非回転状態から表示部回転状態となるまでの間は、表示部回転状態検出器４６は表示部非回転状態にあると制御部４０へ通知するようになっている。また、表示部回転状態から表示部非回転状態となるまでの間は、表示部回転状態検出器４６は表示部回転状態にあると制御部４０へ通知するようになっている。
【００５３】
以上のように構成されている携帯電話１０では、（ｉ）図１Ａ〜図１Ｃに典型的に示されるような、携帯電話１０が展開状態であり、かつ、表示部非回転状態である機構的な第１状態、（ii）図４Ａ〜図４Ｃに典型的に示されるような、携帯電話１０が折りたたみ状態であり、かつ、表示部非回転状態である機構的な第２状態、（iii）図５Ａ〜図５Ｃに典型的に示されるような、携帯電話１０が展開状態であり、かつ、表示部回転状態である機構的な第３状態、（iv）図６Ａ〜図６Ｃに典型的に示されるような、携帯電話１０が折りたたみ状態であり、かつ、表示部回転状態である機構的な第４状態という４つの状態を機構的に取り得る。
【００５４】
ここで、機構的な第２状態では、図４Ａ〜図４Ｃに示されるように、メインディスプレイ２８の表示面及び通信用操作部２１が内側に隠れている。このことを考慮して、制御部４０は、機構的な第２状態にあることを認識すると、携帯電話１０の動作モードを、非カメラモードである通信モードとしている。この通信モードでは、上述したカメラ用操作部の各キーはキーロックされるようになっている。なお、第２部分１２において光学的な機能を有する部品が一切配置されていない面が外面を構成しているので（図４Ａ参照）、この面を接触面として机や台の上へ携帯電話１０を置いたとしても、携帯電話１０の光学的な機能を有するディスプレイ面、撮像部３３のカメラ用光学系又はこれらの保護用の透明部材の傷をつけたり、汚れを付着させたりすることがない。
【００５５】
また、機構的な第３状態では、図５Ａ〜図５Ｃに示されるように、メインディスプレイ２８の表示面及び通信用操作部２１は表に表れているが、互いに反対の方向を向いている。このため、メインディスプレイ２８の表示面を見ながら通信用操作部２１を操作することができない。一方、機構的な第３状態では、メインディスプレイ２８の表示面を利用者が見ている状態では利用者側方向に撮像部３３の視野方向が向いており、メインディスプレイ２８の表示面をファインダとして、自分自身を撮影することが可能な状態となっている。これらを考慮して、制御部４０は、機構的な第３状態にあることを認識すると、携帯電話１０の動作モードを、メインディスプレイ２８のガイダンスの表示が軸ＡＸ２方向を縦方向とする第３状態のカメラモードとしている。このガイダンス表示の向きは、利用者がカメラ用操作部を操作することにより、軸ＡＸ２方向を横方向とすることができる。また、この第３状態のカメラモードでは、カメラ用光学系による撮影結果を左右反転してメインディスプレイ２８に表示するようになっている。なお、第３状態のカメラモードでは、終話／電源キーを除く通信用操作部２１のキーはキーロックされるようになっている。
【００５６】
また、機構的な第４状態では、図６Ａ〜図６Ｃに示されるように、メインディスプレイ２８の表示面は表に表れているが、メインディスプレイ２８の表示面を利用者が見ている状態では利用者側方向とは反対方向に撮像部３３の視野方向が向いた状態の通常のデジタルカメラと同様の形態となっている。これを考慮して、制御部４０は、機構的な第４状態にあることを認識すると、携帯電話１０の動作モードを、メインディスプレイ２８のガイダンスの表示が軸ＡＸ２方向を横方向とする第４状態のカメラモードとしている。このガイダンス表示の向きは、第３状態のカメラモードの場合と同様に、利用者がカメラ用操作部を操作することにより、軸ＡＸ２方向を縦方向とする向きとすることができる。なお、この第４状態のカメラモードでは、カメラ用光学系による撮影結果を左右反転せずにメインディスプレイ２８に表示するようになっている。
【００５７】
ところで、機構的な第１状態では、図１Ａ〜図１Ｃに示されるように、メインディスプレイ２８の表示面及び通信用操作部２１の操作面は、共に表に現れている。このため、メインディスプレイ２８の表示面を見ながら通信用操作部２１を操作することができる。また、機構的な第１状態では、メインディスプレイ２８の表示面を利用者が見ている状態では利用者側方向とは反対側に撮像部３３の視野方向が向いており、メインディスプレイ２８の表示面をファインダとして、通常の撮像（利用者の視野方向を撮影方向とする撮像）が可能な状態となっている。これらを考慮して、制御部４０は、機構的な第１状態にあることを認識すると、発着信動作が可能な通信モード、又は、メインディスプレイ２８の表示面をファインダとしたカメラモードのいずれの動作モードでも動作可能としている。なお、この第１状態のカメラモードでは、ガイダンス表示の向きは、軸ＡＸ２方向を縦方向としている。このガイダンス表示の向きは、第３状態及び第４状態のカメラモードの場合と同様に、利用者がカメラ用操作を操作することにより、軸ＡＸ２方向を縦方向とする向きとすることができる。なお、第１状態のカメラモードでは、カメラ用光学系による撮影結果を左右反転せずにメインディスプレイ２８に表示するようになっている。
【００５８】
なお、以下の説明においては、機構的な第１状態において、通信モードで動作する状態を「第１ａ状態」と、カメラモードで動作する状態を「第１ｂ状態」とも呼ぶものとする。
【００５９】
次に、上述した各状態相互間の状態遷移について、図７を参照して説明する。
【００６０】
電源をオン又はオフとすることは、通信用操作部２１の操作が可能な機構的な第１状態又は第３状態でのみ可能ある。機構的な第１状態で電源がオンとされた場合には、折りたたみ状態検出器４５及び表示部回転状態検出器４６は、展開状態かつ表示部非回転状態の機構的な第１状態にあることを検出する。この検出結果を受けた制御部４０は、動作モードを通信モードに設定する。すなわち、第１ａ状態となる。一方、機構的な第３状態で電源がオンとされた場合には、折りたたみ状態検出器４５及び表示部回転状態検出器４６は、展開状態かつ表示部回転状態の機構的な第３状態にあることを検出する。この検出結果を受けた制御部４０は、動作モードをカメラモードに設定する。
【００６１】
第１ａ状態から携帯電話１０が折りたたまれた場合には、折りたたみ状態検出器４５及び表示部回転状態検出器４６は、折りたたみ状態かつ表示部非回転状態の機構的な第２状態であることを検出する。この検出結果を受けた制御部４０は、動作モードを通信モードに設定する。また、機構的な第１状態から携帯電話１０が展開された場合には、折りたたみ状態検出器４５及び表示部回転状態検出器４６が、展開状態かつ表示部非回転状態の機構的な第１状態であることを検出する。この検出結果を受けた制御部４０は、動作モードを通信モードに設定する。
【００６２】
また、第１ａ状態から、表示部１６が基台部１５に対して回転された場合には、折りたたみ状態検出器４５及び表示部回転状態検出器４６は、展開状態かつ表示部回転状態の機構的な第３状態であることを検出する。この検出結果を受けた制御部４０が、動作モードをカメラモードに設定する。そして、機構的な第３状態から第１部分１１に対して第２部分１２が折りたたまれた場合には、折りたたみ状態検出器４５及び表示部回転状態検出器４６は、折りたたみ状態かつ表示部回転状態の機構的な第４状態であることを検出する。この検出結果を受けた制御部４０が、動作モードをカメラモードに設定する。
【００６３】
機構的な第４状態から携帯電話１０が展開された場合には、折りたたみ状態検出器４５及び表示部回転状態検出器４６は、展開状態かつ表示部回転状態の機構的な第３状態であることを検出する。この検出結果を受けた制御部４０が、動作モードをカメラモードに設定する。そして、通話着信処理時に、機構的な第３状態から表示部１６が基台部１５に対して回転された場合には、折りたたみ状態検出器４５及び表示部回転状態検出器４６は、展開状態かつ表示部非回転状態の機構的な第１状態であることを検出する。この検出結果を受けた制御部４０が、動作モードを展開時通信モードに設定する。すなわち、第１ａ状態となる。
【００６４】
一方、通話着信処理時以外に、機構的な第３状態から表示部１６が基台部１５に対して回転された場合には、折りたたみ状態検出器４５及び表示部回転状態検出器４６が、展開状態かつ表示部非回転状態の機構的な第１状態であることを検出する。この検出結果を受けた制御部４０が、動作モードをカメラモードに設定する。すなわち、第１ｂ状態となる。そして、第１ｂ状態から携帯電話１０が折りたたまれた場合には、折りたたみ状態検出器４５及び表示部回転状態検出器４６は、折りたたみ状態かつ表示部非回転状態の機構的な第２状態であることを検出する。この検出結果を受けた制御部４０が、動作モードを通信モードに設定する。
【００６５】
また、第１ａ状態と第１ｂ状態との間では機構的な状態が変化しないが、通信用操作部２１を操作することにより、相互間での状態遷移が可能である。すなわち、第１ａ状態において、通信用操作部２１の操作により、カメラモード動作の指令がされると、この指令を受けた制御部４０が、カメラモードを動作モードに設定する。この結果、第１ａ状態から第１ｂ状態へ状態が遷移する。
【００６６】
一方、第１ｂ状態において、通信用操作部２１の操作により、通信モード動作の指令がされると、この指令を受けた制御部４０が、通信モードを動作モードとして設定する。この結果、第１ｂ状態から第１ａ状態へ状態が遷移する。
【００６７】
以上のように相互間で遷移する状態のうちで、本実施形態では、発信動作は第１ａ状態でのみ可能としている。第１ａ状態では、メインディスプレイ２８に表示される通信用画面をみながら、利用者により行われる通信用操作部２１の操作に従って、通話発信やＥメールの送信を実行する。また、メインディスプレイ２８の通信用表示を見ながら行う送信用Ｅメールの作成、受信したＥメールの表示やブラウザ機能の実行等も第１ａ状態でのみ可能としている。
【００６８】
また、撮像動作は、第１ｂ状態、第３状態又は第４状態においてのみ可能である。第１ｂ状態においては、ズーム等のカメラ機能設定や変更は、通信用操作部２１の操作によって行われる。また、第３状態又は第４状態においては、カメラ機能の設定や変更は、メインディスプレイ２８に表示されるガイダンスを見つつ行われるカメラ用操作部の操作によって行われる。
【００６９】
また、先に述べたとおり、携帯電話１０の機構的な状態が変化して、変化後の状態がカメラモードである場合には、制御部４０は、メインディスプレイ２８に表示されるガイダンス表示を軸ＡＸ２方向の横方向とするか縦方向とするかを判断し、ガイダンスを表示する。ここで、利用者はカメラ用操作部の操作により、このガイダンス表示の向きの変更をすることができる。機構的な第３状態から第４状態に変化した場合を例に説明すると、図８Ａ及び図８Ｂに示すように、第３状態から第４状態への変化を認識した制御部４０は、図８Ａに示すように、メインディスプレイ２８に、軸ＡＸ２方向を横方向とするガイダンス表示を行う。利用者はカメラ用操作部を操作して、軸ＡＸ２方向を縦方向とするガイダンス表示の指令を行うことにより、図８Ｂに示すような軸ＡＸ２方向を縦方向とするガイダンス表示に切り替えることができる。
【００７０】
なお、こうしたメインディスプレイ２８に表示されるカメラ機能の設定や変更のガイダンスは、メインディスプレイ２８の表示面の全域を使用して行われるファインダ画像上に透過表示されるようになっている。
【００７１】
カメラ機能の設定や変更の後、シャッタ２６の操作により、撮像を行うことができる。そして、撮像結果は、上述した記憶部４３に格納される。
【００７２】
ところで、通話着信の通知処理やＥメールの受信処理は、上記のすべての状態で可能となっている。ここで、これらの受信処理は、主に制御部４０によって行われる。
【００７３】
これらの処理のうち、まず、通話着信の通知処理に始まる通話着信関連処理について説明する。
【００７４】
上記の第１ａ状態又は第２状態の通信モード動作中に通話着信があったときの処理を、図９を参照して、説明する。この場合には、まず、ステップＳ１１において、現在の状態が第１ａ状態であるか否かが判定される。この判定が肯定的であった場合には、処理はステップＳ１４へ移行する。
【００７５】
一方、現在の状態が第２状態であり、ステップＳ１１の判定が否定的であった場合には、処理はステップＳ１２へ移行する。このステップＳ１２では、メインディスプレイ２８以外によって通話着信表示が行われる。すなわち、案内用スピーカ３２により呼び出し音を発生させたり、サブディスプレイ３１に通話着信表示をしたりする。なお、案内用スピーカ３２による呼び出し音の発生に代えて、携帯電話１０を振動させるようにしてもよい。
【００７６】
引き続き、ステップＳ１３において、第２状態から第１部分１１に対して第２部分１２が展開されて第１ａ状態に遷移したか否かが判定される。この判定が否定的である間はステップＳ１３の処理が繰り返される。そして、ステップＳ１３において肯定的な判定がされると、処理はステップＳ１４へ移行する。
【００７７】
ステップＳ１４では、メインディスプレイ２８への表示を含む通話着信表示が行われる。この結果、メインディスプレイ２８への表示に加えて、案内用スピーカ３２による呼び出し音の発生等により通話着信表示が行われる。
【００７８】
次に、ステップＳ１５において、利用者により発信キーが押下され、通話指令がなされたか否かが判定される。この判定が否定的である間はステップＳ１５の処理が繰り返される。そして、ステップＳ１５において肯定的な判定がされると、処理はステップＳ１６へ移行する。
【００７９】
ステップＳ１６では、通話処理が行われ、利用者と相手方との通話が行われる。このステップＳ１６では、通話処理と並行して、利用者により終話キーが押下され、通話終了指令がなされたか否かが判定される。この判定が否定的である間はステップＳ１６の処理が繰り返される。
【００８０】
そして、ステップＳ１６において通話終了指令がなされたか否かに関して肯定的な判定がされると、通話処理は中止される。そして、着信前と同様の第１ａ状態の通信モードとなる。
次に、上記の第１ｂ状態のカメラモードで動作中に通話着信があったときの処理を、図１０を参照して、説明する。この場合には、まず、ステップＳ２１において、メインディスプレイ２８への表示を含む通話着信表示が行われる。この結果、メインディスプレイ２８への表示に加えて、案内用スピーカ３２による呼び出し音の発生等により通話着信表示が行われる。
【００８１】
引き続き、ステップＳ２２において、利用者により発信キーが押下され、通話指令がなされたか否かが判定される。この判定が否定的であった場合には、処理はステップＳ２３へ移行する。ステップＳ２３では、利用者により終話／電源キーが短時間押下され、簡易留守録処理の指令がなされたか否かが判定される。この判定が否定的であった場合には、処理は、ステップＳ２２へ移行する。そして、ステップＳ２２又はステップＳ２３において肯定的な判定がなされるまで、ステップＳ２２及びステップＳ２３の処理が繰り返される。
【００８２】
ステップＳ２２において肯定的な判定がされると、処理はステップＳ２５へ移行する。ステップＳ２５では、通話処理が行われ、利用者と相手方との通話が行われる。このステップＳ２５では、通話処理と並行して、利用者により終話キーが押下され、通話終了指令がなされたか否かが判定される。この判定が否定的である間はステップＳ２５の処理が繰り返される。
【００８３】
ステップＳ２５において通話終了指令がなされたか否かに関して肯定的な判定がされると、通話処理は中止される。そして、着信前と同様の第１ｂ状態のカメラモードの処理が再開される。
【００８４】
一方、ステップＳ２３において肯定的な判定がされると、処理はステップＳ２４へ移行する。このステップＳ２４では、留守番電話録音と、録音終了後の留守録があることを示す表示（例えば、留守録有を示すピクトグラムの表示）という簡易留守録処理が行われる。こうした簡易留守録処理が終了すると、着信前と同様の第１ｂ状態のカメラモードの処理が再開される。
【００８５】
次に、上記の第３状態のカメラモード動作中に通話着信があったときの処理を、図１１Ａを参照して、説明する。この場合には、まず、ステップＳ３１において、メインディスプレイ２８への表示を含む通話着信表示が行われる。この結果、メインディスプレイ２８への表示に加えて、案内用スピーカ３２による呼び出し音の発生等により通話着信表示が行われる。
【００８６】
引き続き、ステップ３２において、上記の通話着信表示に加えて、メインディスプレイ２８に着信処理のためのガイダンスを表示する。このガイダンス表示においては、図１２に示すように、相手先電話番号とともに、着信に応答するためには画面を回転すべきことついても表示する。また、簡易留守録処理を行うためには終話／電源キーを短時間だけ押下すべきこと等を表示してもよい。なお、このガイダンス表示は、メインディスプレイ２８の表示面の全域を使用して行われるファインダ画像上に透過表示されるようになっている。
【００８７】
次いで、ステップＳ３３において、利用者により表示部１６が基台部１５に対して１８０度回転されて第１ａ状態となったか、すなわち利用者が通話するか否かが判定される。この判定が否定的であった場合には、処理はステップＳ３４へ移行する。ステップＳ３４では、利用者により終話／電源キーが短時間押下され、簡易留守録処理の指令がなされたか否かが判定される。この判定が否定的であった場合には、処理は、ステップＳ３３へ移行する。そして、ステップＳ３３又はステップＳ３４において肯定的な判定がなされるまで、ステップＳ３３及びステップＳ３４の処理が繰り返される。
【００８８】
ステップＳ３３において肯定的な判定がされると、処理はステップＳ３６へ移行する。ステップＳ３６は、第１ａ状態の着信処理として、図１１Ｂを参照して説明する。図１１ＢのステップＳ７１において、利用者により終話／電源キーが短時間押下され、簡易留守録処理の指令がなされたか否かが判定される。この判定が否定的であった場合には、処理は、ステップＳ７２へ移行する。
【００８９】
ステップＳ７２では、利用者により発信キー押下等により、通話指令がなされたか否かが判定される。この判定が否定的な場合には、ステップＳ７１に戻り、ステップＳ７１及びステップＳ７２の判定が繰り返される。ステップＳ７２の判定が肯定的な場合には、ステップＳ７３に移行し、通話処理が行われ、利用者と相手方との通話が行われる。ここでは、ステップＳ２５と同様に、ステップＳ７４において、通話終了指令がなされたか否かが判定される。
【００９０】
ここでの判定が、否定的な場合には通話処理が続行され、ステップＳ７３及びステップＳ７４の処理が繰り返される。ステップＳ７４において、肯定的な判定がされると、通話処理は中止され、第１ａ状態の着信処理であるＳ３６は終了する。一方、ステップ７１における判定が、肯定的である場合には、上述したステップＳ２４と同様の簡易留守録処理が行われる。簡易留守録処理が終了すると、第１ａ状態の着信処理であるＳ３６は終了する。
【００９１】
そして、ステップＳ３６の第１ａ状態の着信処理が終了すると、図１１Ａに戻り、第１ａ状態の通信モードとなる。
【００９２】
一方、ステップＳ３４において肯定的な判定がされると、処理はステップＳ３５へ移行する。このステップＳ３５では、上述したステップＳ２４と同様の簡易留守録処理が行われる。こうした簡易留守録処理が終了すると、着信前と同様の第３状態のカメラモードの処理が再開される。
【００９３】
次に、上記の第４状態のカメラモード動作中に通話着信があったときの処理を、図１３を参照して、説明する。この場合には、まず、ステップＳ４１において、メインディスプレイ２８への表示を含む通話着信表示が行われる。この結果、メインディスプレイ２８への表示に加えて、案内用スピーカ３２による呼び出し音の発生等により通話着信表示が行われる。
【００９４】
引き続き、ステップＳ４２において、上記の通話着信表示に加えて、メインディスプレイ２８に着信処理のための第１段階のガイダンスを表示する。この第１段階のガイダンス表示においては、図１４に示すように、相手先電話番号とともに、着信に応答するために携帯電話１０を展開すべきことについても表示する。なお、このガイダンス表示は、メインディスプレイ２８の表示面の全域を使用して行われるファインダ画像上に透過表示されるようになっている。
【００９５】
次いで、ステップＳ４３において、利用者により携帯電話１０が展開されて第３状態となったか否かが判定される。この判定が否定的である間はステップＳ４３の処理が繰り返される。そして、ステップＳ４３において肯定的な判定がされると、処理はステップＳ４４へ移行する。
【００９６】
引き続き、ステップＳ４４において、上記の通話着信表示に加えて、メインディスプレイ２８に着信処理のための第２段階のガイダンスを表示する。この第２段階のガイダンス表示においては、上述したステップＳ３２の場合と同様に、図１２に示すように、相手先電話番号とともに、着信に応答するためには画面を回転すべきことについても表示する。
【００９７】
次いで、ステップＳ４５において、利用者により表示部１６を基台部１５に対して１８０度回転されて第１ａ状態となったか、すなわち利用者が通話を行うか否かが判定される。この判定が否定的であった場合には、処理はステップＳ４６へ移行する。ステップＳ４６では、利用者により終話／電源キーが短時間押下され、簡易留守録処理の指令がなされたか否かが判定される。この判定が否定的であった場合には、処理は、ステップＳ４５へ移行する。そして、ステップＳ４５又はステップＳ４６において肯定的な判定がなされるまで、ステップＳ４５及びステップＳ４６の処理が繰り返される。
【００９８】
ステップＳ４５において肯定的な判定がされると、処理はステップＳ３６へ移行する。第１ａ状態の着信処理であるステップＳ３６は、上述したように、図１１Ｂにおいて、利用者により通話処理または簡易留守録処理の選択が行われ、通話処理及び簡易留守録処理のいずれか一つが実行される。その処理が終了すると、ステップＳ３６が終了し、図１３の第１ａ状態における通信モードとなる。
【００９９】
一方、ステップＳ４６において肯定的な判定がされると、処理はステップＳ４７へ移行する。このステップＳ４７では、上述したステップＳ２４やステップＳ３５の場合と同様の簡易留守録処理が行われる。こうした簡易留守録処理が終了すると、第３状態のカメラモードへ移行する。
【０１００】
次に、上記の各状態におけるＥメール受信処理に始まるＥメール着信関連処理について説明する。
【０１０１】
上記の第１ａ状態又は第２状態の通信モード動作中にＥメール受信があったときの処理を、図１５を参照して、説明する。まず、ステップＳ５１において、現在の状態が第１ａ状態であるか否かが判定される。この判定が肯定的であった場合には、処理はステップＳ５４へ移行する。
【０１０２】
一方、現在の状態が第２状態であり、ステップＳ５１の判定が否定的であった場合には、処理はステップＳ５２へ移行する。このステップＳ５２では、サブディスプレイ３１へのＥメール受信表示が行われる。
【０１０３】
引き続き、ステップＳ５３において、第２状態から第１部分１１に対して第２部分１２が展開されて第１ａ状態に遷移したか否かが判定される。この判定が否定的である間はステップＳ５３の処理が繰り返される。そして、ステップＳ５３において肯定的な判定がされると、処理はステップＳ５４へ移行する。
【０１０４】
ステップＳ５４では、メインディスプレイ２８へのＥメール受信表示が行われる。このメインディスプレイ２８へのＥメール受信表示がされた第１ａ状態において、利用者のメインディスプレイ２８を見ながらの通信用操作部２１の操作により、受信メールの表示が可能となる。
【０１０５】
上記の第１ｂ状態、第３状態又は第４状態のカメラモード動作中にＥメール受信があったときの処理を説明する。この場合には、図１６に示されるように、まず、ステップＳ６１において、メインディスプレイ２８へのＥメール受信表示が一時的に行われ、利用者にＥメールを受信したことについて注意が喚起される。なお、このＥメール受信表示は、メインディスプレイ２８の表示面の全域を使用して行われるファインダ画像上に透過表示されるようになっている。
【０１０６】
こうしたメインディスプレイ２８への一時的なＥメール受信表示が終了すると、ステップＳ６２において、各状態に応じた処理が再開される。このステップＳ６２では、各状態の処理と並行して、第１ａ状態に遷移したか否かが判定される。この判定が否定的である間は、ステップＳ６２の処理が繰り返される。そして、ステップＳ６２において第１ａ状態に遷移したか否かに関して肯定的な判定がされるまで、ステップＳ６２の処理が繰り返される。なお、ステップＳ６２の処理の繰り返し中に異なる動作モードの状態（第１ａ状態を除く）に変化したときには、ステップＳ６２では変化後の動作モードに応じた動作が行われる。
【０１０７】
そして、動作モードの状態が第１ａ状態となり、ステップＳ６２において第１ａ状態に遷移したか否かに関して肯定的な判定がされると、処理はステップＳ６４へ移行する。このステップＳ６４では、上述したステップＳ５４の場合と同様に、メインディスプレイ２８へのＥメール受信表示が行われる。このメインディスプレイ２８へのＥメール受信表示がされた第１ａ状態において、利用者のメインディスプレイ２８を見ながらの通信用操作部２１の操作により、受信メールの表示や、メールサーバからの受信メールの取得が可能となる。そして、利用者のメインディスプレイ２８を見ながらの通信用操作部２１の操作に従って、受信メールの表示や、メールサーバからの受信メールの取得が行われる。
【０１０８】
以上説明したように、第一の実施形態では、第１部分１１に対する第２部分１２の軸ＡＸ１回りの回転と、第２部分１２における基台部１５に対する表示部１６の第２軸回りの回転という２種類の回転に関するそれぞれ２種類の状態の組み合わせとして、４種類の機構的な状態を現出させるとともに、これら４種類の機構的な状態を検出することができる。そして、これら４状態それぞれについて、状態の遷移を考慮しつつ、動作モードとして通信モードやカメラモードを原則的には自動的に割り振り、必要に応じて動作モードを適宜変更可能とすることとして、利用者による動作モードの設定を最小限とすることができる。
【０１０９】
また、上述した第２状態においては、表示部１６の表示面とは反対側の面又は当該面と同一側の基台部１５の面には光学的部品を配置してない。このため、机上に載置する場合に、この面を机面との接触面とすれば、受光や表示のための部品又はそれらの保護部材に、机面との接触に起因する汚れの付着や傷がつくことを防止することができる。
【０１１０】
また、通信用の操作キーの全てが第１部分１１における通信用操作部２１に配置されている。このため、リボルバー型のように第１部分１１及び第２部分１２の両部分にわたって操作キーが配置されることがないので、通常の従来の移動通信端末装置における通信用操作時の操作性を確保することができる。
【０１１１】
また、第１部分１１と第２部分１２とは、いわゆるクラムシェル型で折りたたみ可能となっている。このため、メインディスプレイ２８が外面側とはならない上記の第２状態を実現できるので、個人情報である通信関連の情報や利用者の個人的な趣味感により設定される壁紙模様等の秘匿性を、通常の従来の携帯電話の場合と同様の程度で確保することができる。
【０１１２】
また、カメラモードが動作モードとして設定されているときであっても、通話着信やＥメール受信が検出された場合には、当該イベントを利用者に通知するので、当該イベントに対して適切な処置を利用者が直ちにとることができる。
【０１１３】
また、カメラモードが動作モードとして設定されているときに表示部のメインディスプレイ２８における表示面の全面をファインダとして利用できるとともに、ファインダ表示画像を大きくは損なわずに利用者に伝達したい各種のガイダンスをメインディスプレイ２８に表示することができる。
【０１１４】
また、第２部分１２は、第１部分１１の第１軸ＡＸ１に沿った少なくとも両外側２箇所で、第１部分１１と、結合されているため、第２部分１２は、第１部分１１との接続部分において、第１軸ＡＸ１方向の幅を十分にとることができ、第２部分１２に十分な強度を保つことができる。
【０１１５】
また、第１部分１１の突出部にカメラ光学系を収納することにより、より高性能なカメラ機能を備えることができる。
【０１１６】
なお、上記第一の実施形態では、第３状態（又は第４状態）における通話着信関連処理において、図１１Ａ（又は図１３）のステップＳ３３（又はステップＳ４５）において第１ａ状態となったと判定されると、発信キー等が押下され、通話指令がされた後にステップＳ３６の通話処理に移行することとした。これに対して、第１ａ状態となったと判定された後、直ちに通話処理に移行することとしてもよい。
【０１１７】
また、上記第一の実施形態では、第１ｂ状態（又は第３状態若しくは第４状態）における通話着信関連処理において、図１０（又は図１１Ａ及び図１３）のステップＳ２３（又はステップＳ３４及びステップＳ４６）において終話／電源キーが押下されたときに留守録処理の指令がなされたと判定することとした。これに対し、通信用操作部２１のいずれの操作キーが押下されたときにも、留守録処理の指令がなされたと判定することとしてもよい。
【０１１８】
また、上記第一の実施形態では、第４状態における着信があった場合には、第３状態に形状を変更した後に簡易留守録処理Ｓ４７を行うこととしたが、機構的な第４状態の形状のまま、カメラ用操作部等の所定キーが操作されることにより、簡易留守録処理を行うこととしてもよい。
【０１１９】
また、上記第一の実施形態では、第１部分１１における第２部分１２との接続部分に突出部があることとしたが、携帯電話１０を折りたたんだときに重ならない部分で、図１７Ａ及び図１７Ｂに示すように、第１部分１１における第２部分１２の基台部１５側にあることとしてもよいし、図１８Ａ及び図１８Ｂに示すように、第１部分１１における第２部分１２の表示部１６側にあることとしてもよい。
【０１２０】
また、上記第一の実施形態では、第１部分１１の突出部における中央部に撮像部３３を収納することとしたが、図１９に示すように、突出部における端部にカメラ用光学系を収納してもよい。
【０１２１】
また、上記第一の実施形態では、基台部１５と表示部１６との接点は軸ＡＸ２上で一つであったが、図２０Ａ及び図２０Ｂに示すように、基台部１５の形状を表示部１６の一部を囲むような形状としたり、図２１Ａ及び図２１Ｂに示すように、表示部１６の全部を囲むような形状とし、軸ＡＸ２上の２点で基台部１５と表示部１６とが接するような構造としてもよい。
【０１２２】
また、上記第一の実施形態では、軸ＡＸ２は、軸ＡＸ１に垂直であったが、軸ＡＸ２を軸ＡＸ１と平行とすることもできる。例えば、基台部１５と表示部１６の接点を一つとした構造では、図２２Ａ及び図２２Ｂに示すように、基台部１５をＬ字型形状としたり、図２３Ａ及び図２３Ｂに示すように、基台部１５を表示部１６の一部を囲むような形状とすることができる。また、基台部１５と表示部１６の接点を二つとした構造では、図２４Ａ及び図２４Ｂに示すように、基台部１５の形状を表示部１６の一部を囲むような形状としたり、図２５Ａ及び図２５Ｂに示すように、表示部１６の全部を囲むような形状とすることができる。
【０１２３】
また、上記第一の実施形態では、カメラ用光学系の光軸は、操作面に平行であることとしたが、図２６Ａ及び図２６Ｂに示すように、操作面に垂直であるとすることができる。
【０１２４】
また、上記第一の実施形態では、第２部分１２は、第１部分１１の第１軸ＡＸ１に沿った両外側２箇所で、第１部分１１と結合されているが、両外側２箇所の他に結合箇所を設けることもできる。
【０１２５】
また、上記第一の実施形態では、本発明を携帯電話に適用したが、携帯電話以外の移動通信端末装置に本発明を適用することができるのは勿論である。
【０１２６】
≪第二の実施形態≫
以下、本発明の第二の実施形態を、図２７Ａ〜図３８を参照しつつ説明する。
【０１２７】
ここで、第一の実施形態と同一又は同等の要素には、同一の符号を付し、重複する説明を省略する。
【０１２８】
図２７Ａ〜図２８には、第二の実施形態に係る移動体端末装置である携帯電話１００の構成が概略的に示されている。図２７Ａ〜図２７Ｃは、機構的な第１状態における外観構成が示されており、図２７Ａには携帯電話１００の外観の正面図が示され、図２７Ｂには携帯電話１００の外観の右側面図が示され、図２７Ｃには携帯電話１００の外観の裏面図が示されている。また、図２８には、携帯電話１００の機能ブロック構成が示されている。
【０１２９】
第一の実施形態の携帯電話１０の場合と同様に、携帯電話１００は、第１部分１１１と、該第１部分１１１に対して、軸ＡＸ１を回転軸として回動可能な第２部分１１２とを備えている。また、第２部分１１２は、第１部分１１１の軸ＡＸ１に沿った両外側２箇所で、第１部分１１１と回動可能に結合されている。そして、第２部分１１２は、第１部分１１１側に配置された基台部１１５と、当該基台部１１５に対して、軸ＡＸ２を回転軸として回動可能な表示部１１６とを有している。したがって、第一の実施形態と同様に機構的な第１状態、図２９Ａ〜図２９Ｃに示される第２状態、図３０Ａ〜図３０Ｃに示される第３状態及び図３１Ａ〜図３１Ｃに示される第４状態の状態遷移が可能となっている。
【０１３０】
第１部分１１１は、図２７Ａ〜図２７Ｃ、及び、図２８に示されるように、第一の実施形態の場合と同様に、通信用操作部２１と、マイクロフォン２２と、カメラ用縦方向キー２３と、カメラ用横方向ダイアル２４と、カメラ用決定キー２５と、シャッタ２６と、サブディスプレイ３１と、案内用スピーカ３２と、撮像部３３と、アンテナ４１と、送受信部４２と、記憶部４３と、折りたたみ状態検出器４５とを備えている。そして、第１部分１１１は、（ａ）第４状態での通話に使用するためのマイクロフォン１０３（図２９Ａ参照）と、（ｂ）第一の実施形態の制御部４０とは、制御アルゴリズムを異にする制御部１４０（図２８参照）とを更に備えている。
【０１３１】
なお、制御部１４０は、ガイダンス表示の方向制御、及び、カメラ用光学系による撮影結果の表示については、上述した第一の実施形態における制御部１４と同様の制御を行うようになっている。
【０１３２】
また、表示部１１６は、図２７Ａに示されるように、第一の実施形態と同等の機能である、メインディスプレイ２８と、通話用スピーカ２９とを備え、更に、ゲーム機能使用時等に使用するボタンＡとボタンＢの２つから構成される表示面操作部１０１とを備えている。
【０１３３】
基台部１１５は、図２８に示されるように、第一の実施形態と同様に、表示部回転状態検出器４６を備える。そして、基台部１５の折りたたまれた際に第１部分１１１と対向する面の裏面側には、主に折りたたまれた状態での操作に用いられ、上下左右の４方向と中央の計５ヶ所で使用者の入力を感知することができる十字型キーである折りたたみ操作部１０２が配置されている。
【０１３４】
携帯電話１００は、電話機能及びカメラ機能の他に、メール機能、音楽やビデオを再生するマルチメディア機能、インターネットに接続して情報を取得するブラウザ機能、及び、ゲーム機能の利用が可能であるため、図３２Ａに示すように、非カメラモードには、電話機能、メール機能、マルチメディア機能、ブラウザ機能及びゲーム機能が含まれている。そして、どの機能で動作するかは利用者の指令によって切り替えられる。また、カメラ機能においては、図３２Ｂに示すように、音声着信時に、留守番電話機能を実行する留守録機能、及び、メール受信時に受信メールの内容を確認するメール内容確認機能を含んでいる。ここでは、音声着信時又はメール受信時のガイダンス表示に従って、利用者が操作することにより、各機能を切り替える。
【０１３５】
次に、制御部１４０によって制御される状態遷移について、図３３を参照しつつ、説明する。
【０１３６】
上述した機構的な第１状態（図２７Ａ〜図２７Ｃ参照）では、機構的な第２状態から第１状態に移行した場合、及び、第１状態で電源をＯＮした場合には、第一の実施形態と同様に、動作モードを非カメラモードとしている。また、機構的な第３状態のカメラモードから第１状態に移行した場合には、第一の実施形態と同様に、カメラモードとしている。第１状態での、非カメラモードとカメラモードは通信用操作部２１の操作により、相互に移行が可能である。また、第１状態の非カメラモードでは、図３２Ａに示されるように、電話機能、メール機能、マルチメディア機能、ブラウザ機能及びゲーム機能が、利用できる。これらの機能は、利用者が、通信用操作部２１を操作することにより、実行される。
【０１３７】
上述した機構的な第２状態（図２９Ａ〜図２９Ｃ参照）では、第一の実施形態と同様に、動作モードを非カメラモードとしている。この場合には、非カメラモードであるが、メインディスプレイ２８が内側に折りたたまれてなり、不可視であるために、通話その他の機能は利用できない。なお、第一の実施形態と同様に、第２部分１１２において光学的な機能を有する部品が一切配置されていない面が外面を構成しているので（図２９Ａ参照）、この面を接触面として机の上へ置いたとしても、携帯電話１００の光学的な機能を有する部材を傷をつけたり、汚れを付着させたりすることがない。
【０１３８】
また、上述した機構的な第３状態（図３０Ａ〜図３０Ｃ参照）では、第一の実施形態と同様に、動作モードをカメラモードとしている。しかし、後述するように、例外的に、第１状態又は第４状態で、アプリケーション実行中又は通信中のまま、第３状態に移行した場合には、非カメラモードのまま、第３状態になることを可能としている。この場合には、更に、第４状態又は第１状態に移行するまでは操作不可となる。
【０１３９】
また、上述した機構的な第４状態（図３１Ａ〜図３１Ｃ参照）では、第一の実施形態と同様に、第３状態から第４状態に変形させたときの動作モードをカメラモードとしている。しかし、図３１Ａに示されるように、メインディスプレイ２８だけでなく、表示面操作部１０１、及び、折りたたみ操作部１０２が、表面に出ているので、操作が可能となっている。そのため、利用者が、折りたたみ操作部１０２の十字型キーを操作して非カメラモードに移行し、更に、図３２Ａに示すような、電話機能、メール機能、マルチメディア機能、ブラウザ機能、及び、ゲーム機能の利用を可能としている。
【０１４０】
第４状態の電話機能では、利用者は、着信時には、発信元の電話番号をメインディスプレイ２８により確認し、折りたたみ操作部１０２の十字型キーの中央を押下することにより、応答する。通話は、通話用スピーカ２９及びマイクロフォン１０３を用いて行なわれる。また、発信時には、折りたたみ操作部１０２の十字型キーの上下を押下することにより、発信履歴及び着信履歴を参照することができ、また、折りたたみ操作部１０２の十字型キーの中央を押下することにより、電話帳の参照が可能となっている。利用者は、これらの参照された電話番号から選択することにより、発信を行う。なお、新規に電話番号を入力したい場合には、第１状態に変形し、通信用操作部２１のテンキーを使用して入力する。
【０１４１】
第４状態のメール機能では、メインディスプレイ２８、及び、折りたたみ操作部１０２の十字型キーを使用する。利用者は、当該十字型キーを操作することにより、携帯電話１００の記憶部４３に保存された受信メールを選択し、選択された受信メールの内容を、メインディスプレイ２８を介して、確認する。新しい内容のメールを作成する場合には、携帯電話１００の形状を第１状態に変えて、通信用操作部２１のテンキーを使用して作成する必要があるが、作成済みのメールを送信するのみ等のテンキーを使用しないで行える操作は、第４状態のまま行うことができる。
【０１４２】
第４状態のマルチメディア機能では、携帯電話１００の記憶部４３に保存された音楽ファイルやビデオファイルを再生する機能であり、メインディスプレイ２８、及び、折りたたみ操作部１０２の十字型キーを使用する。利用者は、当該十字型キーを操作することにより、携帯電話１００の記憶部４３に保存された音楽ファイルやビデオファイルを選択し、再生を指令する。なお、音楽ファイルやビデオファイルの名称を変更するなどのテンキーを必要とする操作の場合には、第１状態に変形し、通信用操作部２１のテンキーで操作する必要がある。
【０１４３】
第４状態のブラウザ機能では、メール機能、マルチメディア機能と同様、メインディスプレイ２８、及び、折りたたみ操作部１０２の十字型キーを使用する。ブラウザ起動後は、当該十字型キーの上下左右の適切な部分の押下を繰り返すことにより、画面に表示されたリンク先を示す文字列にカーソルを合わせ、当該十字型キーの中央を押下することにより、当該リンク先にジャンプする。なお、文字列の入力等、テンキーによる入力が必要な場合には、第１状態に変形して、通信用操作部２１のテンキーを用いて入力する必要がある。
【０１４４】
第４状態のゲーム機能では、メインディスプレイ２８、折りたたみ操作部１０２の十字型キー、及び、表示面操作部１０１のＡボタンとＢボタンを使用する。携帯電話１００の記憶部４３に保存されたゲームのアプリケーションを実行すると、十字型キー、及び、ＡボタンとＢボタンの機能が、ゲームのアプリケーションにより割り当てられる。利用者は、ゲームのアプリケーションにおいて所望の動作をさせるために、割り当てられた機能のキー又はボタンの操作を行う。
【０１４５】
ここで、携帯電話１００では、第４状態で非カメラモードとなることが可能であるため、利用者は、第４状態でアプリケーションの実行中、又は、通信中に、通信用操作部２１のテンキーを使用したい場合がある。そこで、利用者の便宜を図るため、図３３に示すように、アプリケーションの実行中、又は、通信中の場合には、第４状態から第３状態を経て、第１状態に移行することを可能としている。この場合、アプリケーション実行中又は通信中のまま、第３状態に移行した場合には、アプリケーション実行中又は通信中の状態は維持され、第３状態での操作は不可としている。また、逆に、第１状態で音楽等を再生した後に、第４状態のように折りたたまれた小さな状態で視聴したい場合もあることから、アプリケーションの実行中、又は、通信中の場合に、第１状態から第３状態を経て、第４状態に移行することも可能としている。
【０１４６】
次に、携帯電話１００がカメラモードで動作中に着信があった場合について説明する。
【０１４７】
まず、第１状態又は第４状態のカメラモードで、着信があった場合について、図３４のフローチャートにしたがって説明する。第１状態又は第４状態のカメラモードで着信があると、ステップＳ１０１において、メインディスプレイ２８に通話着信ガイダンスを表示する。ガイダンスの表示は図３５Ａに示すように、通話、転送、拒否、保留及び留守録が、折りたたみ操作部１０２の十字型キーにより選択できる旨を示している。図３４に戻り、ステップＳ１０２において、利用者が通話を選択した場合には、ステップＳ１０３において、制御部１４０は、動作モードを非カメラモードへと移行する。引き続き、制御部１４０は、ステップＳ１０４において、着信応答、通話及び切断までを実行する通話処理を行う。通話が終了し、切断されると、制御部１４０は、ステップＳ１０５において、カメラモードに移行し、元の状態へ戻る。
【０１４８】
一方、ステップＳ１０２において、転送、拒否及び留守録が選択された場合には、ステップＳ１０６において、それぞれ、転送、拒否及び留守録の処理が行われる。この場合には、非カメラモードへの移行は行われない。また、ステップＳ１０２において、保留が選択された場合には、制御部１４０は、ステップＳ１０７において、保留処理を行う。利用者が通話できる状態になり、ステップ１０８において、通話指令が行われたか否かが判定がされる。この判定結果が肯定的な場合には、ステップＳ１０３〜ステップＳ１０５の処理を行うこととなる。
【０１４９】
また、ステップＳ１０８における判定結果が否定的な場合には、ステップＳ１０９へ移行し、発呼側から切断された場合、つまり携帯電話１０に電話をかけてきた側から、通信網を介して携帯電話１０に保留された呼の切断を通知された場合、及び、着呼側で切断された場合、つまり携帯電話１０で保留された呼を切断した場合、のいずれかの場合であるかどうかが判定される。ステップＳ１０９での判定が肯定的な場合には、元の状態である第1状態、第４状態のカメラモードへ移行する。一方、否定的な場合には、ステップＳ１０８及びステップＳ１０９の処理を繰り返す。
【０１５０】
次に、第３状態のカメラモードで、着信があった場合について、図３６のフローチャートにしたがって説明する。第３状態のカメラモードで着信があった場合には、制御部１４０は、ステップＳ２０１において、メインディスプレイ２８に通話着信ガイダンスを表示する。ガイダンスの表示では、図３５Ｂに示すように、転送、拒否、保留及び留守録の選択が折りたたみ操作部１０２の十字型キーにより選択できる旨、及び、通話の場合には形状を変更する必要がある旨が示される。
【０１５１】
引き続き、ステップＳ２０２において、利用者が、転送、拒否、留守録の選択した場合には、制御部１４０は、ステップＳ２０５において、それぞれ、転送、拒否及び留守録の処理を行う。また、ステップＳ２０２において、指令がない場合には、制御部１４０は、ステップＳ２０３において、携帯電話１００の形状を確認する。利用者が、携帯電話１００を変形して、第１状態又は第４状態になっていた場合には、制御部１４０は、図３４のステップＳ１００である「第１状態又は第４状態のカメラモードの着信」と同じ処理を行う。変形せずに第３状態を維持している場合には、Ｓ２０２及びＳ２０３の処理を繰り返す。
【０１５２】
また、ステップＳ２０２において、保留の選択をした場合には、制御部１４０は、メインディスプレイ２８からガイダンス表示を消去し、ステップＳ２０２及びステップＳ２０３の処理を繰り返す。利用者が通話できる状態になったところで、形状を変更することにより、制御部１４０は、ステップＳ２０３から、図３４のステップＳ１００である「第１状態又は第４状態のカメラモードの着信」の処理を行うことにより、通話を可能とする。
【０１５３】
次に、カメラモードで動作中に、メールの受信があった場合の処理について、図３７に従って、説明する。制御部１４０は、ステップＳ３０１において、メインディスプレイ２８にメール受信ガイダンスを表示する。ガイダンスの表示では、図３８に示すように、受信メールの表示を行うかどうかの選択が、折りたたみ操作部１０２の十字型キーの中央の押下により選択できる旨が示される。ここで、利用者は、ステップＳ３０２において、受信メールの表示を行うかどうかの選択を行う。この選択が肯定的な場合には、制御部１４０は、ステップＳ３０３において、受信メール表示処理をおこなう。否定的な場合には、受信メールの表示処理はおこなわず、メール受信時の処理を終了する。
【０１５４】
以上説明したように、第二の実施形態では、第一の実施形態と同様の効果を奏する。
【０１５５】
更に、第二の実施形態では、カメラモードで動作しているときであっても、メール受信があった際には、その旨を利用者に通知し、利用者は、携帯電話の形状を変えずに、その受信したメールの内容を確認することができるので、利用者は、受信したメールに対して、簡易に適切な処置をとることができる。
【０１５６】
また、カメラモードで動作しているときであっても、通話着信があった際には、利用者は携帯電話の形状を変えずに、切断や留守録等の措置を行え、更に、第１状態及び第４状態のどちらの形状であっても、通話することが可能なため、利用者は、より簡易な操作で、通話着信に対して、適切な処理を行うことができる。
【０１５７】
また、第２部分１１２は、第１部分１１１の第１軸ＡＸ１に沿った少なくとも両外側２箇所で、第１部分１１１と、結合されているため、第２部分１１２は、第１部分１１１との接続部分において、第１軸ＡＸ１方向の幅を十分にとることができる。これにより、第２部分１１２に十分な強度を保つことができ、更に第２部分１１２により多くの機能を備えることができる。
【０１５８】
なお、上記第二の実施形態においては、表示される通話着信ガイダンス及びメール受信ガイダンスは、メインディスプレイ２８に単に表示されることとしたが、第一の実施形態と同様、透過表示されることとしてもよい。
【０１５９】
また、上記第二の実施形態においては、表示面操作部はゲーム機能にのみ使用していたが、他の機能に使用することとしてもよい。
【０１６０】
また、上記第二の実施形態においては、折りたたみ操作部及び表示面操作部は、それぞれ十字型キー及びボタンとしていたが、他の形状や他の機能をもつ入力装置としてもよい。
【０１６１】
また、上記第二の実施形態においては、第２状態及び第３状態において通話できないこととしたが、第２状態及び第３状態においても通話可能としてもよい。
【０１６２】
また、上記第二の実施形態においては、上述した第一の実施形態に対する変形例と同等の変形例を適宜行うことがきる。
【産業上の利用可能性】
【０１６３】
以上のように、本発明は、移動通信端末装置におけるデジタルカメラ機能の実装に際して有用である。特に、デジタルカメラ機能付移動通信端末装置におけるデジタルカメラを利用する際の利用者の利便性を向上に適している。
【図面の簡単な説明】
【０１６４】
【図１Ａ】図１Ａは、本発明の第一の実施形態に係るデジタルカメラ機能付携帯電話の第１状態における外観構成を概略的に示す正面図である。
【図１Ｂ】図１Ｂは、本発明の第一の実施形態に係るデジタルカメラ機能付携帯電話の第１状態における外観構成を概略的に示す側面図である。
【図１Ｃ】図１Ｃは、本発明の第一の実施形態に係るデジタルカメラ機能付携帯電話の第１状態における外観構成を概略的に示す背面図である。
【図２】図２は、本発明の第一の実施形態に係るデジタルカメラ機能付携帯電話の突出部にカメラ用光学系が収納されていることを示す図である。
【図３】図３は、本発明の第一の実施形態に係るデジタルカメラ機能付携帯電話の機能ブロック図である。
【図４Ａ】図４Ａは、本発明の第一の実施形態に係るデジタルカメラ機能付携帯電話の第２状態における外観構成を概略的に示す正面図である。
【図４Ｂ】図４Ｂは、本発明の第一の実施形態に係るデジタルカメラ機能付携帯電話の第２状態における外観構成を概略的に示す側面図である。
【図４Ｃ】図４Ｃは、本発明の第一の実施形態に係るデジタルカメラ機能付携帯電話の第２状態における外観構成を概略的に示す背面図である。
【図５Ａ】図５Ｃは、本発明の第一の実施形態に係るデジタルカメラ機能付携帯電話の第３状態における外観構成を概略的に示す正面図である。
【図５Ｂ】図５Ｃは、本発明の第一の実施形態に係るデジタルカメラ機能付携帯電話の第３状態における外観構成を概略的に示す側面図である。
【図５Ｃ】図５Ｃは、本発明の第一の実施形態に係るデジタルカメラ機能付携帯電話の第３状態における外観構成を概略的に示す背面図である。
【図６Ａ】図６Ａは、本発明の第一の実施形態に係るデジタルカメラ機能付携帯電話の第４状態における外観構成を概略的に示す正面図である。
【図６Ｂ】図６Ｂは、本発明の第一の実施形態に係るデジタルカメラ機能付携帯電話の第４状態における外観構成を概略的に示す側面図である。
【図６Ｃ】図６Ｃは、本発明の第一の実施形態に係るデジタルカメラ機能付携帯電話の第４状態における外観構成を概略的に示す背面図である。
【図７】図７は、本発明の第一の実施形態における第１〜第４状態の相互間の遷移を機能遷移とともに説明するための図である。
【図８Ａ】図８Ａは、本発明の第一の実施形態における第４状態のカメラモードにおけるガイダンス表示を説明するための図である。
【図８Ｂ】図８Ｂは、本発明の第一の実施形態における第４状態のカメラモードにおけるガイダンス表示を説明するための図である。
【図９】図９は、本発明の第一の実施形態における非カメラモードである通信モード時における通話着信に対する処理を説明するためのフローチャートである。
【図１０】図１０は、本発明の第一の実施形態における第１状態のカメラモードにおける通話着信に対する処理を説明するためのフローチャートである。
【図１１Ａ】図１１Ａは、本発明の第一の実施形態における第３状態のカメラモードにおける通話着信に対する処理を説明するためのフローチャートである。
【図１１Ｂ】図１１Ｂは、本発明の第一の実施形態における第１状態の通信モードにおける着信処理を説明するためのフローチャートである。
【図１２】図１２は、本発明の第一の実施形態における第３状態のカメラモードにおける通話着信時の表示例を示す図である。
【図１３】図１３は、本発明の第一の実施形態における第４状態のカメラモードにおける通話着信に対する処理を説明するためのフローチャートである。
【図１４】図１４は、本発明の第一の実施形態における第４状態のカメラモードにおける通話着信時の表示例を示す図である。
【図１５】図１５は、本発明の第一の実施形態における非カメラモードである通信モードにおけるＥメール着信に対する処理を説明するためのフローチャートである。
【図１６】図１６は、本発明の第一の実施形態におけるカメラモードにおけるＥメール着信に対する処理を説明するためのフローチャートである。
【図１７Ａ】図１７Ａは、第１部分における突出部の位置の第１の変形例を示す側面図である。
【図１７Ｂ】図１７Ｂは、第１部分における突出部の位置の第１の変形例を示す正面図である。
【図１８Ａ】図１８Ａは、第１部分における突出部の位置の第２の変形例を示す側面図である。
【図１８Ｂ】図１８Ｂは、第１部分における突出部の位置の第２の変形例を示す正面図である。
【図１９】図１９は、第１部分における突出部の位置の第３の変形例を示す図である。
【図２０Ａ】図２０Ａは、第２軸が、第１軸に垂直である場合における第１の変形例の第４状態を示す図である。
【図２０Ｂ】図２０Ｂは、第２軸が、第１軸に垂直である場合における第１の変形例の第２状態を示す図である。
【図２１Ａ】図２１Ａは、第２軸が、第１軸に垂直である場合における第２の変形例の第４状態を示す図である。
【図２１Ｂ】図２１Ｂは、第２軸が、第１軸に垂直である場合における第２の変形例の第２状態を示す図である。
【図２２Ａ】図２２Ａは、第２軸が、第１軸に平行である場合における第１の変形例の第４状態を示す図である。
【図２２Ｂ】図２２Ｂは、第２軸が、第１軸に平行である場合における第１の変形例の第２状態を示す図である。
【図２３Ａ】図２３Ａは、第２軸が、第１軸に平行である場合における第２の変形例の第４状態を示す図である。
【図２３Ｂ】図２３Ｂは、第２軸が、第１軸に平行である場合における第２の変形例の第２状態を示す図である。
【図２４Ａ】図２４Ａは、第２軸が、第１軸に平行である場合における第３の変形例の第４状態を示す図である。
【図２４Ｂ】図２４Ｂは、第２軸が、第１軸に平行である場合における第３の変形例の第２状態を示す図である。
【図２５Ａ】図２５Ａは、第２軸が、第１軸に平行である場合における第４の変形例の第４状態を示す図である。
【図２５Ｂ】図２５Ｂは、第２軸が、第１軸に平行である場合における第４の変形例の第２状態を示す図である。
【図２６Ａ】図２６Ａは、カメラ用光学系の光軸が、操作面に垂直である場合における変形例の第４状態を示す側面図である。
【図２６Ｂ】図２６Ｂは、カメラ用光学系の光軸が、操作面に垂直である場合における変形例の第４状態を示す正面図である。
【図２７Ａ】図２７Ａは、本発明の第二の実施形態に係る携帯電話の第１状態における外観構成を概略的に示す正面図である。
【図２７Ｂ】図２７Ｂは、本発明の第二の実施形態に係る携帯電話の第１状態における外観構成を概略的に示す側面図である。
【図２７Ｃ】図２７Ｃは、本発明の第二の実施形態に係る携帯電話の第１状態における外観構成を概略的に示す背面図である。
【図２８】図２８は、本発明の第二の実施形態に係る携帯電話の機能ブロック図である。
【図２９Ａ】図２９Ａは、本発明の第二の実施形態に係る携帯電話の第２状態における外観構成を概略的に示す正面図である。
【図２９Ｂ】図２９Ｂは、本発明の第二の実施形態に係る携帯電話の第２状態における外観構成を概略的に示す側面図である。
【図２９Ｃ】図２９Ｃは、本発明の第二の実施形態に係る携帯電話の第２状態における外観構成を概略的に示す背面図である。
【図３０Ａ】図３０Ａは、本発明の第二の実施形態に係る携帯電話の第３状態における外観構成を概略的に示す正面図である。
【図３０Ｂ】図３０Ｂは、本発明の第二の実施形態に係る携帯電話の第３状態における外観構成を概略的に示す側面図である。
【図３０Ｃ】図３０Ｃは、本発明の第二の実施形態に係る携帯電話の第３状態における外観構成を概略的に示す背面図である。
【図３１Ａ】図３１Ａは、本発明の第二の実施形態に係る携帯電話の第４状態における外観構成を概略的に示す正面図である。
【図３１Ｂ】図３１Ｂは、本発明の第二の実施形態に係る携帯電話の第４状態における外観構成を概略的に示す側面図である。
【図３１Ｃ】図３１Ｃは、本発明の第二の実施形態に係る携帯電話の第４状態における外観構成を概略的に示す背面図である。
【図３２Ａ】図３２Ａは、本発明の第二の実施形態における、非カメラモード内の状態遷移を説明するための図である。
【図３２Ｂ】図３２Ｂは、本発明の第二の実施形態における、カメラモード内の状態遷移を説明するための図である。
【図３３】図３３は、本発明の第二の実施形態における、第１〜第４状態の相互間の状態遷移を説明するための図である。
【図３４】図３４は、本発明の第二の実施形態における第１状態又は第４状態のカメラモードにおける通話着信に対する処理を説明するためのフローチャートである。
【図３５Ａ】図３５Ａは、本発明の第二の実施形態における第１状態又は第４状態のカメラモードにおける通話着信時の表示例を示す図である。
【図３５Ｂ】図３５Ｂは、本発明の第二の実施形態における第３状態における通話着信時の表示例を示す図である。
【図３６】図３６は、本発明の第二の実施形態における第３状態における通話着信に対する処理を説明するためのフローチャートである。
【図３７】図３７は、本発明の第二の実施形態におけるカメラモード時におけるメール受信に対する処理を説明するためのフローチャートである。
【図３８】図３８は、本発明の第二の実施形態におけるカメラモード時におけるメール受信時の表示例を示す図である。
【手続補正２】
【補正対象書類名】特許請求の範囲
【補正対象項目名】全文
【補正方法】変更
【補正の内容】
【特許請求の範囲】
【請求項１】
第１軸を回転軸として相対的に回動可能に結合されることにより、折りたたみ可能に構成された第１部分と第２部分とを備え、
前記第１部分が、
前記第１軸と平行であり、折りたたまれた際、前記第２部分と対向する操作面を有する操作入力部と；
前記操作面に垂直な光軸を有するカメラ用光学系と；を備え、
前記第２部分が、
前記第１部分と回動可能に結合されている部分を備える基台部と；
表示デバイスを有し、前記表示デバイスの表示面に平行な第２軸を回転軸として、前記基台部に対して少なくとも１８０度回動可能に前記基台部と結合された表示部と；を備え、
前記第２部分が、前記第１部分の前記第１軸に沿った少なくとも両外側２箇所で、前記第１部分と結合されたデジタルカメラ機能付の移動通信端末装置であって、
前記第２軸を回転軸とする前記基台部に対する前記表示部の回転状態を検出する表示部回転状態検出器と；
表示部回転状態検出器が、折りたたまれた際に前記表示面が前記操作面に対向しない向きである表示部回転状態となったことを検出した場合には、動作モードをカメラモードとする制御部と；を更に備えることを特徴とする移動通信端末装置。
【請求項２】
前記第２軸は、第1軸に対して垂直である、ことを特徴とする請求項１に記載の移動通信端末装置。
【請求項３】
前記第１部分は、前記操作面の垂直方向に突出し、前記カメラ用光学系を収納する突出部を更に備える、ことを特徴とする請求項１に記載の移動通信端末装置。
【請求項４】
前記第１軸を回転軸として折りたたまれた状態である折りたたみ状態、又は、展開された状態である展開状態を検出する折りたたみ状態検出器を更に備える、ことを特徴とする請求項１に記載の移動通信端末装置。
【請求項５】
前記表示部回転状態であって、前記折りたたみ状態検出器が、前記展開状態となったことを検出した場合には、前記第１軸に垂直な方向を前記表示デバイスの縦方向としてガイダンス表示を行い、
前記表示部回転状態であって、前記折りたたみ状態検出器が、前記折りたたみ状態となったことを検出した場合には、前記第１軸に垂直の方向を前記表示デバイスの横方向として、前記ガイダンス表示を行い、
前記制御部は、利用者の指令に応じて、前記第１軸に垂直の方向を前記表示デバイスの縦方向とするか横方向とするかを変更し、前記ガイダンス表示を行う、ことを特徴とする請求項４に記載の移動通信端末装置。
【請求項６】
前記制御部は、カメラモードで動作中に、前記表示デバイスにガイダンスを透過表示させる、ことを特徴とする請求項４に記載の移動通信端末装置。
【請求項７】
前記制御部は、カメラモードで動作中に、メール受信があった場合には、前記メール受信があった旨を利用者に通知し、利用者の指令により、内容を表示する、ことを特徴とする請求項４に記載の移動通信端末装置。
【請求項８】
前記制御部は、カメラモードで動作中に、着信があった場合には、前記着信があった旨を利用者に通知する、ことを特徴とする請求項４に記載の移動通信端末装置。
【請求項９】
前記制御部は、前記展開状態、かつ、前記表示面が前記操作面に対向する向きである表示部非回転状態で電源が投入された場合には、前記制御部は、動作モードを非カメラモードとする、ことを特徴とする請求項４に記載の移動通信端末装置。
【請求項１０】
前記表示部回転状態であり、かつ、前記展開状態のカメラモードで動作中の場合には、前記制御部は、画像の左右を反転させて表示させる、ことを特徴とする請求項４に記載の移動通信端末装置。
【請求項１１】
前記制御部は、前記表示面が前記操作面に対向する向きである表示部非回転状態にあるときに、前記折りたたみ状態検出器が、前記折りたたみ状態になったことを検出すると、動作モードを非カメラモードとする、ことを特徴とする請求項４に記載の移動通信端末装置。
【請求項１２】
前記制御部は、前記折りたたみ状態の非カメラモードから、前記第１軸を回転軸として展開することにより、前記折りたたみ状態検出器が前記展開状態になったことを検出すると、動作モードを非カメラモードとする、ことを特徴とする請求項１１に記載の移動通信端末装置。
【請求項１３】
基台部における、折りたたまれた際に前記操作面に対向する面の裏面側に、折りたたまれた際に操作を行う折りたたみ操作部を備える、ことを特徴とする請求項４に記載の移動通信端末装置。
【請求項１４】
前記制御部は、前記表示部回転状態かつ前記折りたたみ状態である場合に、利用者の前記折りたたみ操作部を介した指令に応じて、音声通信の制御を行う、ことを特徴とする請求項１３に記載の移動通信端末装置。
【請求項１５】
前記表示部の表示面側に表示面操作部を備え、前記制御部は、前記表示部回転状態かつ前記折りたたみ状態である場合に、前記折りたたみ操作部及び前記表示面操作部の少なくとも一方を介した利用者の指令に応じて、ゲーム機能を実行する、ことを特徴とする請求項１３に記載の移動通信端末装置。
【請求項１６】
請求項７に記載の移動通信端末装置において、
前記制御部は、前記展開状態のカメラモードのときに、前記表示部回転状態検出器が前記表示面が前記操作面に対向する向きである表示部非回転状態になったことを検出すると、動作モードをカメラモードとする、ことを特徴とする請求項４に記載の移動通信端末装置。
【請求項１７】
前記制御部は、前記表示部非回転状態であり、かつ、前記展開状態のカメラモードとなった場合には、前記第１軸に垂直な方向を前記表示デバイスの縦方向として、ガイダンス表示を行い、
前記表示部非回転状態であり、かつ、前記展開状態のカメラモードで動作中の場合には、前記制御部は、利用者の指令に応じて、前記第１軸に垂直の方向を前記表示デバイスの縦方向とするか横方向とするかを変更し、前記ガイダンス表示を行う、ことを特徴とする請求項１６に記載の移動通信端末装置。
【請求項１８】
前記制御部は、前記表示部非回転状態であり、かつ、前記展開状態のカメラモードで動作中に着信し、前記着信に係る通信処理のために動作モードが非カメラモードとなり、当該通信処理が終了した場合には動作モードを、カメラモードにする、ことを特徴とする請求項１６に記載の移動通信端末装置。
【請求項１９】
第１軸を回転軸として相対的に回動可能に結合されることにより、折りたたみ可能に構成された第１部分と第２部分とを備え、
前記第1部分が、
カメラ用光学系と；
前記第１軸と平行であり、折りたたまれた際、第２部分と対向する操作面を有する操作入力部と；を備え、
前記第２部分が、
前記第１部分と回動可能に結合されている部分を備える基台部と；
表示デバイスを有し、前記表示デバイスの表示面に平行な第２軸を回転軸として、前記基台部に対して少なくとも１８０度回動可能に前記基台部と結合された表示部と；を備え、
前記第１部分の前記第２部分に対する回動の状態、及び、前記表示部の前記基台部に対する回動の状態に応じて、動作モードの切替えを行うデジタルカメラ機能付の移動通信端末装置であって、
前記第２軸を回転軸とする前記基台部に対する前記表示部の回転状態を検出する表示部回転状態検出器と；
前記第１軸を回転軸として折りたたまれた状態である折りたたみ状態、又は、展開された状態である展開状態を検出する折りたたみ状態検出器と；
前記表示面が前記操作面に対向しない向きである表示部回転状態であるときに、前記折りたたみ状態検出器が、前記折りたたみ状態となったことを検出した場合には、動作モードをカメラモードとし、前記表示部回転状態検出器が、前記表示部回転状態となったことを検出した場合には、動作モードをカメラモードとする制御部と；を更に備えることを特徴とする移動通信端末装置。
【請求項２０】
前記制御部は、前記表示面が前記操作面に対向する向きである表示部非回転状態にあるときに、前記折りたたみ状態検出器が、前記折りたたみ状態になったことを検出すると、動作モードを非カメラモードとし、
前記制御部は、前記表示部非回転状態であるときに、前記折りたたみ状態検出器が、前記展開状態となったことを検出した場合には、動作モードを非カメラモードとする、ことを特徴とする請求項１９に記載の移動通信端末装置。
【請求項２１】
前記制御部は、前記展開状態であり、かつ、前記カメラモードのときに、前記表示部回転状態検出器が、前記表示面が前記操作面に対向する向きである表示部非回転状態になったことを検出した場合には、動作モードをカメラモードとする、ことを特徴とする請求項１９に記載の移動通信端末装置。
【請求項２２】
第１部分と第２部分とが、第１軸を回転軸として相対的に回動可能に結合されることにより、折りたたみ可能に構成されたデジタルカメラ機能付の移動通信端末装置であって、
前記第１部分は、
第１軸と平行であり、折りたたまれた際、第２部分と対向する操作面を有する操作入力部と；
前記操作面の垂直方向に突出した突出部と；
前記突出部に収納され、前記操作面と直交する光軸を有するカメラ用光学系と；を備え、
前記第２部分は、
前記第１部分と回動可能に結合されている部分を備える基台部と；
表示デバイスを有し、前記表示デバイスの表示面に平行な第２軸を回転軸として、前記基台部に対して少なくとも１８０度回動可能に前記基台部と結合された表示部と；を備え、
前記第２部分は、前記突出部の前記第１軸に沿った少なくとも両外側２箇所で、前記第１部分と結合されている、ことを特徴とする移動通信端末装置。
【国際調査報告】
2005013586.tif 000042
2005013586.tif 000043